(57)【特許請求の範囲】
【請求項１】
遊技領域に設けられた始動領域に遊技球が入賞したことにもとづいて各々が識別可能な複数種類の識別情報の可変表示を行い表示結果を導出表示する装飾可変表示装置を備え、前記装飾可変表示装置の前記識別情報の表示結果が予め定められた特定表示結果となったときに、遊技者にとって有利なラウンド遊技を所定回数実行する特定遊技状態に制御する遊技機であって、
前記特定遊技状態には少なくとも、
前記ラウンド遊技を実行し、その後前記表示結果が前記特定遊技状態となる確率が通常確率状態よりも向上する高確率状態に移行する第１特定遊技状態と、
前記第１特定遊技状態よりも短い期間の前記ラウンド遊技を実行し、その後前記高確率状態に移行する第２特定遊技状態と、
前記第１特定遊技状態よりも短い期間の前記ラウンド遊技を実行し、その後前記通常確率状態に移行する第３特定遊技状態と、があり、
前記始動領域に遊技球が入賞したことに基づいて、前記特定遊技状態に制御するか否か、及び前記特定遊技状態に制御するときにいずれの特定遊技状態にするか、を前記表示結果が導出表示される以前に決定する事前決定手段と、
前記第１特定遊技状態の終了後、前記装飾可変表示装置における複数回の可変表示に渡って所定の背景あるいはキャラクタ画像による演出が継続的に実行される特定演出モードに制御する特定演出モード制御手段と、
前記特定演出モード中に前記第１特定遊技状態となった場合、当該第１特定遊技状態終了後、所定のモード継続演出を実行し前記特定演出モードを継続する特定演出モード継続手段と、
前記特定演出モード中に前記第３特定遊技状態となった場合、当該第３特定遊技状態終了後、所定のモード終了演出を実行し、前記通常確率状態に移行するとともに、前記特定演出モードから特殊演出モードに制御する第１特殊演出モード制御手段と、
前記特定演出モード中に前記第２特定遊技状態となった場合、当該第２特定遊技状態終了後、前記モード継続演出を実行し前記特定演出モードを継続する、または前記モード終了演出を実行し前記特殊演出モードに制御する第２特殊演出モード制御手段と、
前記特定演出モード継続中に第１特定遊技状態となった回数に対応して、前記特定演出モード中の演出で使用される背景あるいはキャラクタ画像を変更して前記特定演出モード中の演出を実行する特定演出モード実行手段と、
を備えることを特徴とする遊技機。
【請求項２】
遊技領域に設けられた始動領域に遊技球が入賞したことにもとづいて各々が識別可能な複数種類の識別情報の可変表示を行い表示結果を導出表示する装飾可変表示装置を備え、前記装飾可変表示装置の前記識別情報の表示結果が予め定められた特定表示結果となったときに、遊技者にとって有利なラウンド遊技を所定回数実行する特定遊技状態に制御する遊技機であって、
前記特定遊技状態には少なくとも、
前記ラウンド遊技を実行し、その後前記表示結果が前記特定遊技状態となる確率が通常確率状態よりも向上する高確率状態に移行する第１特定遊技状態と、
前記第１特定遊技状態よりも短い期間の前記ラウンド遊技を実行し、その後前記高確率状態に移行する第２特定遊技状態と、
前記第１特定遊技状態よりも短い期間の前記ラウンド遊技を実行し、その後前記通常確率状態に移行する第３特定遊技状態と、があり、
前記始動領域に遊技球が入賞したことに基づいて、前記特定遊技状態に制御するか否か、及び前記特定遊技状態に制御するときにいずれの特定遊技状態にするか、を前記表示結果が導出表示される以前に決定する事前決定手段と、
前記第１特定遊技状態の終了後、前記装飾可変表示装置における複数回の可変表示に渡って所定の背景あるいはキャラクタ画像による演出が継続的に実行される特定演出モードに制御する特定演出モード制御手段と、
前記特定演出モード中に前記第１特定遊技状態となった場合、当該第１特定遊技状態終了後、所定のモード継続演出を実行し前記特定演出モードを継続する特定演出モード継続手段と、
前記特定演出モード中に前記第３特定遊技状態となった場合、当該第３特定遊技状態終了後、所定のモード終了演出を実行し、前記通常確率状態に移行するとともに、前記特定演出モードから特殊演出モードに制御する第１特殊演出モード制御手段と、
前記特定演出モード中に前記第２特定遊技状態となった場合、当該第２特定遊技状態終了後、前記モード継続演出を実行し前記特定演出モードを継続する、または前記モード終了演出を実行し前記特殊演出モードに制御する第２特殊演出モード制御手段と、
前記特定演出モード中に前記装飾可変表示装置において前記特定遊技状態となるときの可変表示を実行するときに、味方キャラクタが敵キャラクタと対決する特別演出を実行する特別演出実行手段と、を備え、
前記特別演出実行手段は、前記特定演出モード継続中に第１特定遊技状態となった回数に対応して、異なる演出態様で前記特別演出を実行する
ことを特徴とする遊技機。
【発明の詳細な説明】
【技術分野】
【０００１】
本発明は、パチンコ遊技機等の遊技機に係り、詳しくは、遊技領域に設けられた始動領域に遊技球が入賞したことにもとづいて各々が識別可能な複数種類の識別情報の可変表示を行い表示結果を導出表示する装飾可変表示装置を備え、前記装飾可変表示装置の前記識別情報の表示結果が予め定められた特定表示結果となったときに、遊技者にとって有利なラウンド遊技を所定回数実行する特定遊技状態に制御する遊技機に関する。
【背景技術】
【０００２】
遊技機として、遊技球などの遊技媒体を発射装置によって遊技領域に発射し、遊技領域に設けられている入賞口などの入賞領域に遊技媒体が入賞すると、所定個の賞球が遊技者に払い出されるものがある。さらに、入賞領域に遊技媒体が入賞する（始動条件が成立する）と識別情報を可変表示（「変動」ともいう）可能な可変表示装置が設けられ、可変表示装置において識別情報の可変表示の表示結果が特定表示結果（大当り図柄）となった場合に遊技者にとって有利な特定遊技状態（大当り遊技状態）に制御可能になるように構成されたものがある。
【０００３】
また、特定遊技状態の終了後、所定の条件が成立した場合、表示結果が特定表示結果となる確率を通常よりも向上させる確変遊技状態（高確率状態）等、遊技者にとってさらに有利な特別遊技状態に制御するように構成されたものもある。この確変遊技状態は、特定の条件が成立した場合に終了する。
【０００４】
そのような遊技機において、確変遊技状態であるとき可変表示装置によりキャラクタが対決する演出を行い、その演出により確変遊技状態が継続すること、または確変遊技状態が終了することを報知するものが提案されている（例えば、特許文献１）。
【先行技術文献】
【特許文献】
【０００５】
【特許文献１】特開２００７−２９５２２号公報
【発明の概要】
【発明が解決しようとする課題】
【０００６】
特許文献１の遊技機では、演出が単調であるため遊技を行うにつれて遊技者の興趣が低下してしまうおそれがあった。
【０００７】
この発明は、上記実情に鑑みてなされたものであり、可変表示装置により演出を行う遊技機において、遊技の興趣を向上させた遊技機を提供することを目的とする。
【課題を解決するための手段】
【０００８】
（１）上記目的を達成するため、本発明の第１の観点に係る遊技機は、遊技領域に設けられた始動領域（例えば普通入賞球装置６Ａや普通可変入賞球装置６Ｂ）に遊技球が入賞したことにもとづいて各々が識別可能な複数種類の識別情報（例えば飾り図柄）の可変表示を行い表示結果を導出表示する装飾可変表示装置（例えば画像表示装置５）を備え、前記装飾可変表示装置の前記識別情報の表示結果が予め定められた特定表示結果（例えば大当り組合せ）となったときに、遊技者にとって有利なラウンド遊技を所定回数実行する特定遊技状態（例えば大当り遊技状態など）に制御する遊技機（例えばパチンコ遊技機１）であって、前記特定遊技状態には少なくとも、前記ラウンド遊技を実行し、その後前記表示結果が前記特定遊技状態となる確率が通常確率状態よりも向上する高確率状態（例えば確変状態）に移行する第１特定遊技状態（例えば第１大当りの大当り遊技状態）と、前記第１特定遊技状態よりも短い期間の前記ラウンド遊技を実行し、その後前記高確率状態に移行する第２特定遊技状態（例えば第３大当りの大当り遊技状態）と、前記第１特定遊技状態よりも短い期間の前記ラウンド遊技を実行し、その後前記通常確率状態に移行する第３特定遊技状態（例えば第４大当りの大当り遊技状態）と、があり、前記始動領域に遊技球が入賞したことに基づいて、前記特定遊技状態に制御するか否か、及び前記特定遊技状態に制御するときにいずれの特定遊技状態にするか、を前記表示結果が導出表示される以前に決定する事前決定手段（例えばＣＰＵ１０３がステップＳ２３８、Ｓ２３９、Ｓ２４３、Ｓ２４５、Ｓ２４６の処理を実行する部分）と、前記第１特定遊技状態の終了後、前記装飾可変表示装置における複数回の可変表示に渡って同じ背景あるいはキャラクタ画像による演出が継続的に実行される特定演出モード（例えばバトルモード）に制御する特定演出モード制御手段（例えばＣＰＵ１０３がステップＳ３１６の処理でモードフラグ切換設定用データ２００に基づきモードフラグを"１"に切り換える部分）と、前記特定演出モード中に前記第１特定遊技状態となった場合、当該第１特定遊技状態終了後、所定のモード継続演出（例えば画像表示装置５における図５３（Ｂ）（Ｃ）に示す演出）を実行し前記特定演出モードを継続する特定演出モード継続手段（例えばＣＰＵ１０３がステップＳ３１６の処理でモードフラグ切換設定用データ２００に基づきモードフラグ"１"を継続する部分）と、前記特定演出モード中に前記第３特定遊技状態となった場合、当該第３特定遊技状態終了後、所定のモード終了演出（例えば画像表示装置５における図５８（１）〜（５）に示す演出）を実行し、前記通常確率状態に移行するとともに、前記特定演出モードから特殊演出モードに制御する第１特殊演出モード制御手段（例えばＣＰＵ１０３がステップＳ３１６の処理でモードフラグ切換設定用データ２００に基づきモードフラグを"２"に切り換える部分）と、前記特定演出モード中に前記第２特定遊技状態となった場合、当該第２特定遊技状態終了後、前記モード継続演出を実行し前記特定演出モードを継続する、または前記モード終了演出を実行し前記特殊演出モードに制御する第２特殊演出モード制御手段（例えばＣＰＵ１０３がステップＳ３１６の処理でモードフラグ切換設定用データ２００に基づきモードフラグを"１"または"２"とする部分）と、前記特定演出モード継続中に第１特定遊技状態となった回数に対応して、前記特定演出モード中の演出で使用される背景あるいはキャラクタ画像を変更して前記特定演出モード中の演出を実行する特定演出モード実行手段（例えば演出制御ＣＰＵ１２０がステップＳ５８５の処理を実行する部分）と、を備えることを特徴とする。
このような構成によれば、特定演出モード中の演出に変化を持たせることができ、遊技の興趣を向上させることができる。
【０００９】
（２）上記目的を達成するため、本発明の第２の観点に係る遊技機は、遊技領域に設けられた始動領域（例えば普通入賞球装置６Ａや普通可変入賞球装置６Ｂ）に遊技球が入賞したことにもとづいて各々が識別可能な複数種類の識別情報（例えば飾り図柄）の可変表示を行い表示結果を導出表示する装飾可変表示装置（例えば画像表示装置５）を備え、前記装飾可変表示装置の前記識別情報の表示結果が予め定められた特定表示結果（例えば大当り組合せ）となったときに、遊技者にとって有利なラウンド遊技を所定回数実行する特定遊技状態（例えば大当り遊技状態など）に制御する遊技機（例えばパチンコ遊技機１）であって、前記特定遊技状態には少なくとも、前記ラウンド遊技を実行し、その後前記表示結果が前記特定遊技状態となる確率が通常確率状態よりも向上する高確率状態（例えば確変状態）に移行する第１特定遊技状態（例えば第１大当りの大当り遊技状態）と、前記第１特定遊技状態よりも短い期間の前記ラウンド遊技を実行し、その後前記高確率状態に移行する第２特定遊技状態（例えば第３大当りの大当り遊技状態）と、前記第１特定遊技状態よりも短い期間の前記ラウンド遊技を実行し、その後前記通常確率状態に移行する第３特定遊技状態（例えば第４大当りの大当り遊技状態）と、があり、前記始動領域に遊技球が入賞したことに基づいて、前記特定遊技状態に制御するか否か、及び前記特定遊技状態に制御するときにいずれの特定遊技状態にするか、を前記表示結果が導出表示される以前に決定する事前決定手段（例えばＣＰＵ１０３がステップＳ２３８、Ｓ２３９、Ｓ２４３、Ｓ２４５、Ｓ２４６の処理を実行する部分）と、前記第１特定遊技状態の終了後、前記装飾可変表示装置における複数回の可変表示に渡って同じ背景あるいはキャラクタ画像による演出が継続的に実行される特定演出モード（例えばバトルモード）に制御する特定演出モード制御手段（例えばＣＰＵ１０３がステップＳ３１６の処理でモードフラグ切換設定用データ２００に基づきモードフラグを"１"に切り換える部分）と、前記特定演出モード中に前記第１特定遊技状態となった場合、当該第１特定遊技状態終了後、所定のモード継続演出（例えば画像表示装置５における図５３（Ｂ）（Ｃ）に示す演出）を実行し前記特定演出モードを継続する特定演出モード継続手段（例えばＣＰＵ１０３がステップＳ３１６の処理でモードフラグ切換設定用データ２００に基づきモードフラグ"１"を継続する部分）と、前記特定演出モード中に前記第３特定遊技状態となった場合、当該第３特定遊技状態終了後、所定のモード終了演出（例えば画像表示装置５における図５８（１）〜（５）に示す演出）を実行し、前記通常確率状態に移行するとともに、前記特定演出モードから特殊演出モードに制御する第１特殊演出モード制御手段（例えばＣＰＵ１０３がステップＳ３１６の処理でモードフラグ切換設定用データ２００に基づきモードフラグを"２"に切り換える部分）と、前記特定演出モード中に前記第２特定遊技状態となった場合、当該第２特定遊技状態終了後、前記モード継続演出を実行し前記特定演出モードを継続する、または前記モード終了演出を実行し前記特殊演出モードに制御する第２特殊演出モード制御手段（例えばＣＰＵ１０３がステップＳ３１６の処理でモードフラグ切換設定用データ２００に基づきモードフラグを"１"または"２"とする部分）と、を備え、前記特別演出実行手段は、前記特定演出モード継続中に第１特定遊技状態となった回数に対応して、異なる演出態様で前記特別演出を実行する（例えば演出制御ＣＰＵ１２０がステップＳ５８５の処理を実行する部分）ことを特徴とする。
このような構成によれば、特別演出に変化を持たせることができ、遊技の興趣を向上させることができる。
【００１０】
（３）上記目的を達成するため、本発明の第３の観点に係る遊技機は、遊技領域に設けられた始動領域（例えば普通入賞球装置６Ａや普通可変入賞球装置６Ｂ）に遊技球が入賞したことにもとづいて各々が識別可能な複数種類の識別情報（例えば飾り図柄）の可変表示を行い表示結果を導出表示する装飾可変表示装置（例えば画像表示装置５）を備え、前記装飾可変表示装置の前記識別情報の表示結果が予め定められた特定表示結果（例えば大当り組合せ）となったときに、遊技者にとって有利なラウンド遊技を所定回数実行する特定遊技状態（例えば大当り遊技状態など）に制御する遊技機（例えばパチンコ遊技機１）であって、前記特定遊技状態には少なくとも、第１ラウンド数（例えば１５ラウンド）のラウンド遊技を実行し、その後前記表示結果が前記特定遊技状態となる確率が通常確率状態よりも向上する高確率状態（例えば確変状態）に移行する第１特定遊技状態（例えば第１大当りの大当り遊技状態）と、前記第１ラウンド数より少ない第２ラウンド数（たとえば２ラウンド）のラウンド遊技を実行し、その後前記高確率状態に移行する第２特定遊技状態（例えば第３大当りの大当り遊技状態）と、前記第２ラウンド数のラウンド遊技を実行し、その後前記通常確率状態に移行する第３特定遊技状態（例えば第４大当りの大当り遊技状態）と、があり、前記始動領域に遊技球が入賞したことに基づいて、前記特定遊技状態に制御するか否か、及び前記特定遊技状態に制御するときにいずれの特定遊技状態にするか、を前記表示結果が導出表示される以前に決定する事前決定手段（例えばＣＰＵ１０３がステップＳ２３８、Ｓ２３９、Ｓ２４３、Ｓ２４５、Ｓ２４６の処理を実行する部分）と、前記第１特定遊技状態の終了後、前記装飾可変表示装置における複数回の可変表示に渡って同じ背景あるいはキャラクタ画像による演出が継続的に実行される特定演出モード（例えばバトルモード）に制御する特定演出モード制御手段（例えばＣＰＵ１０３がステップＳ３１６の処理でモードフラグ切換設定用データ２００に基づきモードフラグを"１"に切り換える部分）と、前記特定演出モード中に前記第１特定遊技状態となった場合、当該第１特定遊技状態終了後、所定のモード継続演出（例えば画像表示装置５における図５３（Ｂ）（Ｃ）に示す演出）を実行し前記特定演出モードを継続する特定演出モード継続手段（例えばＣＰＵ１０３がステップＳ３１６の処理でモードフラグ切換設定用データ２００に基づきモードフラグ"１"を継続する部分）と、前記特定演出モード中に前記第３特定遊技状態となった場合、当該第３特定遊技状態終了後、所定のモード終了演出（例えば画像表示装置５における図５８（１）〜（５）に示す演出）を実行し、前記通常確率状態に移行するとともに、前記特定演出モードから特殊演出モードに制御する第１特殊演出モード制御手段（例えばＣＰＵ１０３がステップＳ３１６の処理でモードフラグ切換設定用データ２００に基づきモードフラグを"２"に切り換える部分）と、前記特定演出モード中に前記第２特定遊技状態となった場合、当該第２特定遊技状態終了後、前記モード継続演出を実行し前記特定演出モードを継続する、または前記モード終了演出を実行し前記特殊演出モードに制御する第２特殊演出モード制御手段（例えばＣＰＵ１０３がステップＳ３１６の処理でモードフラグ切換設定用データ２００に基づきモードフラグを"１"または"２"とする部分）と、を備え、前記第１特殊モード制御手段及び前記第２特殊演出モード制御手段は、前記特定演出モード継続中に第１特定遊技状態となった回数に対応して、前記特殊演出モードに制御したときの演出態様を異ならせる（例えば演出制御ＣＰＵ１２０がバトル勝利回数に応じてステップＳ５２３の処理で背景を異ならせ、ステップＳ５２３の処理で当該背景をチャンスモードで引き継がせる）ことを特徴とする。
このような構成によれば、第１特定遊技状態の回数（特定演出モードの継続回数）によりメリハリがある演出が可能になり、長時間遊技したときの遊技の興趣を向上させることができる。
【００１１】
（４）上記（３）の遊技機において、
前記特定演出モード継続中に第１特定遊技状態となった回数に対応して、前記特定演出モード中の演出で使用される背景あるいはキャラクタ画像を異ならせて前記特定演出モード中の演出を実行する特定演出モード実行手段（例えば演出制御ＣＰＵ１２０がステップＳ５８５の処理を実行する部分）と、前記第１特殊モード制御手段または前記第２特殊演出モード制御手段によって前記特殊演出モードに制御される前の特定演出モード中の演出で使用されていた前記背景あるいは前記キャラクタ画像の少なくとも一方に対応する演出態様で、前記特殊演出モードの演出を実行する特殊演出モード実行手段（例えば演出制御ＣＰＵ１２０が図５３（Ｍ）に示すようにチャンスモードの背景をバトルモードの背景から引き継がせる部分）と、をさらに備えるように構成されてもよい。
このような構成によれば、特殊演出モードとなったときに、特定演出モードの継続回数を遊技者が認識することが可能となり、特殊演出モード及び特定演出モードにおける遊技の興趣を向上させることができる。
【００１２】
（５）上記（３）または（４）の遊技機において、
前記特定演出モード継続中に第１特定遊技状態となった回数に対応する特定演出モード継続回数を更新しながら報知する特定演出モード継続回数報知手段（例えばＣＰＵ１０３がステップＳ３０１、Ｓ３１０の処理で更新したバトル勝利回数カウンタの値を演出制御ＣＰＵ１２０がバトル勝利回数表示領域５Ｗに表示する部分）を備え、前記特定演出モード継続回数報知手段は、前記特定演出モード中に前記第２特定遊技状態または前記第３特定遊技状態となって制御された前記特殊演出モード中に前記第１特定遊技状態となった場合、当該第１特定遊技状態の終了後に制御される特定演出モード中にて、前記特定演出モード継続回数を前回の特定演出モードから続けて更新報知する（例えばＣＰＵ１０３がバトル勝利回数カウンタの値をステップＳ３１０の処理で０に更新するまでステップＳ３０１の処理で１加算する）ように構成されてもよい。
このような構成によれば、特定演出モード継続回数が多く報知される機会が増え、遊技の興趣を向上させることができる。
【００１３】
（６）上記（３）から（５）のいずれかの遊技機において、
前記第２特殊演出モード制御手段により前記特殊演出モードに制御された後、前記装飾可変表示装置において所定回数の可変表示が実行されたときに前記高確率状態であることを報知する高確率状態報知手段（例えばＣＰＵ１０３がステップＳ３１６の処理でモードフラグ切換設定用データ２０１に基づきモードフラグを"３"に切り換える部分、演出制御ＣＰＵ１２０が図６１（４）に示す演出を実行する部分）を備えるように構成されてもよい。
このような構成によれば、特殊演出モードとなっても高確率状態であることがあるので、特殊演出モードにおける遊技者の期待感を向上させることができる。
【００１４】
（７）上記（３）から（６）のいずれかの遊技機において、
前記特定演出モード中に前記装飾可変表示装置において前記特定遊技状態となるときの可変表示を実行するときに、味方キャラクタ（例えば味方キャラクタＣＨ０）が敵キャラクタ（例えば敵キャラクタＣＨ１、ＣＨ２、ＣＨ３など）と対決する特別演出を実行する特別演出実行手段（例えば演出制御ＣＰＵ１２０がステップＳ５８５の処理で決定した演出制御パターンに基づきＳ１６２の処理を時実行する部分）を備え、前記特別演出実行手段は、前記事前決定手段により前記第１特定遊技状態とすると決定された場合、前記第１特定遊技状態とする前に前記味方キャラクタが前記敵キャラクタに勝つ演出を実行し（例えば図５３（Ｂ）（Ｃ）（Ｆ）（Ｇ）に示す演出を実行し）、前記事前決定手段により前記第２または第３特定遊技状態とすると決定された場合、前記モード終了演出として前記味方キャラクタが前記敵キャラクタに負ける演出を実行する（例えば図５３（Ｊ）〜（Ｌ）に示す演出を実行する）ように構成されてもよい。
このような構成によれば、特別演出を実行することで、モードの移行を遊技者が容易に認識することができる。
【００１５】
（８）上記（３）から（７）のいずれかの遊技機において、
前記事前決定手段によって前記特定遊技状態に制御しない旨の決定がなされたことに基づいて、前記識別情報の可変表示状態を所定のリーチ状態とするか否かを決定するリーチ決定手段（例えばＣＰＵ１０３がステップＳ２６５〜Ｓ２６８の処理を実行する部分）をさらに備え、前記リーチ決定手段は、前記特定演出モード中においては必ずリーチ状態としない旨の決定をする（例えばＣＰＵ１０３がリーチ判定用データ１３２Ｂに基づいてリーチ無しに決定する）ように構成されてもよい。
このような構成によれば、特定演出モード中のリーチ判定や可変表示パターン種別判定の処理負担を軽減できる。また、大当りとならない場合の演出が長時間実行されてしまうことを防止できる。
【図面の簡単な説明】
【００１６】
【図１】パチンコ遊技機の正面図である。
【図２】パチンコ遊技機に搭載された各種の制御基板などを示す構成図である。
【図３】演出モードの移行を説明するための図である。
【図４】演出制御コマンドの内容の一例を示す説明図である。
【図５】主基板の側にてカウントされる乱数値を例示する説明図である。
【図６】変動パターンを例示する図である。
【図７】特図表示結果判定用データの構成例を示す図である。
【図８】大当り種別判定用データの構成例を示す図である。
【図９】リーチ判定用データの構成例を示す図である。
【図１０】変動パターン種別判定用データの構成例を示す図である。
【図１１】変動パターン種別判定用データの構成例を示す図である。
【図１２】変動パターン種別判定用データの構成例を示す図である。
【図１３】変動パターン判定用データの構成例を示す図である。
【図１４】変動パターン判定用データの構成例を示す図である。
【図１５】変動パターン判定用データの構成例を示す図である。
【図１６】遊技制御用データ保持エリアの構成例を示すブロック図である。
【図１７】演出制御基板の側でカウントされる乱数値を例示する説明図である。
【図１８】最終停止図柄決定用データの構成例を示す図である。
【図１９】左右出目判定用データの構成例を示す図である。
【図２０】リーチ図柄決定用データの構成例を示す図である。
【図２１】第３・第４大当り図柄決定用データの構成例を示す図である。
【図２２】予告選択用データの構成例を示す図である。
【図２３】演出制御パターンテーブルの構成例を示す図である。
【図２４】演出制御パターンの構成例を示す図である。
【図２５】演出制御用データ保持エリアの構成例を示す図である。
【図２６】遊技制御用タイマ割込み処理の一例を示すフローチャートである。
【図２７】特別図柄プロセス処理の一例を示すフローチャートである。
【図２８】始動入賞判定処理の一例を示すフローチャートである。
【図２９】特別図柄通常処理の一例を示すフローチャートである。
【図３０】変動パターン設定処理の一例を示すフローチャートである。
【図３１】変動パターン種別判定用データの選択設定を示す図である。
【図３２】特別図柄停止処理の一例を示すフローチャートである。
【図３３】大当り終了処理の一例を示すフローチャートである。
【図３４】モードフラグ切換設定用データの構成例を示す図である。
【図３５】普通図柄プロセス処理の一例を示すフローチャートである。
【図３６】演出制御メイン処理の一例を示すフローチャートである。
【図３７】保留記憶増加表示処理の一例を示すフローチャートである。
【図３８】保留記憶表示における動作例を示す図である。
【図３９】演出制御プロセス処理の一例を示すフローチャートである。
【図４０】変動コマンド受信待ち処理の一例を示すフローチャートである。
【図４１】飾り図柄変動設定処理の一例を示すフローチャートである。
【図４２】リーチ図柄決定処理の一例を示すフローチャートである。
【図４３】演出制御パターン決定処理の一例を示すフローチャートである。
【図４４】予告演出設定処理の一例を示すフローチャートである。
【図４５】バトル演出設定処理の一例を示すフローチャートである。
【図４６】飾り図柄変動中処理の一例を示すフローチャートである。
【図４７】演出制御指令処理の一例を示すフローチャートである。
【図４８】各リーチ態様のリーチ演出を示す図である。
【図４９】各特定演出の表示を示す図である。
【図５０】各特定演出の表示を示す図である。
【図５１】リーチ図柄により大当りとなることが確定するリーチの具体例を示す図である。
【図５２】背景画像の一例を示す図である。
【図５３】実施の形態１における画像表示装置の表示例を示す図である。
【図５４】実施の形態２における画像表示装置の表示例を示す図である。
【図５５】実施の形態２における画像表示装置の表示例を示す図である。
【図５６】実施の形態２における画像表示装置の表示例を示す図である。
【図５７】実施の形態２における画像表示装置の表示例を示す図である。
【図５８】実施の形態２における画像表示装置の表示例を示す図である。
【図５９】実施の形態２における画像表示装置の表示例を示す図である。
【図６０】実施の形態２における画像表示装置の表示例を示す図である。
【図６１】実施の形態２における画像表示装置の表示例を示す図である。
【図６２】実施の形態２の変形例における画像表示装置の表示例を示す図である。
【図６３】図６２に示す変形例における演出制御パターンを決定するためのデータを示す図である。
【図６４】変形例の演出モードの移行を説明するための図である。
【図６５】図６４に示す変形例における画像表示装置の表示例を示す図である。
【図６６】実施の形態３のバトル演出パターン種別判定用データの構成例を示す図である。
【図６７】実施の形態３のバトル演出パターン判定用データの構成例を示す図である。
【図６８】実施の形態３のバトル演出設定処理の一例を示すフローチャートである。
【図６９】実施の形態３のバトルモードにおける画像表示装置の表示例を示す図である。
【図７０】実施の形態３の演出の切り換えを説明するためのタイミングチャートである。
【図７１】実施の形態３のバトルモードにおける画像表示装置の表示例を示す図である。
【図７２】実施の形態３のバトルモードにおける画像表示装置の表示例を示す図である。
【図７３】大当り種別判定用データの構成の変形例を示す図である。
【図７４】変形例における各種の制御基板などの構成例を示す図である。
【発明を実施するための形態】
【００１７】
（実施の形態１）
以下、図面を参照しつつ、本発明の実施の形態１を詳細に説明する。図１は、本実施の形態におけるパチンコ遊技機の正面図であり、主要部材の配置レイアウトを示す。パチンコ遊技機（遊技機）１は、大別して、遊技盤面を構成する遊技盤（ゲージ盤）２と、遊技盤２を支持固定する遊技機用枠（台枠）３とから構成されている。遊技盤２には、ガイドレールによって囲まれた、ほぼ円形状の遊技領域が形成されている。この遊技領域には、遊技媒体としての遊技球が、所定の打球発射装置から発射されて打ち込まれる。
【００１８】
遊技盤２の所定位置（図１に示す例では、遊技領域の右側方）には、第１特別図柄表示装置４Ａと、第２特別図柄表示装置４Ｂとが設けられている。第１特別図柄表示装置４Ａと第２特別図柄表示装置４Ｂはそれぞれ、例えば７セグメントやドットマトリクスのＬＥＤ（発光ダイオード）等から構成され、可変表示ゲームの一例となる特図ゲームにおいて、各々が識別可能な複数種類の識別情報（特別識別情報）である特別図柄（「特図」ともいう）を、変動可能に表示（可変表示）する。例えば、第１特別図柄表示装置４Ａと第２特別図柄表示装置４Ｂはそれぞれ、「０」〜「９」を示す数字や「−」を示す記号等から構成される複数種類の特別図柄を可変表示する。なお、第１特別図柄表示装置４Ａや第２特別図柄表示装置４Ｂにて表示される特別図柄は、「０」〜「９」を示す数字や「−」を示す記号等から構成されるものに限定されず、例えば７セグメントのＬＥＤにおいて点灯させるものと消灯させるものとの組合せを異ならせた複数種類の点灯パターンが、複数種類の特別図柄として予め設定されていればよい。複数種類の特別図柄には、それぞれに対応した図柄番号が付されている。一例として、「０」〜「９」を示す数字それぞれには、「０」〜「９」の図柄番号が付され、「−」を示す記号には、「１０」の図柄番号が付されていればよい。以下では、第１特別図柄表示装置４Ａにより可変表示される特別図柄を「第１特図」ともいい、第２特別図柄表示装置４Ｂにより可変表示される特別図柄を「第２特図」ともいう。
【００１９】
遊技盤２における遊技領域の中央付近には、画像表示装置５が設けられている。画像表示装置５は、例えばＬＣＤ（液晶表示装置）等から構成され、各種の演出画像を表示する表示領域を形成している。画像表示装置５の表示領域では、特図ゲームにおける第１特別図柄表示装置４Ａによる第１特図の可変表示や第２特別図柄表示装置４Ｂによる第２特図の可変表示のそれぞれに対応して、例えば３つといった複数に分割された可変表示部となる飾り図柄表示エリアにて、各々が識別可能な複数種類の識別情報（装飾識別情報）である飾り図柄を可変表示する。この飾り図柄の可変表示も、可変表示ゲームに含まれる。
【００２０】
一例として、画像表示装置５の表示領域には、「左」、「中」、「右」の飾り図柄表示エリア５Ｌ、５Ｃ、５Ｒが配置されている。そして、特図ゲームにおいて第１特別図柄表示装置４Ａによる第１特図の変動と第２特別図柄表示装置４Ｂによる第２特図の変動のいずれかが開始されることに対応して、「左」、「中」、「右」の各飾り図柄表示エリア５Ｌ、５Ｃ、５Ｒにて飾り図柄の変動（例えば上下方向のスクロール表示）が開始される。その後、特図ゲームにおける可変表示結果として確定特別図柄が停止表示されるときに、画像表示装置５における「左」、「中」、「右」の各飾り図柄表示エリア５Ｌ、５Ｃ、５Ｒにて、飾り図柄の可変表示結果となる確定飾り図柄（最終停止図柄）が停止表示される。なお、「左」、「中」、「右」の各飾り図柄表示エリアは、画像表示装置５の表示領域内で移動可能とされ、飾り図柄を縮小あるいは拡大して表示することができるようにしてもよい。
【００２１】
「左」、「中」、「右」の各飾り図柄表示エリア５Ｌ、５Ｃ、５Ｒにて可変表示される飾り図柄には、例えば８種類の図柄（英数字「１」〜「８」あるいは漢数字「一」〜「八」、英文字「Ａ」〜「Ｈ」、所定のモチーフに関連する８個のキャラクタ画像、数字や文字あるいは記号とキャラクタ画像との組合せなど。なお、キャラクタ画像は、例えば人物や動物、これら以外の物体、もしくは、文字などの記号、あるいは、その他の任意の図形を示す飾り画像であればよい。）で構成される。また、こうした８種類の飾り図柄の他に、ブランク図柄（大当り組合せを構成しない図柄）が含まれていてもよい。飾り図柄のそれぞれには、対応する図柄番号が付されている。例えば、「１」〜「８」を示す英数字それぞれに対して、「１」〜「８」の図柄番号が付されている。なお、飾り図柄は８種類に限定されず、大当り組合せやハズレとなる組合せなど適当な数の組合せを構成可能であれば、何種類であってもよい（例えば７種類や９種類など）。
【００２２】
飾り図柄の変動中には、「左」、「中」、「右」の各飾り図柄表示エリア５Ｌ、５Ｃ、５Ｒにおいて、例えば図柄番号が小さいものから大きいものへと順次に上方から下方へと流れるようなスクロール表示が行われ、図柄番号が最大（例えば「８」）である飾り図柄が表示されると、続いて図柄番号が最小（例えば「１」）である飾り図柄が表示される。あるいは、飾り図柄表示エリア５Ｌ、５Ｃ、５Ｒのうち少なくともいずれか１つにおいて、図柄番号が大きいものから小さいものへとスクロール表示を行って、図柄番号が最小である飾り図柄が表示されると、続いて図柄番号が最大である飾り図柄が表示されるようにしてもよい。
【００２３】
加えて、画像表示装置５の表示領域には、始動入賞記憶表示エリア５Ｈが配置されている。始動入賞記憶表示エリア５Ｈでは、可変表示の保留数（特図保留記憶数）を特定可能に表示する保留記憶表示が行われる。ここで、可変表示の保留は、普通入賞球装置６Ａが形成する第１始動入賞口や普通可変入賞球装置６Ｂが形成する第２始動入賞口に遊技球が進入（始動入賞）したことに基づき、特図ゲームや飾り図柄の可変表示といった可変表示ゲームを実行するための始動条件（「実行条件」ともいう）は成立したが、先に成立した開始条件に基づく可変表示ゲームが実行中であることやパチンコ遊技機１が大当り遊技状態に制御されていることなどにより、可変表示ゲームを開始するための開始条件は成立していないときに、発生する。
【００２４】
画像表示装置５の表示領域には、始動入賞記憶表示エリア５Ｈには、始動入賞の発生に基づき先に始動条件が成立した可変表示ゲームから順に左から右へと、表示色が変更される複数の表示部位が設けられている。そして、第１始動入賞口に遊技球が進入したことに基づき第１特別図柄表示装置４Ａにおける第１特図を用いた特図ゲームの始動条件（第１始動条件）が成立したときには、通常非表示（透過色）となっている表示部位のうちの１つ（例えば非表示となっている表示部位のうち左端の表示部位）を青色表示に変化させる。また、第２始動入賞口に遊技球が進入したことに基づき第２特別図柄表示装置４Ｂにおける第２特図を用いた特図ゲームの始動条件（第２始動条件）が成立したときには、通常非表示となっている表示部位のうちの１つを赤色表示に変化させる。その後、第１特図を用いた特図ゲームの開始条件（第１開始条件）と第２特図を用いた特図ゲームの開始条件（第２開始条件）のいずれかが成立したときには、例えば左端の表示部位における表示を除去するとともに、各表示部位における表示を１つずつ左方向に移動させる。このとき、青色表示や赤色表示に変化していた表示部位のうちの１つ（例えば表示色が変化していた表示部位のうち右端の表示部位）は、非表示に戻る。ここで、この実施の形態では、保留記憶表示を行う際に、可変表示ゲームの始動条件が成立したことに基づく特図保留記憶数は特定できたものの、その始動条件が第１始動条件であるか第２始動条件であるかを特定できない場合に、例えば特図保留記憶数に対応する個数の表示部位を灰色に変化させることなどにより、特図保留記憶数の表示態様を所定の表示態様に変更する。
【００２５】
画像表示装置５の表示領域には、始動入賞記憶表示エリア５Ｈの左側方には、変動中特図表示エリア５Ｉが設けられている。第１始動入賞口に遊技球が進入したことに基づき第１特別図柄表示装置４Ａにおける第１特図を用いた特図ゲームの実行中に変動中特図表示エリア５Ｉを青色表示にする。また、第２始動入賞口に遊技球が進入したことに基づき第２特別図柄表示装置４Ｂにおける第２特図を用いた特図ゲームの実行中に変動中図柄表示エリア５Ｉを赤色表示にする。即ち、第１または第２開始条件の成立とともに、始動入賞記憶表示エリア５Ｈから除去された表示がこの始動入賞記憶表示エリア５Ｈに表示されることとなる。この、変動中特図表示エリア５Ｉの表示により、遊技者は第１特別図柄表示装置４Ａまたは第２特別図柄表示装置４Ｂのいずれで特図ゲームが実行されているかを把握することができる。
【００２６】
また、図１に示す例では、始動入賞記憶表示エリア５Ｈとともに、第１特別図柄表示装置４Ａ及び第２特別図柄表示装置４Ｂの上部に、特図保留記憶数を特定可能に表示するための第１保留表示器２５Ａと第２保留表示器ＬＥＤ２５Ｂとが設けられている。第１保留表示器２５Ａは、普通入賞球装置６Ａが形成する第１始動入賞口に進入した有効始動入賞球数としての第１保留記憶数を特定可能に表示する。第２保留表示器２５Ｂは、普通可変入賞球装置６Ｂが形成する第２始動入賞口に進入した有効始動入賞球数としての第２保留記憶数を特定可能に表示する。第１保留表示器２５Ａと第２保留表示器２５Ｂはそれぞれ、例えば第１保留記憶数と第２保留記憶数のそれぞれにおける上限値（例えば「４」）に対応した個数（例えば４個）のＬＥＤを含んで構成されている。
【００２７】
また、画像表示装置５の表示領域には、変動開始時保留数表示エリア５Ａが配置されている。変動開始時保留数表示エリア５Ａは、第１特図または第２特図による特図ゲームの変動開始時の特図保留記憶数を示す数字を表示する。この実施の形態では、第１保留記憶数と第２保留記憶数との合計である合計保留記憶数を表示する。変動開始時保留数表示エリア５Ａの表示により、特図ゲームの変動開始時の特図保留記憶数を遊技者等が認識できるようになる。
【００２８】
画像表示装置５の下方には、普通入賞球装置６Ａと、普通可変入賞球装置６Ｂとが設けられている。普通入賞球装置６Ａは、例えば所定の玉受部材によって常に一定の開放状態に保たれる第１始動入賞口を形成する。普通可変入賞球装置６Ｂは、所定の普通電動役物用ソレノイドによって垂直位置となる通常開放状態と傾動位置となる拡大開放状態とに変化する一対の可動翼片を有する電動チューリップ型役物（普通電動役物）を備え、第２始動入賞口を形成する。一例として、普通可変入賞球装置６Ｂでは、普通電動役物用ソレノイドがオフ状態であるときに可動翼片が垂直位置となることにより、遊技球が第２始動入賞口に進入しにくい通常開放状態となる。その一方で、普通可変入賞球装置６Ｂでは、普通電動役物用ソレノイドがオン状態であるときに可動翼片が傾動位置となることにより、遊技球が第２始動入賞口に進入しやすい拡大開放状態となる。なお、普通可変入賞球装置６Ｂは、通常開放状態であるときでも、第２始動入賞口には遊技球が進入可能であるものの、拡大開放状態であるときよりも遊技球が進入する可能性が低くなるように構成してもよい。あるいは、普通可変入賞球装置６Ｂは、通常開放状態において、例えば第２始動入賞口を閉鎖することなどにより、第２始動入賞口には遊技球が進入しないように構成してもよい。
【００２９】
普通入賞球装置６Ａに形成された第１始動入賞口に進入した遊技球は、例えば図２に示す第１始動口スイッチ２２Ａによって検出される。普通可変入賞球装置６Ｂに形成された第２始動入賞口に進入した遊技球は、例えば図２に示す第２始動口スイッチ２２Ｂによって検出される。第１始動口スイッチ２２Ａによって遊技球が検出されたことに基づき、所定個数（例えば３個）の遊技球が賞球として払い出され、第１保留記憶数が所定の上限値（例えば「４」）以下であれば、第１始動条件が成立する。第２始動口スイッチ２２Ｂによって遊技球が検出されたことに基づき、所定個数（例えば３個）の遊技球が賞球として払い出され、第２保留記憶数が所定の上限値以下であれば、第２始動条件が成立する。なお、第１始動口スイッチ２２Ａによって遊技球が検出されたことに基づいて払い出される賞球の個数と、第２始動口スイッチ２２Ｂによって遊技球が検出されたことに基づいて払い出される賞球の個数は、互いに同一の個数であってもよいし、異なる個数であってもよい。
【００３０】
普通入賞球装置６Ａと普通可変入賞球装置６Ｂの下方には、特別可変入賞球装置７が設けられている。特別可変入賞球装置７は、所定の大入賞口扉用ソレノイドによって開閉駆動される大入賞口扉を備え、その大入賞口扉によって開放状態と閉鎖状態とに変化する大入賞口を形成する。一例として、特別可変入賞球装置７では、大入賞口扉用ソレノイドがオフ状態であるときに大入賞口扉が大入賞口を閉鎖状態にする。その一方で、特別可変入賞球装置７では、大入賞口扉用ソレノイドがオン状態であるときに大入賞口扉が大入賞口を開放状態にする。特別可変入賞球装置７に形成された大入賞口に進入した遊技球は、例えば図２に示すカウントスイッチ２３によって検出される。カウントスイッチ２３によって遊技球が検出されたことに基づき、所定個数（例えば１５個）の遊技球が賞球として払い出される。
【００３１】
遊技盤２の所定位置（図１に示す例では、遊技領域の左側方）には、普通図柄表示器２０が設けられている。一例として、普通図柄表示器２０は、第１特別図柄表示装置４Ａや第２特別図柄表示装置４Ｂと同様に７セグメントやドットマトリクスのＬＥＤ等から構成され、特別図柄とは異なる複数種類の識別情報である普通図柄（「普図」あるいは「普通図」ともいう）を変動可能に表示（可変表示）する。このような普通図柄の可変表示は、普図ゲーム（「普通図ゲーム」ともいう）と称される。普通図柄表示器２０は、例えば「０」〜「９」を示す数字や「−」を示す記号等から構成される複数種類の普通図柄を可変表示する。複数種類の普通図柄には、それぞれに対応した図柄番号が付されている。一例として、「０」〜「９」を示す数字それぞれには、「０」〜「９」の図柄番号が付され、「−」を示す記号には、「１０」の図柄番号が付されていればよい。なお、普通図柄表示器２０は、「０」〜「９」を示す数字や「−」を示す記号等を普通図柄として可変表示するものに限定されず、例えば「○」と「×」とを示す装飾ランプ（またはＬＥＤ）を交互に点灯させることや、「左」、「中」、「右」といった複数の装飾ランプ（またはＬＥＤ）を所定順序で点灯させることにより、普通図柄を可変表示するものであってもよい。普通図柄表示器２０の上方には、普図保留表示器２５Ｃが設けられている。普図保留表示器２５Ｃは、例えば４個のＬＥＤを含んで構成され、通過ゲート４１を通過した有効通過球数としての普図保留記憶数を表示する。
【００３２】
遊技盤２の表面には、上記の構成以外にも、遊技球の流下方向や速度を変化させる風車及び多数の障害釘が設けられている。また、第１始動入賞口、第２始動入賞口及び大入賞口とは異なる入賞口として、例えば所定の玉受部材によって常に一定の開放状態に保たれる一般入賞口が１つ又は複数設けられてもよい。この場合には、一般入賞口のいずれかに進入した遊技球が所定の一般入賞球スイッチによって検出されたことに基づき、所定個数（例えば１０個）の遊技球が賞球として払い出されればよい。遊技領域の最下方には、いずれの入賞口にも進入しなかった遊技球が取り込まれるアウト口が設けられている。遊技機用枠３の左右上部位置には、効果音等を再生出力するためのスピーカ８Ｌ、８Ｒが設けられており、さらに遊技領域周辺部には、遊技効果ランプ９が設けられている。パチンコ遊技機１の遊技領域における各構造物（例えば普通入賞球装置６Ａ、普通可変入賞球装置６Ｂ、特別可変入賞球装置７等）の周囲には、装飾用ＬＥＤが配置されていてもよい。
【００３３】
遊技機用枠３の右下部位置には、遊技媒体としての遊技球を遊技領域に向けて発射するために遊技者等によって操作される打球操作ハンドル（操作ノブ）が設けられている。例えば、打球操作ハンドルは、遊技者等による操作量（回転量）に応じて遊技球の弾発力を調整する。打球操作ハンドルには、打球発射装置が備える発射モータの駆動を停止させるための単発発射スイッチや、タッチリング（タッチセンサ）が設けられていればよい。遊技領域の下方における遊技機用枠３の所定位置には、賞球として払い出された遊技球や所定の球貸機により貸し出された遊技球を、打球発射装置へと供給可能に保持（貯留）する上皿が設けられている。例えば上皿の上面における手前側の所定位置には、押下操作などにより遊技者が操作可能な操作ボタン３０が設置されている。この操作ボタン３０は、押下可能であるとともに、回動可能なジョグダイアルになっている。
【００３４】
普通図柄表示器２０による普図ゲームは、遊技領域に設けられた通過ゲート４１を通過した遊技球が図２に示すゲートスイッチ２１によって検出されたことといった、普通図柄表示器２０にて普通図柄の可変表示を実行するための普図始動条件が成立した後に、例えば前回の普図ゲームが終了したことといった、普通図柄の可変表示を開始するための普図開始条件が成立したことに基づいて、開始される。この普図ゲームでは、普通図柄の変動を開始させた後、所定時間が経過すると、普通図柄の可変表示結果となる確定普通図柄を停止表示（導出表示）する。このとき、確定普通図柄として、例えば「７」を示す数字といった、特定の普通図柄（普図当り図柄）が停止表示されれば、普通図柄の可変表示結果が「普図当り」となる。その一方、確定普通図柄として、例えば「７」を示す数字以外の数字や記号といった、普図当り図柄以外の普通図柄が停止表示されれば、普通図柄の可変表示結果が「普図ハズレ」となる。普通図柄の可変表示結果が「普図当り」となったことに対応して、普通可変入賞球装置６Ｂを構成する電動チューリップの可動翼片が傾動位置となる拡大開放制御が行われ、所定時間が経過すると垂直位置に戻る通常開放制御が行われる。
【００３５】
第１特別図柄表示装置４Ａによる特図ゲームは、普通入賞球装置６Ａに形成された第１始動入賞口に進入した遊技球が図２に示す第１始動口スイッチ２２Ａによって検出されたことなどにより第１始動条件が成立した後に、例えば前回の特図ゲームや大当り遊技状態が終了したことなどにより第１開始条件が成立したことに基づいて、開始される。第２特別図柄表示装置４Ｂによる特図ゲームは、普通可変入賞球装置６Ｂに形成された第２始動入賞口に進入した遊技球が図２に示す第２始動口スイッチ２２Ｂによって検出されたことなどにより第２始動条件が成立した後に、例えば前回の特図ゲームや大当り遊技状態が終了したことなどにより第２開始条件が成立したことに基づいて、開始される。
【００３６】
第１特別図柄表示装置４Ａや第２特別図柄表示装置４Ｂによる特図ゲームでは、特別図柄の可変表示を開始させた後、所定時間が経過すると、特別図柄の可変表示結果となる確定特別図柄を停止表示（導出表示）する。このとき、確定特別図柄として特定の特別図柄（大当り図柄）が停止表示されれば、特定表示結果としての「大当り」となり、大当り図柄以外の特別図柄が停止表示されれば「ハズレ」となる。特図ゲームでの可変表示結果が「大当り」になった後には、特定遊技状態としての大当り遊技状態に制御される。この実施の形態におけるパチンコ遊技機１では、一例として、「１」、「３」、「５」、「７」を示す数字を大当り図柄とし、「−」を示す記号をハズレ図柄としている。なお、第１特別図柄表示装置４Ａによる特図ゲームにおける大当り図柄、ハズレ図柄といった各図柄は、第２特別図柄表示装置４Ｂによる特図ゲームにおける各図柄とは異なる特別図柄となるようにしてもよいし、双方の特図ゲームにおいて共通の特別図柄が大当り図柄、ハズレ図柄となるようにしてもよい。
【００３７】
この実施の形態では、大当り図柄となる「１」、「３」、「５」、「７」の数字を示す特別図柄のうち、「７」の数字を示す特別図柄を１５ラウンド大当り図柄とし、「３」の数字を示す特別図柄を７ラウンド大当り図柄とし、「１」、「５」の数字を示す特別図柄を２ラウンド大当り図柄とする。特図ゲームにおける確定特別図柄として１５ラウンド大当り図柄が停止表示された後に制御される第１特定遊技状態としての大当り遊技状態（１５ラウンド大当り状態）では、特別可変入賞球装置７の開閉板が、第１期間となる所定期間（例えば２９秒間）あるいは所定個数（例えば１０個）の入賞球が発生するまでの期間にて大入賞口を開放状態とすることにより、特別可変入賞球装置７を遊技者にとって有利な第１状態に変化させるラウンドが実行される。こうしてラウンド中に大入賞口を開放状態とした開閉板は、遊技盤２の表面を落下する遊技球を受け止め、その後に大入賞口を閉鎖状態とすることにより、特別可変入賞球装置７を遊技者にとって不利な第２状態に変化させて、１回のラウンドを終了させる。１５ラウンド大当り状態では、大入賞口の開放サイクルであるラウンドの実行回数が、第１ラウンド数（例えば「１５」）となる。ラウンドの実行回数が「１５」となる１５ラウンド大当り状態における遊技は、１５回開放遊技とも称される。このような１５ラウンド大当り状態では、大入賞口に遊技球が入賞するたびに１５個の出玉が得られる。
【００３８】
特図ゲームにおける確定特別図柄として７ラウンド大当り図柄が停止表示された後に制御される大当り遊技状態（７ラウンド大当り状態）では、特別可変入賞球装置７の開閉板が、第１期間となる所定期間（例えば２９秒間）あるいは所定個数（例えば１０個）の入賞球が発生するまでの期間にて大入賞口を開放状態とすることにより、特別可変入賞球装置７を遊技者にとって有利な第１状態に変化させるラウンドが実行される。こうしてラウンド中に大入賞口を開放状態とした開閉板は、遊技盤２の表面を落下する遊技球を受け止め、その後に大入賞口を閉鎖状態とすることにより、特別可変入賞球装置７を遊技者にとって不利な第２状態に変化させて、１回のラウンドを終了させる。７ラウンド大当り状態では、大入賞口の開放サイクルであるラウンドの実行回数が、１５ラウンド大当り状態における第１ラウンド数よりも少ない第２ラウンド数（例えば「７」）となる。ラウンドの実行回数が「７」となる７ラウンド大当り状態における遊技は、７回開放遊技とも称される。このような７ラウンド大当り状態では、大入賞口に遊技球が入賞するたびに１５個の出玉が得られる。
【００３９】
特図ゲームにおける確定特別図柄として２ラウンド大当り図柄が停止表示された後に制御される第２特定遊技状態または第３特定遊技状態としての大当り遊技状態（２ラウンド大当り状態）では、各ラウンドで特別可変入賞球装置７を遊技者にとって有利な第１状態に変化させる期間（開閉板により大入賞口を開放状態とする期間）が、１５ラウンド大当り状態における第１期間よりも短い第２期間（例えば０．５秒間）となる。また、２ラウンド大当り状態では、ラウンドの実行回数が、７ラウンド大当り状態における第２ラウンド数よりも少ない第３ラウンド数（例えば「２」）となる。なお、２ラウンド大当り状態では、ラウンドの実行回数が第３ラウンド数となるように制御されればよく、それ以外の制御は１５ラウンド大当り状態や７ラウンド大当り状態と同様に行われるようにしてもよい。ラウンドの実行回数が「２」となる２ラウンド大当り状態における遊技は、２回開放遊技とも称される。なお、２ラウンド大当り状態では、各ラウンドで特別可変入賞球装置７とは別個に設けられた所定の入賞球装置を、遊技者にとって不利な第２状態から遊技者にとって有利な第１状態に変化させ、所定期間（第１期間または第２期間）が経過した後に第２状態へと戻すようにしてもよい。このような２ラウンド大当り状態では、大入賞口に遊技球が入賞すれば１５個の出玉が得られるが、大入賞口の開放期間が第２期間（０．５秒間）であって、非常に短い。そのため、２ラウンド大当り状態は実質的には出玉が得られない大当り遊技状態である。
【００４０】
また、２ラウンド大当り図柄となる「１」、「５」の数字を示す特別図柄のうち、「１」の数字を示す特別図柄が特図ゲームにおける確定特別図柄として停止表示されたことに基づく２ラウンド大当り状態が終了した後には、特別遊技状態の１つとして、通常状態に比べて特図ゲームにおける特別図柄の変動時間（特図変動時間）が短縮される時短状態に制御される。ここで、通常状態とは、大当り遊技状態等の特定遊技状態や時短状態等の特別遊技状態以外の遊技状態のことであり、パチンコ遊技機１の初期設定状態（例えばシステムリセットが行われた場合のように、電源投入後に初期化処理を実行した状態）と同一の制御が行われる。時短状態は、所定回数（例えば３０回）の特図ゲームが実行されることと、可変表示結果が「大当り」となることのうち、いずれかの条件が先に成立したときに、終了すればよい。こうした「１」の数字を示す特別図柄のように、特図ゲームにおける確定特別図柄として停止表示されたことに基づく大当り遊技状態が終了した後に時短状態に制御される２ラウンド大当り図柄は、第４大当り図柄（「２ラウンド非確変大当り図柄」ともいう）と称される。
【００４１】
１５ラウンド大当り図柄となる「７」の数字を示す特別図柄、７ラウンド大当り図柄となる「３」、及び、２ラウンド大当り図柄となる「１」、「５」の数字を示す特別図柄のうち、「５」の数字を示す特別図柄の数字を示す特別図柄が特図ゲームにおける確定特別図柄として停止表示されたことに基づく大当り状態が終了した後には、時短状態とは異なる特別遊技状態の１つとして、例えば通常状態（通常確率状態）に比べて特図変動時間が短縮されるとともに、継続して確率変動制御（確変制御）が行われる確変状態（高確率状態）に制御される。この確変状態では、各特図ゲームや飾り図柄の可変表示において、可変表示結果が「大当り」となって更に大当り遊技状態に制御される確率が、通常状態よりも高くなるように向上する。このような確変状態は、特図ゲームの実行回数にかかわりなく、次に可変表示結果が「大当り」となるまで継続する。こうした「７」の数字を示す特別図柄のように、特図ゲームにおける確定特別図柄として停止表示されたことに基づく大当り遊技状態が終了した後に確変状態に制御される１５ラウンド大当り図柄は、第１大当り図柄（「１５ラウンド確変大当り図柄」ともいう）と称される。また「３」の数字を示す特別図柄のように、特図ゲームにおける確定特別図柄として停止表示されたことに基づく大当り遊技状態が終了した後に確変状態に制御される７ラウンド大当り図柄は、第２大当り図柄（「７ラウンド確変大当り図柄」ともいう）と称される。また「７」の数字を示す特別図柄のように、特図ゲームにおける確定特別図柄として停止表示されたことに基づく大当り遊技状態が終了した後に確変状態に制御される２ラウンド大当り図柄は、第３大当り図柄（「２ラウンド確変大当り図柄」ともいう）と称される。なお、１５ラウンド大当り図柄「７」、７ラウンド大当り図柄「３」、２ラウンド大当り図柄「１」「５」は一例であり、各大当り図柄はこれらに限定されない。例えば、遊技者に大当り図柄であることや、大当り種別を認識されないようにするために、大当り図柄を数字とせずに予め定められた記号（例えば「コ」など）にしてもよい。
【００４２】
確変状態や時短状態では、普通図柄表示器２０による普図ゲームにおける普通図柄の変動時間（普図変動時間）を通常状態のときよりも短くする制御や、各回の普図ゲームで普通図柄の可変表示結果が「普図当り」となる確率を通常状態のときよりも向上させる制御、可変表示結果が「普図当り」となったことに基づく普通可変入賞球装置６Ｂにおける可動翼片の傾動時間を通常状態のときよりも長くする制御、その傾動回数を通常状態のときよりも増加させる制御といった、第２始動入賞口に遊技球が進入する可能性を高めて第２始動条件が成立しやすくなることで遊技者にとって有利となる制御が行われる。なお、確変状態や時短状態では、これらの制御のいずれか１つが行われるようにしてもよいし、複数の制御が組み合わせられて行われるようにしてもよい。即ち、確変状態と時短状態とでは、確変状態では確率変動制御（確変制御）が行われる以外の制御は同様である。従って、遊技者が制御の態様をから確変状態であるか時短状態であるかを判別することは困難となる。
【００４３】
パチンコ遊技機１は、画像表示装置５などにおける演出態様が異なる複数の演出モードを備えている。即ち、「バトルモード」、「チャンスモード」、「激アツモード」、「通常モード」を備えている。「通常モード」は、画像表示装置５の「左」、「中」、「右」の各飾り図柄表示エリア５Ｌ、５Ｃ、５Ｒにて飾り図柄の変動を行う演出モードである。「バトルモード」は、画像表示装置５にて複数のキャラクタが戦う（バトルを行う）演出（バトル演出）を実行する演出モードである。例えば、可変表示結果が「大当り」となって所定の味方キャラクタが、複数用意される敵キャラクタのいずれかと戦うバトル演出が実行される。「チャンスモード」や「激アツモード」では、画像表示装置５にて味方キャラクタによる演出が実行され、「バトルモード」への移行を示唆する演出などが実行される。これらのモードは、大当り遊技状態が終了したときなどに、現在の演出モードや大当り種別に応じて切り替わる。
【００４４】
図３は、演出モードの移行を説明するための図である。図３に示すように、全ての演出モードにおいて、第１大当り図柄または第２大当り図柄が停止表示されると、大当り遊技状態に移行し、その後「バトルモード」になる。即ち、「バトルモード」中は確変状態である。「通常モード」において、第３大当り図柄または第４大当り図柄が停止表示されると２ラウンド大当り遊技状態を経て「チャンスモード」に移行する。「チャンスモード」中は、時短状態（第４大当り後）もしくは確変状態（第３大当り後）である。「チャンスモード」中は、時短状態であるか確変状態であるかを遊技者が認識することはできない。
【００４５】
「チャンスモード」において、第３大当り図柄または第４大当り図柄が停止表示されると「チャンスモード」が継続する。「チャンスモード」において、特図ゲームが３０回実行されると、時短状態であった場合は、時短状態を終了するとともに「通常モード」へ移行する。一方、確変状態であった場合は、「激アツモード」に移行する。「チャンスモード」から「激アツモード」に移行したことにより、遊技者は確変状態となっていることを認識できる。
【００４６】
「激アツモード」において、第４大当り図柄が停止表示されると、「チャンスモード」に移行する。「激アツモード」において、第３大当り図柄が停止表示されると、「激アツモード」が継続する。
【００４７】
「バトルモード」において、第４大当り図柄が停止表示されると、「チャンスモード」に移行する。「バトルモード」において、第３大当り図柄が停止表示されると、「チャンスモード」に移行するか、または「バトルモード」が継続する。このように、「バトルモード」から「チャンスモード」に移行した場合であっても、確変状態である場合があるので、遊技者の期待感を向上させることができる。
【００４８】
なお、各演出モードは、図１６に示す遊技制御フラグ設定部１５２に設けられたモードフラグにより管理される。即ち、通常モードのときはモードフラグの値が"０"となり、バトルモードのときはモードフラグの値が"１"となり、チャンスモードのときはモードフラグの値が"２"となり、激アツモードのときはモードフラグの値が"３"となる。
【００４９】
「通常モード」における画像表示装置５の表示領域では、第１特別図柄表示装置４Ａや第２特別図柄表示装置４Ｂによる特別図柄の可変表示に対応して、飾り図柄の可変表示が行われる。すなわち、画像表示装置５の表示領域では、第１開始条件と第２開始条件のいずれか一方が成立したことに基づいて、「左」、「中」、「右」の各飾り図柄表示エリア５Ｌ、５Ｃ、５Ｒにて飾り図柄の変動を開始させ、例えば「左」→「右」→「中」といった所定順序で飾り図柄の可変表示結果となる確定飾り図柄を停止表示（導出表示）する。なお、確定飾り図柄を停止表示する手順としては、「左」、「中」、「右」の飾り図柄表示エリア５Ｌ、５Ｃ、５Ｒにおいて所定順序で飾り図柄を停止表示するものに限定されず、「左」、「中」、「右」の各飾り図柄表示エリア５Ｌ、５Ｃ、５Ｒにおいて同時に確定飾り図柄となる飾り図柄を停止表示するものが含まれていてもよい。
【００５０】
飾り図柄の可変表示が開始されてから「左」、「中」、「右」の各飾り図柄表示エリア５Ｌ、５Ｃ、５Ｒにおける確定飾り図柄の停止表示により可変表示が終了するまでの期間では、飾り図柄の可変表示状態が所定のリーチ態様（「リーチパターン」ともいう）となることがある。ここで、リーチ態様とは、画像表示装置５の表示領域にて停止表示された飾り図柄が大当り組合せの一部を構成しているときに未だ停止表示されていない飾り図柄（「リーチ変動図柄」ともいう）については変動が継続している表示状態、あるいは、全部または一部の飾り図柄が大当り組合せの全部または一部を構成しながら同期して変動している表示状態のことである。具体的には、「左」、「中」、「右」の飾り図柄表示エリア５Ｌ、５Ｃ、５Ｒにおける一部（例えば「左」及び「右」の飾り図柄表示エリア５Ｌ、５Ｒなど）では予め定められた大当り組合せを構成する飾り図柄（例えば「７」の英数字を示す飾り図柄）が停止表示されているときに未だ停止表示していない残りの飾り図柄表示エリア（例えば「中」の飾り図柄表示エリア５Ｃなど）では飾り図柄が変動している表示状態、あるいは、「左」、「中」、「右」の飾り図柄表示エリア５Ｌ、５Ｃ、５Ｒにおける全部または一部で飾り図柄が大当り組合せの全部または一部を構成しながら同期して変動している表示状態である。また、リーチ態様となったことに対応して、画像表示装置５の表示領域に飾り図柄とは異なるキャラクタ画像（人物等を模した演出画像）を表示させたり、背景画像の表示態様を変化させたり、飾り図柄の変動態様を変化させたりすることがある。このようなキャラクタ画像の表示や背景画像の表示態様の変化、飾り図柄の変動態様の変化を、リーチ演出表示（あるいは単にリーチ演出）という。リーチ演出を伴わないリーチをノーマルリーチといい、リーチ演出を伴うリーチ態様をスーパーリーチという。この実施の形態では、リーチ態様としてリーチＡ（ノーマルリーチ）、リーチＢ（スーパーリーチ１）、リーチＣ（スーパーリーチ２）、リーチＤ（スーパーリーチ３）の４種類用意されている（図４８リーチＡ〜Ｄ参照）。それぞれのリーチ態様では「大当り」となる可能性（「信頼度」ともいう）が異なる。また、この実施の形態では、合計保留記憶数に応じて各リーチ態様の信頼度が変化する。なお、例えば図４８のリーチＤにおいて、図４８（Ｆ２）のようにキャラクタ画像の表示が行われた後、可変表示結果が導出表示されるときに、導出表示結果が「大当り」であるか「ハズレ」であるかによって導出表示時などにキャラクタの表情（大当り時：喜ぶ、ハズレ時：悲しむ）が変化することがあるが、この実施の形態では、リーチ態様時に図４８（Ｆ２）のように同一のリーチ演出を行うものを同一のリーチ態様として扱う。リーチ演出表示では、飾り図柄の変動は画像表示装置５の表示領域に設けられた飾り図柄表示エリア５Ｍにて実行される。例えば、表示領域の隅に設けられた飾り図柄表示エリア５Ｍにて、ノーマルリーチのときよりも小さいサイズの飾り図柄の変動が実行されるようにすればよい。
【００５１】
特図ゲームにおける確定特別図柄として、ハズレ図柄となる特別図柄が停止表示される場合には、飾り図柄の可変表示が開始されてから、飾り図柄の可変表示状態がリーチ態様とならずに、所定の非リーチ組合せとなる確定飾り図柄が停止表示されることがある。このような飾り図柄の可変表示態様は、可変表示結果が「ハズレ」となる場合における「非リーチ」（「リーチ無しハズレ」ともいう）の可変表示態様と称される。
【００５２】
特図ゲームにおける確定特別図柄として、ハズレ図柄となる特別図柄が停止表示される場合には、飾り図柄の可変表示が開始されてから、飾り図柄の可変表示状態がリーチ態様となったことに対応して、リーチ演出が実行された後に、あるいは、リーチ演出が実行されずに、所定のリーチハズレ組合せとなる確定飾り図柄が停止表示されることがある。このような飾り図柄の可変表示結果は、可変表示結果が「ハズレ」となる場合における「リーチ」（「リーチハズレ」ともいう）の可変表示態様と称される。
【００５３】
また、飾り図柄の可変表示中には、リーチ演出とは異なり、飾り図柄の可変表示状態がリーチ状態となる可能性があることや、可変表示結果が「大当り」となる可能性があることを、飾り図柄の可変表示態様などにより遊技者に報知するための特定演出が実行されることがある。例えば「滑り」、「擬似連」、「イントロ」、「発展チャンス目」、「発展チャンス目終了」といった特定演出が実行可能に設定される。
【００５４】
「滑り」の特定演出では、「左」、「中」、「右」の飾り図柄表示エリア５Ｌ、５Ｃ、５Ｒにおける全部にて飾り図柄を変動させてから、２つ以上の飾り図柄表示エリア（例えば「左」及び「右」の飾り図柄表示エリア５Ｌ、５Ｒなど）にて飾り図柄を仮停止表示させた後、その仮停止表示した飾り図柄表示エリアのうち所定数（例えば「１」または「２」）の飾り図柄表示エリア（例えば「左」の飾り図柄表示エリア５Ｌと「右」の飾り図柄表示エリア５Ｒのいずれか一方または双方）にて飾り図柄を再び変動させた後に停止表示させることで、停止表示する飾り図柄を変更させる演出表示が行われる。なお、仮停止表示では、飾り図柄が停留して表示される一方で、例えば揺れ変動表示を行うことや短時間の停留だけで直ちに飾り図柄を再変動させることなどによって、遊技者に停止表示された飾り図柄が確定しない旨を報知すればよい。あるいは、仮停止表示でも、停止表示された飾り図柄が確定したと遊技者が認識する程度に飾り図柄を停留させてから、飾り図柄を再変動させるようにしてもよい。
【００５５】
「擬似連」の特定演出では、特図ゲームの第１開始条件と第２開始条件のいずれか一方が１回成立したことに基づき、「左」、「中」、「右」の飾り図柄表示エリア５Ｌ、５Ｃ、５Ｒにおける全部にて飾り図柄を変動させてから、全部の飾り図柄表示エリア５Ｌ、５Ｃ、５Ｒにて飾り図柄を仮停止表示させた後、全部の飾り図柄表示エリア５Ｌ、５Ｃ、５Ｒにて飾り図柄を再び変動（擬似連変動）させる演出表示を、所定回（例えば最大４回まで）行うことができる。一例として、「擬似連」の特定演出では、「左」、「中」、「右」の飾り図柄表示エリア５Ｌ、５Ｃ、５Ｒにて、予め定められた擬似連チャンス目を構成する飾り図柄が仮停止表示される。ここで、「左図柄」は「左」の飾り図柄表示エリア５Ｌに表示（停止表示または仮停止表示）される飾り図柄であり、「中図柄」は「中」の飾り図柄表示エリア５Ｃに表示される飾り図柄であり、「右図柄」は「右」の飾り図柄表示エリア５Ｒに表示される飾り図柄である。なお、擬似連チャンス目は、特殊組合せに含まれる飾り図柄の組合せとして、予め定められていればよい。
【００５６】
「イントロ」の特定演出では、「左」、「中」、「右」の各飾り図柄表示エリア５Ｌ、５Ｃ、５Ｒにおける全部にて飾り図柄を変動させてから、全部の飾り図柄表示エリア５Ｌ、５Ｃ、５Ｒにて確定飾り図柄が停止表示（最終停止表示）される以前に、例えばリーチ演出にて行われる演出表示の導入部分といった、所定の演出表示が行われる。
【００５７】
「発展チャンス目」の特定演出では、「左」、「中」、「右」の各飾り図柄表示エリア５Ｌ、５Ｃ、５Ｒにおける全部にて飾り図柄を変動させてから、全部の飾り図柄表示エリア５Ｌ、５Ｃ、５Ｒにて、予め定められた特殊組合せに含まれる発展チャンス目を構成する飾り図柄を仮停止表示させた後、飾り図柄の可変表示状態をリーチ状態として所定のリーチ演出が開始される。一例として、「発展チャンス目」の特定演出では、「左」、「中」、「右」の飾り図柄表示エリア５Ｌ、５Ｃ、５Ｒにて、予め定められた発展チャンス目を構成する飾り図柄が仮停止表示される。そのため、発展チャンス目が仮停止表示されることにより、飾り図柄の可変表示状態がリーチ状態となることや、リーチ状態となった後に可変表示結果が「大当り」となることに対する、遊技者の期待感が高められる。
【００５８】
「発展チャンス目終了」の特定演出では、「左」、「中」、「右」の各飾り図柄表示エリア５Ｌ、５Ｃ、５Ｒにおける全部にて飾り図柄を変動させてから、全部の飾り図柄表示エリア５Ｌ、５Ｃ、５Ｒにて、発展チャンス目として予め定められた組合せの飾り図柄を、確定飾り図柄として停止表示（最終停止表示）させる演出表示が行われる。一例として、「発展チャンス目終了」の特定演出では、「発展チャンス目」の特定演出で仮停止表示される発展チャンス目が、確定飾り図柄として停止表示される。
【００５９】
「バトルモード」における画像表示装置５の表示領域では、上述した通常モードのような「左」、「中」、「右」の各飾り図柄表示エリア５Ｌ、５Ｃ、５Ｒにおける飾り図柄の変動や、通常モード（低確率状態）で実行されるようなリーチ演出、特定演出は実行されない。「バトルモード」では、飾り図柄の変動は画像表示装置５の表示領域に設けられた飾り図柄表示エリア５Ｍにて実行される。例えば、表示領域の隅に設けられた飾り図柄表示エリア５Ｍにて、「通常モード」よりも小さいサイズの飾り図柄の変動が実行されるようにすればよい。また、「バトルモード」では、画像表示装置５の表示領域に、味方キャラクタと複数の敵キャラクタを表示させ、「大当り」となるときに味方キャラクタと敵キャラクタが戦うバトル演出を実行する。例えば、「バトルモード」中に、第１大当り図柄または第２大当り図柄が停止表示されるときは、味方キャラクタが敵キャラクタに勝利する演出を実行し、その後大当り遊技状態に移行する。大当り遊技状態が終了すると「バトルモード」が継続する。「バトルモード」中に、第３大当り図柄または第４大当り図柄が停止表示されるときは、味方キャラクタが敵キャラクタに敗北するバトル演出を実行する。第４大当り図柄が停止表示された場合は、その後「チャンスモード」に移行する。第３大当り図柄が停止表示された場合は、「チャンスモード」に移行するか、または「バトルモード」が継続する。「バトルモード」中に、ハズレ図柄が停止表示されると、バトル演出は実行されず、「バトルモード」が継続する。この実施の形態では、「バトルモード」継続中にバトルに勝利した回数（第１大当り図柄または第２大当り図柄が停止表示された回数：バトル勝利回数）をカウントする。なお、この実施の形態で「バトルモード」継続中とは、大当り遊技状態を挟んで間欠的に「バトルモード」が継続している間のことをいう。そして、当該勝利した回数を画像表示装置５の表示領域に設けられるバトル勝利回数表示領域５Ｗに表示する。この勝利した回数は、一度「チャンスモード」に移行した後、「通常モード」になる前に再び「バトルモード」に移行した場合、継続してカウントするようになっている。この実施の形態では、このバトル勝利回数に対応して、「バトルモード」における敵キャラクタや背景を異ならせる。そして、敵キャラクタの種別に応じて、第３大当り図柄が停止表示された場合の「バトルモード」が継続する割合を異ならせている。さらに、「バトルモード」から「チャンスモード」に移行（転落）した場合（第４大当り図柄が停止表示された場合も含む）、直前の「バトルモード」の背景に対応した背景で「チャンスモード」の演出が実行される。
【００６０】
また、「バトルモード」における演出の一つとして昇格演出や救済演出が実行される。昇格演出とは、第２大当りとなったことに対応する７ラウンド大当り状態となったと見せかけた後に、第１大当りとなったことに対応する１５ラウンド大当り状態に昇格したように見せる演出である。このような昇格演出は、可変表示中（バトル演出中）、大当り遊技状態中や大当り遊技状態終了時（エンディング時）に実行される。救済演出とは、バトルに敗北したと見せかけた後に味方が復活して勝利するなど、勝利したように見せる演出である。このような救済演出は、可変表示中（バトル演出中）、大当り遊技状態中や大当り遊技状態終了時（エンディング時）に実行される。なお、このような昇格演出や救済演出は「通常モード」など他の演出モードで実行されるようにしてもよい。
【００６１】
また、「バトルモード」における特別図柄の可変表示中には、通常モード（低確率状態）で実行されるようなリーチ演出とは異なり、例えば所定のキャラクタ画像やメッセージ画像を表示することなどといった、飾り図柄の可変表示態様以外の表示態様により、可変表示結果が「大当り」となる可能性があることを、遊技者に報知するための予告演出が実行されることがある。この実施の形態では、「バトルモード」においてバトル演出を開始する前の予告演出である「バトル前予告演出」と、バトル演出を開始した後の予告演出である「バトル後予告演出」とが実行可能である。
【００６２】
「バトル前予告演出」では、画像表示装置５の表示領域にてバトル演出を実行する以前に、キャラクタ同士が戦うモーションをしたり、それと同時に流れ星の画像を表示するなどの演出表示が行われる。「バトル前予告演出」は可変表示結果が「ハズレ」となる場合にも実行されることがある。「バトルモード」では、「大当り」となる場合に、キャラクタ同士が戦う演出（バトル演出）が実行されるが、このようなバトル演出が実行されると思わせるバトル前予告演出を実行可能とすることで、「バトルモード」における演出がより多彩になる。「バトル前予告演出」は演出態様の異なる予告Ａ、予告Ｂ、予告Ｃの３種類の予告パターンが用意されており、それぞれの予告パターンでは「大当り」となる可能性（「信頼度」ともいう）が異なり、またいずれの大当り種別となるかの割合が異なる。
【００６３】
「バトル後予告演出」では、画像表示装置５の表示領域にてバトル演出を開始した後に、桜吹雪が舞う画像を表示して、その後に味方キャラクタまたは敵キャラクタの体の一部を表示していずれのキャラクタが勝利したかを示唆するなどの演出表示が行われる。「バトル後予告演出」は演出態様の異なる予告Ｄ１、予告Ｄ２、予告Ｅ１、予告Ｅ２の４種類の予告パターンが用意されており、それぞれの予告パターンではいずれの大当り種別となるかの割合が異なる。ここで用意される予告Ｄ１と予告Ｄ２とでは、途中まで同一の予告演出が実行される。また、予告Ｅ１と予告Ｅ２とでは、途中まで同一の予告演出が実行される。例えば、予告Ｄ１と予告Ｄ２では、桜吹雪が舞う画像までは同一で、その後に体の一部が表示されるキャラクタを異ならせる。このようにすることで、予告Ｄ１と予告Ｄ２のいずれになるか、予告Ｅ１と予告Ｅ２のいずれになるかが予告演出の最後まで判別できないので、遊技者の期待感を高めることができる。なお、予告演出（「バトル後予告演出」、「バトル後予告演出」）が発生するタイミングの基準の発生時間を設けて、基準の発生時間に対して遅延させたり、早めたりした複数の予告パターンを用意するようにしてもよい。このような予告パターンを用意することで、予告演出の発生タイミングが不規則となり、意外性のある演出が可能となる。
【００６４】
「チャンスモード」における画像表示装置５の表示領域では、通常モードのような「左」、「中」、「右」の各飾り図柄表示エリア５Ｌ、５Ｃ、５Ｒにおける飾り図柄の変動や、通常モード（低確率状態）で実行されるようなリーチ演出は実行されない。「バトルモード」でも、飾り図柄の変動は画像表示装置５の表示領域に設けられた飾り図柄表示エリア５Ｍにて実行される。また、「チャンスモード」では、画像表示装置５の表示領域に、味方キャラクタを表示させ、敵キャラクタを探す演出などが実行される。例えば、「チャンスモード」中に、第１大当り図柄または第２大当り図柄が停止表示されると、味方キャラクタが敵キャラクタを発見する演出を実行し、その後大当り遊技状態に移行する。大当り遊技状態が終了すると「バトルモード」に移行する。「チャンスモード」中に、第３大当り図柄または第４大当り図柄が停止表示されると、味方キャラクタが敵キャラクタの発見に失敗する演出等が実行され、「チャンスモード」が継続する。「バトルモード」から「チャンスモード」に転落した場合、」直前の「バトルモード」の背景に対応した背景で「チャンスモード」の演出が実行される。
【００６５】
「激アツモード」では、「チャンスモード」と同様の演出が実行され、「チャンスモード」と区別可能とするため「チャンスモード」とは背景の色など演出の一部を異ならせる。
【００６６】
なお、「バトルモード」、「チャンスモード」、「激アツモード」中に、飾り図柄の変動を飾り図柄表示エリア５Ｍにて実行していたが、飾り図柄の変動を実行しないようにしてもよい。
【００６７】
特図ゲームにおける確定特別図柄として、１５ラウンド大当り図柄となる特別図柄である「７」の数字を示す特別図柄が停止表示される場合、及び７ラウンド大当り図柄となる特別図柄である「３」の数字を示す特別図柄が停止表示される場合には、飾り図柄の可変表示状態がリーチ態様となったことに対応して、リーチ演出が実行された後に、あるいは、リーチ演出が実行されずに、大当り組合せとなる確定飾り図柄が停止表示される。ここで、大当り組合せとなる確定飾り図柄は、例えば画像表示装置５における「左」、「中」、「右」の各飾り図柄表示エリア５Ｌ、５Ｃ、５Ｒにて可変表示される図柄番号が「１」〜「８」の飾り図柄のいずれか１つが、「左」、「中」、「右」の各飾り図柄表示エリア５Ｌ、５Ｃ、５Ｒにて所定の有効ライン上に揃って停止表示されるものであればよい。そして、特図ゲームにおける確定特別図柄が大当り図柄「７」となることに対応して、リーチ演出が実行された後に、あるいは、リーチ演出が実行されずに、大当り組合せの確定飾り図柄が停止表示される飾り図柄の可変表示態様は、可変表示結果が「大当り」となる場合における「第１大当り」の可変表示態様と称される。こうして「第１大当り」の可変表示態様により可変表示結果が「大当り」となった後には、１５ラウンド大当り状態に制御され、その１５ラウンド大当り状態が終了すると、確変状態に制御されることになる。また、特図ゲームにおける確定特別図柄が大当り図柄「３」となることに対応して、リーチ演出が実行された後に、あるいは、リーチ演出が実行されずに、大当り組合せの確定飾り図柄が停止表示される飾り図柄の可変表示態様は、可変表示結果が「大当り」となる場合における「第２大当り」の可変表示態様と称される。こうして「第２大当り」の可変表示態様により可変表示結果が「大当り」となった後には、７ラウンド大当り状態に制御され、その７ラウンド大当り状態が終了すると、確変状態に制御されることになる。
【００６８】
特図ゲームにおける確定特別図柄として、２ラウンド大当り図柄となる「１」「５」の数字を示す特別図柄が停止表示される場合には、飾り図柄の可変表示状態がリーチ態様となったことに対応して、リーチ演出が実行された後に、あるいは、リーチ演出が実行されずに、所定の２ラウンド大当り組合せとなる確定飾り図柄が停止表示される。ここで、２ラウンド大当り組合せとなる確定飾り図柄は、例えば画像表示装置５における「左」、「右」の各飾り図柄表示エリア５Ｌ、５Ｒにて可変表示される図柄番号が「１」〜「８」の飾り図柄のいずれか１つが、「左」、「右」の各飾り図柄表示エリア５Ｌ、５Ｒにて所定の有効ライン上に揃って停止表示され、「左」、「右」に停止表示された飾り図柄の図柄番号に１を加えた図柄番号の飾り図柄（例えば、「左」、「右」が「１」の場合は「２」。「８」の場合は「１」）が、「中」の各飾り図柄表示エリア５Ｃにて有効ライン上に揃って停止表示されるものであればよい（例えば「１」「２」「１」など）。そして、特図ゲームにおける確定特別図柄が２ラウンド大当り図柄「５」となることに対応して、リーチ演出が実行された後に、あるいは、リーチ演出が実行されずに、大当り組合せの確定飾り図柄が停止表示される飾り図柄の可変表示態様は、可変表示結果が「大当り」となる場合における「第３大当り」の可変表示態様と称される。こうして「第３大当り」の可変表示態様により可変表示結果が「大当り」となった後には、２ラウンド大当り状態に制御され、その２ラウンド大当り状態が終了すると、確変状態に制御されることになる。また、特図ゲームにおける確定特別図柄として、２ラウンド大当り図柄「１」に対応して、リーチ演出が実行された後に、あるいは、リーチ演出が実行されずに、大当り組合せの確定飾り図柄が停止表示される飾り図柄の可変表示態様は、可変表示結果が「大当り」となる場合における「第４大当り」の可変表示態様と称される。こうして「第４大当り」の可変表示態様により可変表示結果が「大当り」となった後には、２ラウンド大当り状態に制御され、その２ラウンド大当り状態が終了すると、時短状態に制御されることになる。
【００６９】
パチンコ遊技機１には、例えば図２に示すような主基板１１、演出制御基板１２、音声制御基板１３、ランプ制御基板１４といった、各種の制御基板が搭載されている。また、パチンコ遊技機１には、主基板１１と演出制御基板１２との間で伝送される各種の制御信号を中継するための中継基板１５なども搭載されている。その他にも、パチンコ遊技機１における遊技盤２などの背面には、例えば払出制御基板、情報端子基板、発射制御基板、インタフェース基板などといった、各種の基板が配置されている。
【００７０】
主基板１１は、メイン側の制御基板であり、パチンコ遊技機１における遊技の進行を制御するための各種回路が搭載されている。主基板１１は、主として、特図ゲームにおいて用いる乱数の設定機能、所定位置に配設されたスイッチ等からの信号の入力を行う機能、演出制御基板１２などからなるサブ側の制御基板に宛てて、指令情報の一例となる制御コマンドを制御信号として出力して送信する機能、ホールの管理コンピュータに対して各種情報を出力する機能などを備えている。また、主基板１１は、第１特別図柄表示装置４Ａと第２特別図柄表示装置４Ｂを構成する各ＬＥＤ（例えばセグメントＬＥＤ）などの点灯／消灯制御を行って第１特図や第２特図の可変表示を制御することや、普通図柄表示器２０の点灯／消灯／発色制御などを行って普通図柄表示器２０による普通図柄の可変表示を制御することといった、所定の表示図柄の可変表示を制御する機能も備えている。主基板１１には、例えば遊技制御用マイクロコンピュータ１００や、遊技球検出用の各種スイッチからの検出信号を取り込んで遊技制御用マイクロコンピュータ１００に伝送するスイッチ回路１１０などが搭載されている。
【００７１】
演出制御基板１２は、主基板１１とは独立したサブ側の制御基板であり、中継基板１５を介して主基板１１から伝送された制御信号を受信して、画像表示装置５、スピーカ８Ｌ、８Ｒ及び遊技効果ランプ９といった演出用の電気部品による演出動作を制御するための各種回路が搭載されている。すなわち、演出制御基板１２は、画像表示装置５における表示動作や、スピーカ８Ｌ、８Ｒからの音声出力動作の全部または一部、遊技効果ランプ９などにおける点灯／消灯動作の全部または一部といった、演出用の電気部品に所定の演出動作を実行させるための制御内容を決定する機能を備えている。
【００７２】
音声制御基板１３は、演出制御基板１２とは別個に設けられた音声出力制御用の制御基板であり、演出制御基板１２からの指令や制御データなどに基づき、スピーカ８Ｌ、８Ｒから音声を出力させるための音声信号処理を実行する処理回路などが搭載されている。ランプ制御基板１４は、演出制御基板１２とは別個に設けられたランプ出力制御用の制御基板であり、演出制御基板１２からの指令や制御データなどに基づき、遊技効果ランプ９などにおける点灯／消灯駆動を行うランプドライバ回路などが搭載されている。
【００７３】
図２に示すように、主基板１１には、ゲートスイッチ２１、第１及び第２始動口スイッチ２２Ａ、２２Ｂ及びカウントスイッチ２３からの検出信号を伝送する配線が接続されている。なお、ゲートスイッチ２１、第１及び第２始動口スイッチ２２Ａ、２２Ｂ及びカウントスイッチ２３は、例えばセンサと称されるものなどのように、遊技媒体としての遊技球を検出できる任意の構成を有するものであればよい。また、主基板１１には、第１特別図柄表示装置４Ａや第２特別図柄表示装置４Ｂ、普通図柄表示器２０などの表示制御を行うための指令信号を伝送する配線が接続されている。なお、主基板１１には、普通電動役物用ソレノイド、大入賞口扉用ソレノイドなどの開閉駆動制御を行うための指令信号を伝送する配線が接続されている（図示せず）。
【００７４】
主基板１１から演出制御基板１２に向けて伝送される制御信号は、中継基板１５によって中継される。主基板１１には、例えば中継基板１５に対応する主基板側コネクタが設けられ、主基板側コネクタと遊技制御用マイクロコンピュータ１００との間には、出力バッファ回路が接続されている。出力バッファ回路は、主基板１１から中継基板１５を介して演出制御基板１２へ向かう方向にのみ信号を通過させることができ、中継基板１５から主基板１１への信号の入力を阻止する。したがって、演出制御基板１２や中継基板１５の側から主基板１１側に信号が伝わる余地はない。
【００７５】
中継基板１５には、例えば主基板１１から演出制御基板１２に対して制御信号を伝送するための配線毎に、伝送方向規制回路が設けられていればよい。各伝送方向規制回路は、主基板１１対応の主基板用コネクタにアノードが接続されるとともに演出制御基板１２対応の演出制御基板用コネクタにカソードが接続されたダイオードと、一端がダイオードのカソードに接続されるとともに他端がグランド（ＧＮＤ）接続された抵抗とから構成されている。この構成により、各伝送方向規制回路は、演出制御基板１２から中継基板１５への信号の入力を阻止して、主基板１１から演出制御基板１２へ向かう方向にのみ信号を通過させることができる。従って、演出制御基板１２の側から主基板１１側に信号が伝わる余地はない。この実施の形態では、中継基板１５において制御信号を伝送するための配線毎に伝送方向規制回路を設けるとともに、主基板１１にて遊技制御用マイクロコンピュータ１００と主基板側コネクタの間に出力バッファ回路を設けることで、外部から主基板１１への不正な信号の入力を防止することができる。
【００７６】
中継基板１５を介して主基板１１から演出制御基板１２に対して伝送される制御コマンドは、例えば電気信号として送受信される演出制御コマンドである。演出制御コマンドには、例えば画像表示装置５における画像表示動作を制御するために用いられる表示制御コマンドや、スピーカ８Ｌ、８Ｒからの音声出力を制御するために用いられる音声制御コマンド、遊技効果ランプ９や装飾用ＬＥＤの点灯動作などを制御するために用いられるランプ制御コマンドが含まれている。図４（Ａ）は、この実施の形態で用いられる演出制御コマンドの内容の一例を示す説明図である。演出制御コマンドは、例えば２バイト構成であり、１バイト目はＭＯＤＥ（コマンドの分類）を示し、２バイト目はＥＸＴ（コマンドの種類）を表す。ＭＯＤＥデータの先頭ビット（ビット７）は必ず「１」とされ、ＥＸＴデータの先頭ビットは「０」とされる。なお、図４（Ａ）に示されたコマンド形態は一例であって、他のコマンド形態を用いてもよい。また、この例では、制御コマンドが２つの制御信号で構成されることになるが、制御コマンドを構成する制御信号数は、１であってもよいし、３以上の複数であってもよい。
【００７７】
図４（Ａ）に示す例において、コマンド８００１Ｈは、第１特別図柄表示装置４Ａによる第１特図を用いた特図ゲームにおける変動開始を指定する第１変動開始コマンドである。コマンド８００２Ｈは、第２特別図柄表示装置４Ｂによる第２特図を用いた特図ゲームにおける変動開始を指定する第２変動開始コマンドである。コマンド８１ＸＸＨは、特図ゲームにおける特別図柄の可変表示に対応して画像表示装置５における「左」、「中」、「右」の各飾り図柄表示エリア５Ｌ、５Ｃ、５Ｒで可変表示される飾り図柄などの変動パターンを指定する変動パターン指定コマンドである。ここで、ＸＸＨは不特定の１６進数であることを示し、演出制御コマンドによる指示内容に応じて任意に設定される値であればよい。変動パターン指定コマンドでは、指定する変動パターンや変動時間などに応じて、異なるＥＸＴデータが設定される。
【００７８】
コマンド８ＣＸＸＨは、特別図柄や飾り図柄などの可変表示結果を指定する可変表示結果通知コマンドである。可変表示結果通知コマンドでは、例えば図４（Ｂ）に示すように、可変表示結果が「ハズレ」、「大当り」のいずれとなるかの事前判定結果、また、可変表示結果が「大当り」となる場合における飾り図柄の可変表示態様が「第１大当り」、「第２大当り」、「第３大当り」、「第４大当り」のいずれとなるかの大当り種別判定結果に対応して、異なるＥＸＴデータが設定される。より具体的には、コマンド８Ｃ００Ｈは、可変表示結果が「ハズレ」となる旨の判定結果を示す第１可変表示結果通知コマンドである。コマンド８Ｃ０１Ｈは、可変表示結果が「大当り」となる場合における飾り図柄の可変表示態様が「第１大当り」となる旨の判定結果を示す第２可変表示結果通知コマンドである。コマンド８Ｃ０２Ｈは、可変表示結果が「大当り」となる場合における飾り図柄の可変表示態様が「第２大当り」となる旨の判定結果を示す第３可変表示結果通知コマンドである。コマンド８Ｃ０３Ｈは、可変表示結果が「大当り」となる場合における飾り図柄の可変表示態様が「第３大当り」となる旨の判定結果を示す第４可変表示結果通知コマンドである。コマンド８Ｃ０４Ｈは、可変表示結果が「第４大当り」となる旨の判定結果を示す第５可変表示結果通知コマンドである。
【００７９】
コマンド８Ｆ００Ｈは、画像表示装置５における「左」、「中」、「右」の各飾り図柄表示エリア５Ｌ、５Ｃ、５Ｒで飾り図柄の可変表示の停止を指定する飾り図柄停止指定コマンドである。変動パターン指定コマンドにより、変動時間を通知するので、演出制御基板１２の側で図柄停止タイミングを判定可能であるが、このような飾り図柄停止指定コマンドを送信することで、演出制御基板１２の側で何らかの原因でコマンドを取りこぼしたり、未受信である場合にも飾り図柄を確実に停止させることができる。なお、このような飾り図柄停止指定コマンドを送信しない構成であってもよい。
【００８０】
Ａ０ＸＸＨは、大当り遊技状態の開始を示す演出画像の表示を指定する大当り開始指定コマンド（「ファンファーレコマンド」ともいう）である。大当り開始指定コマンドでは、例えば可変表示結果通知コマンドと同様のＥＸＴデータが設定されることなどにより、事前判定結果や大当り種別判定結果に応じて異なるＥＸＴデータが設定される。あるいは、大当り開始指定コマンドでは、事前判定結果及び大当り種別判定結果と設定されるＥＸＴデータとの対応関係を、可変表示結果通知コマンドにおける対応関係とは異ならせるようにしてもよい。
【００８１】
コマンドＡ１ＸＸＨは、１５ラウンド大当り状態に対応して、各ラウンドで大入賞口が開放状態となっている期間における演出画像の表示を指定する１５ラウンド大当り用の大入賞口開放中指定コマンドである。コマンドＡ２ＸＸＨは、１５ラウンド大当り状態に対応して、各ラウンドの終了により大入賞口が開放状態から閉鎖状態に変化した期間おける演出画像（例えばラウンド間のインターバルにおける演出画像）の表示を指定する１５ラウンド大当り用の大入賞口開放後指定コマンドである。１５ラウンド大当り用の大入賞口開放中指定コマンドや大入賞口開放後指定コマンドでは、例えば１５ラウンド大当り状態におけるラウンドの実行回数（例えば「１」〜「１５」）に対応して、異なるＥＸＴデータが設定される。
【００８２】
コマンドＡ３ＸＸＨは、大当り遊技状態の終了時における演出画像の表示を指定する当り終了指定コマンドである。当り終了指定コマンドでは、例えば可変表示結果通知コマンドや大当り開始指定コマンドと同様のＥＸＴデータが設定されることなどにより、事前判定結果や大当り種別判定結果に応じて異なるＥＸＴデータが設定される。あるいは、当り終了指定コマンドでは、事前判定結果及び大当り種別判定結果と設定されるＥＸＴデータとの対応関係を、可変表示結果通知コマンドや大当り開始指定コマンドにおける対応関係とは異ならせるようにしてもよい。
【００８３】
コマンドＡ４ＸＸＨは、７ラウンド大当り状態に対応して、各ラウンドで大入賞口が開放状態となっている期間における演出画像の表示を指定する７ラウンド大当り用の大入賞口開放中指定コマンドである。コマンドＡ５ＸＸＨは、７ラウンド大当り状態に対応して、各ラウンドの終了により大入賞口が開放状態から閉鎖状態に変化した期間おける演出画像（例えばラウンド間のインターバルにおける演出画像）の表示を指定する７ラウンド大当り用の大入賞口開放後指定コマンドである。７ラウンド大当り用の大入賞口開放中指定コマンドや大入賞口開放後指定コマンドでは、例えば７ラウンド大当り状態におけるラウンドの実行回数（例えば「１」〜「７」）に対応して、異なるＥＸＴデータが設定される。
【００８４】
コマンドＡ６ＸＸＨは、２ラウンド大当り状態に対応して、各ラウンドで大入賞口が開放状態となっている期間における演出画像の表示を指定する２ラウンド大当り用の大入賞口開放中指定コマンドである。コマンドＡ７ＸＸＨは、２ラウンド大当り状態に対応して、各ラウンドの終了により大入賞口が開放状態から閉鎖状態に変化した期間おける演出画像（例えばラウンド間のインターバルにおける演出画像）の表示を指定する２ラウンド大当り用の大入賞口開放後指定コマンドである。２ラウンド大当り用の大入賞口開放中指定コマンドや大入賞口開放後指定コマンドでは、例えば２ラウンド大当り状態におけるラウンドの実行回数（例えば「１」または「２」）に対応して、異なるＥＸＴデータが設定される。なお、コマンドＡ１ＸＸＨ〜Ａ２ＸＸＨ、Ａ４ＸＸＨ〜Ａ７ＸＸＨを共通のコマンドにして、ラウンドの実行回数により異なるＥＸＴデータが設定されるようにしてもよい。こうすることで、大当り種別（ラウンド数）によらず共通のコマンドとすることができ、コマンド数を削減することができる。
【００８５】
コマンドＢ００１Ｈは、普通入賞球装置６Ａが形成する第１始動入賞口に遊技球が入賞したことに基づき、第１特別図柄表示装置４Ａによる第１特図を用いた特図ゲームを実行するための第１始動条件が成立したことを通知する第１始動口入賞指定コマンドである。コマンドＢ００２Ｈは、普通可変入賞球装置６Ｂが形成する第２始動入賞口に遊技球が入賞したことに基づき、第２特別図柄表示装置４Ｂによる第２特図を用いた特図ゲームを実行するための第２始動条件が成立したことを通知する第２始動口入賞指定コマンドである。
【００８６】
コマンドＣ０ＸＸＨは、画像表示装置５の表示領域に設けられた始動入賞記憶表示エリア５Ｈなどにて特図保留記憶数を特定可能に表示するために、第１保留記憶数と第２保留記憶数との合計値である合計保留記憶数を通知する保留記憶数通知コマンドである。保留記憶数通知コマンドは、例えば第１始動条件と第２始動条件のいずれかが成立したことに対応して、第１始動口入賞指定コマンドと第２始動口入賞指定コマンドのいずれかが送信されたことに続いて、主基板１１から演出制御基板１２に対して送信される。保留記憶数通知コマンドでは、例えば図１６に示す第１特図保留記憶部１５１Ａにおける保留データと第２特図保留記憶部１５１Ｂにおける保留データの総記憶数（例えば「１」〜「８」）、あるいは、始動データ記憶部１５１Ｃにおける始動データの総記憶数（例えば「１」〜「８」）に対応して、異なるＥＸＴデータが設定される。これにより、演出制御基板１２の側では、第１始動条件と第２始動条件のいずれかが成立したときに、主基板１１から伝送された保留記憶数通知コマンドを受信して、第１特図保留記憶部１５１Ａと第２特図保留記憶部１５１Ｂにおける保留データの総記憶数を特定することができる。
【００８７】
コマンドＤ０ＸＸＨは、演出モードが移行することを通知するための演出モード移行通知コマンドである。演出モード移行通知コマンドは、例えば、大当り遊技状態が終了した後に、「通常モード」から「バトルモード」に移行する場合や、「バトルモード」から「チャンスモード」に移行する場合などに主基板１１から演出制御基板１２に対して送信される。なお、第１特別図柄表示装置４Ａまたは第２特別図柄表示装置４Ｂにおける変動が実行される毎に、変動パターン指定コマンドとともに送信するようにしてもよい。こうすることで、正常に演出モード移行通知コマンドを送信できなかった場合でも、次回の変動にて演出モードを正常に復旧することができる。コマンドＤ１ＸＸＨは、バトル勝利回数を通知するための演出モード移行通知コマンドである。演出モード移行通知コマンドは、バトル勝利回数が更新されるたびなどに主基板１１から演出制御基板１２に対して送信される。これにより、演出制御基板１２の側で、バトル勝利回数を特定することができ、バトル勝利回数表示領域５Ｗにバトル勝利回数を表示することができ、またバトル勝利回数に対応して敵キャラクタや背景を異ならせることができる。
【００８８】
主基板１１に搭載された遊技制御用マイクロコンピュータ１００は、例えば１チップのマイクロコンピュータであり、ゲーム制御用のプログラムや固定データ等を記憶するＲＯＭ（Read Only Memory）１０１と、ゲーム制御用のワークエリアを提供するＲＡＭ（Random Access Memory）１０２と、プログラムに従って制御動作を行うＣＰＵ（Central Processing Unit）１０３と、ＣＰＵ１０３とは独立して乱数値を示す数値データの更新を行う乱数回路１０４と、Ｉ／Ｏ（Input/Output port）１０５とを備えて構成される。一例として、遊技制御用マイクロコンピュータ１００では、ＣＰＵ１０３がＲＯＭ１０１から読み出したプログラムを実行することにより、パチンコ遊技機１における遊技の進行を制御するための処理が実行される。このときには、ＣＰＵ１０３がＲＯＭ１０１から固定データを読み出す固定データ読出動作や、ＣＰＵ１０３がＲＡＭ１０２に各種の変動データを書き込んで一時記憶させる変動データ書込動作、ＣＰＵ１０３がＲＡＭ１０２に一時記憶されている各種の変動データを読み出す変動データ読出動作、ＣＰＵ１０３がＩ／Ｏ１０５を介して遊技制御用マイクロコンピュータ１００の外部から各種信号の入力を受け付ける受信動作、ＣＰＵ１０３がＩ／Ｏ１０５を介して遊技制御用マイクロコンピュータ１００の外部へと各種信号を出力する送信動作なども行われる。
【００８９】
主基板１１では、例えば図２に示す遊技制御用マイクロコンピュータ１００が備える乱数回路１０４などにより、遊技の進行を制御するために用いられる各種の乱数値を示す数値データが更新可能にカウントされる。図５は、主基板１１の側においてカウントされる乱数値を例示する説明図である。図５に示すように、この実施の形態では、主基板１１の側において、特図表示結果判定用の乱数値ＭＲ１、大当り種別判定用の乱数値ＭＲ２、リーチ判定用の乱数値ＭＲ３、変動パターン種別判定用の乱数値ＭＲ４、変動パターン判定用の乱数値ＭＲ５のそれぞれを示す数値データが、カウント可能に制御される。なお、遊技効果を高めるために、これら以外の乱数値が用いられてもよい。乱数回路１０４は、これらの乱数値ＭＲ１、ＭＲ２、ＭＲ３、ＭＲ４、ＭＲ５の全部または一部を示す数値データをカウントするものであればよい。ＣＰＵ１０３は、例えば図１６に示す遊技制御カウンタ設定部１５４に設けられたランダムカウンタといった、乱数回路１０４とは異なるランダムカウンタを用いて、ソフトウェアによって各種の数値データを更新することで、乱数値ＭＲ１、ＭＲ２、ＭＲ３、ＭＲ３、ＭＲ４、ＭＲ５の一部を示す数値データをカウントするようにしてもよい。一例として、特図表示結果判定用の乱数値ＭＲ１を示す数値データは、乱数回路１０４によりＣＰＵ１０３とは独立して更新され、それ以外の乱数値ＭＲ２、ＭＲ３、ＭＲ３、ＭＲ４、ＭＲ５を示す数値データは、ＣＰＵ１０３がランダムカウンタを用いてソフトウェアにより更新されればよい。乱数回路１０４は、遊技制御用マイクロコンピュータ１００に内蔵されるものであってもよいし、遊技制御用マイクロコンピュータ１００とは異なる乱数回路チップとして構成されるものであってもよい。
【００９０】
特図表示結果判定用の乱数値ＭＲ１は、特図ゲームにおける特別図柄などの可変表示結果を「大当り」として大当り遊技状態に制御するか否かを、判定するために用いられる乱数値であり、例えば「１」〜「６５５３５」の範囲の値をとる。
【００９１】
大当り種別判定用の乱数値ＭＲ２は、可変表示結果を「大当り」とする場合に、飾り図柄の可変表示態様を「第１大当り」〜「第４大当り」といった複数種類の特定可変表示種別としての大当り種別のいずれかに決定するために用いられる乱数値であり、例えば「１」〜「１００」の範囲の値をとる。リーチ判定用の乱数値ＭＲ３は、可変表示結果を「ハズレ」とする場合に、飾り図柄の可変表示状態をリーチ態様とするか否かを判定するために用いられる乱数値であり、例えば「１」〜「１００」の範囲の値をとる。
【００９２】
変動パターン種別判定用の乱数値ＭＲ４は、飾り図柄の変動パターン種別を、予め用意された複数種類のいずれかに決定するために用いられる乱数値であり、例えば「１」〜「１００」の範囲の値をとる。変動パターン判定用の乱数値ＭＲ５は、飾り図柄の変動パターンを、予め用意された複数種類のいずれかに決定するために用いられる乱数値であり、例えば「１」〜「１００」の範囲の値をとる。
【００９３】
図６は、予め用意された飾り図柄の変動パターンを例示する説明図である。図６に示すように、この実施の形態では、変動パターンとして、通常ハズレ、リーチハズレ、リーチ大当り、特殊、バトル勝ち、バトル負け、チャンスなどの変動パターンが複数用意されている。なお、変動パターンの種類はこれらに限定されず、より多くの変動パターンを用意してもよい。
【００９４】
図２に示す遊技制御用マイクロコンピュータ１００が備えるＲＯＭ１０１には、ゲーム制御用のプログラムの他にも、遊技の進行を制御するために用いられる各種の選択用データ、テーブルデータなどが格納されている。例えば、ＲＯＭ１０１には、ＣＰＵ１０３が各種の判定や決定を行うために用意された複数の判定用データや決定用データを構成するデータが記憶されている。また、ＲＯＭ１０１には、ＣＰＵ１０３が主基板１１から各種の制御コマンドとなる制御信号を送信するために用いられる複数のコマンドテーブルを構成するテーブルデータや、飾り図柄の変動パターンを複数種類格納する変動パターンテーブルを構成するテーブルデータなどが記憶されている。
【００９５】
ＲＯＭ１０１が記憶する判定用データには、例えば図７（Ａ）に示す第１特図表示結果判定用データ１３０Ａと、図７（Ｂ）に示す第２特図表示結果判定用データ１３０Ｂとが含まれている。第１特図表示結果判定用データ１３０Ａは、第１特別図柄表示装置４Ａによる第１特図を用いた特図ゲームにおいて可変表示結果となる確定特別図柄が導出表示される以前に、その可変表示結果を「大当り」として大当り遊技状態に制御するか否かを、特図表示結果判定用の乱数値ＭＲ１に基づいて判定するために参照される判定用データである。第１特図表示結果判定用データ１３０Ａは、図１６に示す遊技制御フラグ設定部１５２に設けられた確変フラグがオフであるかオンであるかに応じて、特図表示結果判定用の乱数値ＭＲ１を、大当り判定値データ、ハズレ判定値データに対応付ける（割り当てる）設定データ（決定用データ）などから構成されている。第２特図表示結果判定用データ１３０Ｂは、第２特別図柄表示装置４Ｂによる第２特図を用いた特図ゲームにおいて可変表示結果となる確定特別図柄が導出表示される以前に、その可変表示結果を「大当り」として大当り遊技状態に制御するか否かを、特図表示結果判定用の乱数値ＭＲ１に基づいて判定するために参照される判定用データである。第２特図表示結果判定用データ１３０Ｂは、確変フラグがオフであるかオンであるかに応じて、特図表示結果判定用の乱数値ＭＲ１を、大当り判定値データやハズレ判定値データに割り当てる決定用データなどから構成されている。なお、この実施の形態ではいずれの特別図柄表示装置による特図ゲームであるかにより、異なる判定値データが割り当てられた特図表示結果判定用データを用意していたが、第１特別図柄表示装置４Ａと第２特別図柄表示装置４Ｂとで共通の特図表示結果判定用データを使用するようにしてもよい。こうすることで、特図表示結果判定用データのデータ量を削減することができる。
【００９６】
ＲＯＭ１０１が記憶する判定用データには、図８に示す大当り種別判定用データ１３１が含まれている。大当り種別判定用データ１３１は、可変表示結果を「大当り」とする旨の判定がなされたときに、大当り種別判定用の乱数値ＭＲ２に基づき、飾り図柄の可変表示態様を「第１大当り」、「第２大当り」、「第３大当り」、「第４大当り」といった複数種類の大当り種別のいずれかに決定するために参照される判定用データである。大当り種別判定用データ１３１は、図１６に示す遊技制御バッファ設定部１５５に設けられた変動特図指定バッファの値（変動特図指定バッファ値）が"１"であるか"２"であるかに応じて、大当り種別判定用の乱数値ＭＲ２を、「第１大当り」、「第２大当り」、「第３大当り」、「第４大当り」の大当り種別に割り当てる決定用データなどから構成されている。また、大当り種別判定用データ１３１は、図１６に示す遊技制御バッファ設定部１５５に設けられた大当り種別バッファの値（大当り種別バッファ値）を、大当り種別判定用の乱数値ＭＲ２に基づいて決定された大当り種別に対応した「００」〜「０３」のいずれかに設定するための設定用データを含んでいてもよい。
【００９７】
ここで、図８に示す大当り種別判定用データ１３１の設定では、変動特図指定バッファ値が"１"であるか"２"であるかに応じて、各大当り種別に対する大当り種別判定用の乱数値ＭＲ２の割当てが異なっている。例えば、変動特図指定バッファ値が"１"である場合には、大当り種別判定用の乱数値ＭＲ２のうち「１」〜「６０」の範囲の値（６０％）が「第１大当り」の大当り種別に割り当てられる一方で、変動特図指定バッファ値が"２"である場合には、大当り種別判定用の乱数値ＭＲ２のうち「１」〜「５」の範囲の値（５％）が「第１大当り」の大当り種別に割り当てられる。また、変動特図指定バッファ値が"１"である場合には、大当り種別判定用の乱数値ＭＲ２のうち「６１」〜「６５」の範囲の値（５％）が「第２大当り」の大当り種別に割り当てられる一方で、変動特図指定バッファ値が"２"である場合には、大当り種別判定用の乱数値ＭＲ２のうち「６」〜「７０」の範囲の値（６５％）が「第２大当り」の大当り種別に割り当てられる。
【００９８】
このような設定により、第１特別図柄表示装置４Ａによる第１特図を用いた特図ゲームを開始するための第１開始条件が成立したことに基づいて大当り種別を複数種類のいずれかに決定する場合と、第２特別図柄表示装置４Ｂによる第２特図を用いた特図ゲームを開始するための第２開始条件が成立したことに基づいて大当り種別を複数種類のいずれかに決定する場合とで、大当り種別を「第１大当り」に決定する割合と「第２大当り」に決定する割合との比率を異ならせることができる。即ち、第１特別図柄表示装置４Ａによる第１特図を用いた特図ゲームを開始するための第１開始条件が成立したことに基づいて大当り種別を複数種類のいずれかに決定する場合は、「第１大当り」となる割合が高く、第２特別図柄表示装置４Ｂによる第２特図を用いた特図ゲームを開始するための第２開始条件が成立したことに基づいて大当り種別を複数種類のいずれかに決定する場合は、「第２大当り」となる割合が高くなっている。このように、２つの特別図柄表示装置のいずれが変動するかにより、大当り遊技状態の遊技価値が異ならせることができ、遊技にメリハリを持たせることができる。なお、第１特別図柄表示装置４Ａによる第１特図を用いた特図ゲームを開始するための第１開始条件が成立したことに基づいて大当り種別を複数種類のいずれかに決定する場合に、「第２大当り」となる割合を高くして、第２特別図柄表示装置４Ｂによる第２特図を用いた特図ゲームを開始するための第２開始条件が成立したことに基づいて大当り種別を複数種類のいずれかに決定する場合は、「第１大当り」となる割合を高くしてもよい。
【００９９】
また、変動特図指定バッファ値が"１"である場合には、大当り種別判定用の乱数値ＭＲ２のうち「６６」〜「８０」の範囲の値（１５％）が「第３大当り」の大当り種別に割り当てられ、「第１大当り」（６０％）よりも乱数値ＭＲ２の割り当てが少なくなっている。このような設定により、通常遊技状態において、大当り遊技状態として価値の小さい「第３大当り」となる割合を減らし、遊技性を高めることができる。
【０１００】
ＲＯＭ１０１が記憶する判定用データには、図９（Ａ）及び（Ｂ）に示すリーチ判定用データ１３２Ａ、１３２Ｂが含まれている。リーチ判定用データ１３２Ａは、「通常モード」において可変表示結果を「ハズレ」とする旨の判定がなされたときに、飾り図柄の可変表示状態をリーチ態様とするか否かを、リーチ判定用の乱数値ＭＲ３に基づいて判定するために参照される判定用データである。リーチ判定用データ１３２Ａは、リーチ判定用の乱数値ＭＲ３を、リーチ態様としない旨の判定結果や、リーチ態様とする旨の判定結果のいずれかに割り当てる判定用データなどから構成されている。
【０１０１】
ここで、例えばリーチ判定用データ１３２Ａの設定では、合計保留記憶数が「１」以下である場合に対応して、リーチ判定用の乱数値ＭＲ３のうち「１」〜「１０」の範囲の値をリーチ態様とする旨の判定結果に割り当てる一方で「１１」〜「１００」の範囲の値をリーチ態様としない旨の判定結果に割り当てる。また、合計保留記憶数が「２」〜「３」である場合に対応して、リーチ判定用の乱数値ＭＲ３のうち「１」〜「７」の範囲の値をリーチ態様とする旨の判定結果に割り当てる一方で「８」〜「１００」の範囲の値をリーチ態様としない旨の判定結果に割り当てる。合計保留記憶数が「４」〜「５」である場合に対応して、リーチ判定用の乱数値ＭＲ３のうち「１」〜「５」の範囲の値をリーチ態様とする旨の判定結果に割り当てる一方で「６」〜「１００」の範囲の値をリーチ態様としない旨の判定結果に割り当てる。また、合計保留記憶数が「６」以上である場合に対応して、リーチ判定用の乱数値ＭＲ３のうち「１」〜「２」の範囲の値をリーチ態様とする旨の判定結果に割り当てる一方で「３」〜「１００」の範囲の値をリーチ態様としない旨の判定結果に割り当てる。このような設定により、合計保留記憶数が所定数（例えば「２」）以上であるときには、所定数未満であるときに比べて、飾り図柄の可変表示状態をリーチ態様とする旨の判定がなされる割合が低くなる。なお、リーチ判定用データ１３２Ａでは、合計保留記憶数が「１」の場合、「２」〜「３」の場合、「４」〜「５」の場合、「６」以上である場合、の４つに分けて合計保留記憶数が多いほどリーチ態様とする割合を少なくしていたが、この切り分けは任意であって、４つより少なく切り分けてもよいし、多く切り分けてもよい。また、合計保留記憶数がいくつの場合に切り分けるかも任意である。さらに、演出モードがいずれであるかによって、合計保留記憶数の切り分けを変えるようにしてもよい。
【０１０２】
リーチ判定用データ１３２Ｂは、「バトルモード」、「チャンスモード」、「激アツモード」において可変表示結果を「ハズレ」とする旨の判定がなされたときに、飾り図柄の可変表示状態をリーチ態様とするか否かを、リーチ判定用の乱数値ＭＲ３に基づいて判定するために参照される判定用データである。リーチ判定用データ１３２Ｂは、リーチ判定用の乱数値ＭＲ３を、リーチ態様としない旨の判定結果に割り当てる判定用データなどから構成されている。リーチ判定用データ１３２Ｂの設定では、リーチ判定用の乱数値ＭＲ３のうち「１」〜「１００」の範囲の値をリーチ態様としない旨の判定結果に割り当ている。即ち、この実施の形態では、「バトルモード」、「チャンスモード」、「激アツモード」においては、可変表示結果を「ハズレ」とする旨の判定がなされたときに、飾り図柄の可変表示状態をリーチ態様とするかことはない。
【０１０３】
ＲＯＭ１０１が記憶する判定用データには、変動パターン種別判定用データと変動パターン判定用データとが含まれる。この実施の形態では変動パターン種別判定用データに基づいて変動パターン種別を決定した後、当該決定した変動パターン種別に対応する変動パターン判定用データに基づいて詳細な変動パターンが決定される。例えば、「通常モード」等では、可変表示結果が「大当り」または「リーチハズレ」であるとき、変動パターン種別判定用データに基づいてリーチ演出の種別（リーチＡ〜リーチＤのいずれとするか）が決定され、その変動パターン種別に対応する変動パターン判定用データに基づいて特定演出や他の演出の有無や種別、変動時間などが決定される。可変表示結果が「非リーチハズレ」であるとき、変動パターン種別判定用データに基づいて特定演出の有無や変動時間が決定され、その変動パターン種別に対応する変動パターン判定用データに基づいて変動パターンが決定される。また、「バトルモード」では、可変表示結果が「大当り」であるとき、変動パターン種別判定用データに基づいて味方キャラクタの攻撃回数や、昇格演出の有無や種別等が決定され、その変動パターン種別に対応する変動パターン判定用データに基づいて救済演出の有無や種別、変動時間などが決定される。なお、これらの切り分けは一例であって、他の切り分けであってもよい。
【０１０４】
変動パターン種別判定用データには、例えば、図１０（Ａ）〜（Ｅ）及び図１１（Ａ）〜（Ｅ）に示す大当り用変動パターン種別判定用データ１３３Ａ〜１３３Ｊが含まれている。大当り用変動パターン種別判定用データ１３３Ａ〜１３３Ｊは、可変表示結果を「大当り」とする旨の判定がなされたときに、大当り種別の判定結果に応じて、変動パターン種別を、変動パターン種別判定用の乱数値ＭＲ４に基づいて複数種類のいずれかに決定するために参照される判定用データである。各大当り用変動パターン種別判定用データ１３３Ａ〜１３３Ｊは、大当り種別、演出モード、いずれの特別図柄表示装置に対応する大当りであるかに応じて、判定用データとして選択される。
【０１０５】
大当り用変動パターン種別判定用データ（通常モード）１３３Ａ〜１３３Ｃは、「通常モード」時の大当り種別の判定結果が「第１大当り」、「第２大当り」、「第３大当り」、「第４大当り」のいずれであるかに応じて、変動パターン種別判定用の乱数値ＭＲ４を、ノーマルＡ３−１、スーパーＡ３−２〜スーパーＡ３−５、特殊Ａ４−１、特殊Ａ４−２の変動パターン種別のいずれかに割り当てる判定用データなどから構成されている。
【０１０６】
ここで、一例として、大当り種別が「第１大当り」である場合に用いられる図１０（Ａ）に示す大当り用変動パターン種別判定用データ１３３Ａと、大当り種別が「第２大当り」である場合に用いられる図１０（Ｂ）に示す大当り用変動パターン種別判定用データ１３３Ｂとでは、ノーマルＡ３−１やスーパーＡ３−２、スーパーＡ３−３の変動パターン種別に対する変動パターン種別判定用の乱数値ＭＲ４の割当てが異なっている。また、大当り用変動パターン種別判定用データ１３３ＡではスーパーＡ３−４の変動パターン種別に対して変動パターン種別判定用の乱数値ＭＲ４が割り当てられている一方で、大当り用変動パターン種別判定用データ１３３ＢではスーパーＡ３−４の変動パターン種別に対して変動パターン種別判定用の乱数値ＭＲ４が割り当てられていない。他方、大当り用変動パターン種別判定用データ１３３ＡではスーパーＡ３−５の変動パターン種別に対して変動パターン種別判定用の乱数値ＭＲ４が割り当てられていない一方で、大当り用変動パターン種別判定用データ１３３ＢではスーパーＡ３−４の変動パターン種別に対して変動パターン種別判定用の乱数値ＭＲ４が割り当てられている。このように、パチンコ遊技機１における演出モードが「通常モード」である場合、大当り種別に応じて各変動パターン種別に対する変動パターン種別判定用の乱数値ＭＲ４の割当てが異なっており、また、大当り種別に応じて異なる変動パターン種別に対して変動パターン種別判定用の乱数値ＭＲ４が割り当てられている。これにより、大当り種別を複数種類のいずれとするかの決定結果に応じて、異なる変動パターン種別に決定することが可能となり、同一の変動パターン種別に決定される割合を異ならせることができる。また、変動パターン種別によって決定されやすい変動パターンが異なるので、変動パターンがいずれであるかにより１５ラウンド大当り（第１大当り）となる期待度を遊技者に示唆することが可能になる。
【０１０７】
特に、大当り種別が「第３大当り」または「第４大当り」である場合に用いられる大当り用変動パターン種別判定用データ１３３Ｃでは、例えば特殊Ａ４−１、特殊Ａ４−２といった、大当り種別が「第３大当り」または「第４大当り」以外である場合には変動パターン種別判定用の乱数値ＭＲ４が割り当てられない変動パターン種別に対して、変動パターン種別判定用の乱数値ＭＲ４が割り当てられている。これにより、可変表示結果が「大当り」となり大当り種別が「第３大当り」または「第４大当り」となることに応じて２ラウンド大当り状態に制御する場合には、１５ラウンド大当り状態や７ラウンド大当り状態に制御する場合とは異なる変動パターン種別に決定することができる。なお、この実施の形態では、大当り種別が「第３大当り」または「第４大当り」である場合に、共通の大当り用変動パターン種別判定用データ１３３Ｃを用いることとしたが、大当り種別が「第３大当り」であるか「第４大当り」であるかに応じて変動パターン種別への乱数値ＭＲ４の割り当てが異なる判定用データを用意するようにしてもよい。こうすることで、変動パターンがいずれであるかにより確変状態となる期待度を遊技者に示唆することが可能になる。
【０１０８】
大当り用変動パターン種別判定用データ（チャンスモード・激アツモード）１３３Ｄ〜１３３Ｅは、「チャンスモード」または「激アツモード」時の大当り種別の判定結果が「第１大当り」、「第２大当り」、「第３大当り」、「第４大当り」のいずれであるかに応じて、変動パターン種別判定用の乱数値ＭＲ４を、チャンスＣ３−１、チャンスＣ４−１の変動パターン種別のいずれかに割り当てる判定用データなどから構成されている。このように、「チャンスモード」における大当り種別を複数種類のいずれとするかの決定結果に応じて、異なる変動パターン種別に決定することが可能となり、同一の変動パターン種別に決定される割合を異ならせることができる。
【０１０９】
大当り用変動パターン種別判定用データ（バトルモード）１３３Ｆ〜１３３Ｊは、「バトルモード」時の大当り種別の判定結果が「第１大当り」、「第２大当り」、「第３大当り」、「第４大当り」のいずれであるか、バトル勝利回数がいずれであるかに応じて、変動パターン種別判定用の乱数値ＭＲ４を、バトル勝ちＢ３−１、Ｂ３−２、Ｂ３−３、バトル負けＢ４−１、Ｂ４−２の変動パターン種別のいずれかに割り当てる判定用データなどから構成されている。このように、「バトルモード」における大当り種別を複数種類のいずれとするかの決定結果に応じて、異なる変動パターン種別に決定することが可能となり、同一の変動パターン種別に決定される割合を異ならせることができる。
【０１１０】
一例として、大当り種別が「第１大当り」または「第２大当り」である場合に用いられる大当り用変動パターン種別判定用データ１３３Ｆ〜１３３Ｈではバトル勝ちＢ３−１〜Ｂ３−３のいずれかの変動パターン種別に決定され、大当り種別が「第３大当り」または「第４大当り」である場合に用いられる大当り用変動パターン種別判定用データ１３３Ｉ、１３３Ｊではバトル負けＢ４−１またはＢ４−２の変動パターン種別に決定される。これにより、可変表示結果が「大当り」となり大当り種別が「第３大当り」または「第４大当り」となることに応じて２ラウンド大当り状態に制御する場合（味方キャラクタが負ける演出を実行する場合）と、大当り種別が「第１大当り」または「第２大当り」となることに応じて１５ラウンド大当り状態や７ラウンド大当り状態に制御する場合（味方キャラクタが勝つ演出を実行する場合）とで異なる変動パターン種別に決定することができる。
【０１１１】
また、他の一例として、大当り種別が「第１大当り」に決定された場合に着目すれば、バトル勝利回数が２、５、８回の場合に用いられる大当り用変動パターン種別判定用データ１３３Ｈと、バトル勝利回数が２、５、８回以外の場合に用いられる大当り用変動パターン種別判定用データ１３３Ｆと、では大当り用変動パターン種別判定用データ１３３Ｆではバトル勝ちＢ３−１、Ｂ３−２の変動パターン種別に対して変動パターン種別判定用の乱数値ＭＲ４が割り当てられている一方で、大当り用変動パターン種別判定用データ１３３Ｈではバトル勝ちＢ３−３の変動パターン種別に対して変動パターン種別判定用の乱数値ＭＲ４が割り当てられている。ここで、図１４（Ａ）に示すように、バトル勝ちＢ３−１の変動パターン種別は救済演出を実行する変動パターンと実行しない変動パターンを含み、バトル勝ちＢ３−２の変動パターン種別は昇格演出を実行する変動パターンのみを含み、バトル勝ちＢ３−３の変動パターン種別は救済演出を実行する変動パターンのみを含んでいる。即ち、バトル勝利回数が２、５、８回の場合には、必ず救済演出が実行される。このように、バトル勝利回数に応じて、第１大当りとなったときの救済演出の実行割合を異ならせ、演出を異ならせることができる。さらに、大当り種別が「第３大当り」に決定された場合に着目すれば、バトル勝利回数が２、５、８回の場合に用いられる大当り用変動パターン種別判定用データ１３３Ｊと、バトル勝利回数が２、５、８回以外の場合に用いられる大当り用変動パターン種別判定用データ１３３Ｉと、では大当り用変動パターン種別判定用データ１３３Ｉではバトル負けＢ４−１、Ｂ４−２の変動パターン種別に対して変動パターン種別判定用の乱数値ＭＲ４が割り当てられている一方で、大当り用変動パターン種別判定用データ１３３Ｊではバトル負けＢ４−１の変動パターン種別に対して変動パターン種別判定用の乱数値ＭＲ４が割り当てられている。ここで、図１４（Ａ）に示すように、バトル負けＢ４−１の変動パターン種別はバトルモードからチャンスモードに転落する変動パターンのみを含み、バトル負けＢ４−２の変動パターン種別はバトルモードが継続する変動パターンのみを含む。即ち、バトル勝利回数が２、５、８回の場合に第３大当りとなると必ずバトルモードからチャンスモードに転落し、バトル勝利回数が２、５、８回以外の場合に第３大当りとなると８０％の割合でバトルモードが継続する。このように、バトル勝利回数に応じて、第３大当りとなったときのバトルモード継続割合を異ならせることができる。なお、バトル負けＢ４−１の変動パターン種別、バトル負けＢ４−２の変動パターン種別はそれぞれ一つずつの変動パターンのみを含む構成としていたが、複数の変動パターンを含むようにしてもよい。この場合、同じ変動パターン種別にバトルモード継続の変動パターン、バトルモード転落の変動パターンのみが含まれる構成とすればよい。こうすることで、バトル負け時の演出が多彩になる。
【０１１２】
以上のように、演出モードが「通常モード」、「バトルモード」、「チャンスモード」、「激アツモード」のいずれであるかによって、異なる大当り用変動パターン種別判定用データ１３３Ａ〜１３３Ｊを使用するので、演出モードに応じて異なる変動パターン種別に決定することが可能となる。
【０１１３】
ＲＯＭ１０１が記憶する変動パターン種別判定用データには、図１２（Ａ）に示すリーチハズレ用変動パターン種別判定用データ１３４が含まれている。リーチハズレ用変動パターン種別判定用データ１３４は、「通常モード」、「チャンスモード」、「激アツモード」において飾り図柄の可変表示状態をリーチ状態とする旨の判定がなされたときに、変動パターン種別を、変動パターン種別判定用の乱数値ＭＲ４及び合計保留記憶数に基づいて複数種類のいずれかに決定するために参照される判定用データである。リーチハズレ用変動パターン種別判定用データ１３４は、合計保留記憶数が「３」以下であるか「４」以上であるかに応じて、変動パターン種別判定用の乱数値ＭＲ４を、ノーマルＡ２−１、スーパーＡ２−２、スーパーＡ２−３の変動パターン種別のいずれかに割り当てる判定用データなどから構成されている。なお、「バトルモード」では、リーチハズレとならないのでリーチハズレ用変動パターン種別判定用データ１３４が使用されることはない。
【０１１４】
ここで、リーチハズレ用変動パターン種別判定用データ１３４の設定では、合計保留記憶数が「３」以下であることに対応して、変動パターン種別判定用の乱数値ＭＲ４のうち「１」〜「６０」の範囲の値をノーマルＡ２−１の変動パターン種別に割り当てる一方で、それ以外の乱数値をスーパーＡ２−２やスーパーＡ２−３の変動パターン種別に割り当てる。また、合計保留記憶数が「４」以上であることに対応して、変動パターン種別判定用の乱数値ＭＲ４のうち「１」〜「７０」の範囲の値をノーマルＡ２−１の変動パターン種別に割り当てる。これらの設定により、合計保留記憶数が所定数（例えば「４」）以上であるときには、所定数未満であるときに比べて、「ノーマル」のリーチ演出が実行されるノーマルＡ２−１の変動パターン種別に決定される割合が高くなる。そして、「ノーマル」のリーチ演出を実行する変動パターンにおける平均的な特図変動時間が「ノーマル」以外のリーチ演出を実行する変動パターンにおける平均的な特図変動時間に比べて短くなるように設定されていれば、合計保留記憶数が所定数以上であるときには、所定数未満であるときに比べて、平均的な特図変動時間を短縮することができる。
【０１１５】
ＲＯＭ１０１が記憶する変動パターン種別判定用データには、図１２（Ｂ）〜（Ｄ）に示す非リーチハズレ用変動パターン種別判定用データ１３５Ａ〜１３５Ｃが含まれている。非リーチハズレ用変動パターン種別判定用データ１３５Ａ〜１３５Ｃは、飾り図柄の可変表示状態をリーチ状態としない旨の判定がなされたときに、変動パターン種別を、変動パターン種別判定用の乱数値ＭＲ４及び合計保留記憶数に基づいて複数種類のいずれかに決定するために参照される判定用データである。各非リーチハズレ用変動パターン種別判定用データ１３５Ａ〜１３５Ｃは、演出モードが「通常モード」、「バトルモード」、「チャンスモード」、「激アツモード」にいずれであるかに応じて、判定用データとして選択される。すなわち、「通常モード」である場合非リーチハズレ用変動パターン種別判定用データ（通常モード）１３５Ａが選択され、「バトルモード」である場合非リーチハズレ用変動パターン種別判定用データ（バトルモード）１３５Ｂが選択され、「チャンスモード」または「激アツモード」である場合非リーチハズレ用変動パターン種別判定用データ（チャンスモード・激アツモード）１３５Ｃが選択される。各非リーチハズレ用変動パターン種別判定用データ１３５Ａ〜１３５Ｃは、合計保留記憶数が「３」以下であるか「４」以上であるかに応じて、変動パターン種別判定用の乱数値ＭＲ４を、非リーチＡ１−１〜非リーチＡ１−３、非リーチＢ１−１〜非リーチＢ１−２、非リーチＣ１−１〜非リーチＣ１−２の変動パターン種別のいずれかに割り当てる判定用データなどから構成されている。
【０１１６】
ＲＯＭ１０１が記憶する変動パターン判定用データには、図１３、図１４（Ａ）及び（Ｂ）に示す大当り変動パターン判定用データ１３６Ａ〜１３６Ｃが含まれている。大当り変動パターン判定用データ１３６Ａ〜１３６Ｃは、可変表示結果を「大当り」とする旨の判定がなされたときに、大当り種別や変動パターン種別の決定結果などに応じて、変動パターンを、変動パターン判定用の乱数値ＭＲ５に基づいて複数種類のいずれかに決定するために参照される判定用データである。各大当り変動パターン判定用データ１３６Ａ〜１３６Ｃは、変動パターン種別の決定結果に応じて、判定用データとして選択される。すなわち、「通常モード」の大当り用変動パターン種別であるノーマルＡ３−１、スーパーＡ３−２〜スーパーＡ３−５、特殊Ａ４−１〜特殊Ａ４−２のいずれかとする旨の決定結果に応じて大当り変動パターン判定用データ（通常モード）１３６Ａが選択され、「バトルモード」の大当り用変動パターン種別であるバトル勝ちＢ３−１〜Ｂ３−３、バトル負けＢ４−１、バトル負けＢ４−２のいずれかとする旨の決定結果に応じて大当り変動パターン判定用データ（バトルモード）１３６Ｂが選択され、「チャンスモード」または「激アツモード」の大当り用変動パターン種別であるチャンスＣ３−１、チャンスＣ４−１のいずれかとする旨の決定結果に応じて大当り変動パターン判定用データ（チャンスモード・激アツモード）１３６Ｃが選択される。各大当り変動パターン判定用データ１３６Ａ〜１３６Ｃは、変動パターン種別に応じて、変動パターン判定用の乱数値ＭＲ５を、飾り図柄の可変表示結果が「大当り」である場合に対応した複数種類の変動パターンのいずれかに割り当てる判定用データなどから構成されている。
【０１１７】
ＲＯＭ１０１が記憶する変動パターン判定用データには、図１５（Ａ）に示すリーチハズレ用変動パターン判定用データ１３７が含まれている。リーチハズレ用変動パターン判定用データ１３７は、可変表示結果を「ハズレ」とする旨の判定がなされたときであってリーチ状態とする決定結果などに応じて、変動パターンを、変動パターン判定用の乱数値ＭＲ５に基づいて複数種類のいずれかに決定するために参照される判定用データである。リーチハズレ用変動パターン判定用データ１３７は、変動パターン種別に応じて、変動パターン判定用の乱数値ＭＲ５を、飾り図柄の可変表示結果が「ハズレ」であり可変表示態様が「リーチ」である場合に対応した複数種類の変動パターンのいずれかに割り当てる判定用データなどから構成されている。
【０１１８】
ＲＯＭ１０１が記憶する変動パターン判定用データには、図１５（Ｂ）〜（Ｄ）に示す非リーチハズレ用変動パターン判定用データ１３８Ａ〜１３８Ｃが含まれている。非リーチハズレ用変動パターン判定用データ１３８Ａ〜１３８Ｃは、可変表示結果を「ハズレ」とする旨の判定がなされたときであってリーチ状態としない決定結果などに応じて、変動パターンを、変動パターン判定用の乱数値ＭＲ５に基づいて複数種類のいずれかに決定するために参照される判定用データである。各非リーチハズレ用変動パターン判定用データ１３８Ａ〜１３８Ｃは、変動パターン種別の決定結果に応じて、判定用データとして選択される。すなわち、「通常モード」の非リーチハズレ用変動パターン種別である非リーチＡ１−１〜非リーチＡ１−３のいずれかとする旨の決定結果に応じて非リーチハズレ用変動パターン判定用データ（通常モード）１３８Ａが選択され、「バトルモード」の非リーチ用変動パターン種別である非リーチＢ１−１、非リーチＢ１−２のいずれかとする旨の決定結果に応じて非リーチハズレ用変動パターン判定用データ（バトルモード）１３８Ｂが選択され、「チャンスモード」または「激アツモード」の非リーチ用変動パターン種別である非リーチＣ１−１、非リーチＣ１−２のいずれかとする旨の決定結果に応じて非リーチハズレ用変動パターン判定用データ（チャンスモード・激アツモード）１３８Ｃが選択される。非リーチハズレ用変動パターン判定用データ１３８Ａ〜１３８Ｃは、変動パターン種別に応じて、変動パターン判定用の乱数値ＭＲ５を、飾り図柄の可変表示結果が「ハズレ」であり可変表示態様が「リーチ」でない場合に対応した複数種類の変動パターンのいずれかに割り当てる判定用データなどから構成されている。
【０１１９】
ここで、図１５（Ｂ）に示す非リーチハズレ用変動パターン判定用データ１３８Ａの設定では、非リーチＡ１−３の変動パターン種別となる場合に対応して、非リーチ３、非リーチ４といった特定演出を実行する変動パターンに、変動パターン判定用の乱数値ＭＲ５が割り当てられている。このような設定により、「非リーチハズレ」となる場合にも、図１３に示す「大当り」となる場合の変動パターンであるリーチＡ２、リーチＡ３などや、図１５（Ａ）に示す「リーチハズレ」となる場合の変動パターンであるリーチハズレＡ２、リーチハズレＡ３などと同様に、特定演出となる演出動作を実行することができる。また、非リーチハズレ用変動パターン判定用データ１３８Ａの設定では、非リーチＡ１−１の変動パターン種別（合計保留記憶数が３以下のときに決定される）となる場合に対応して非リーチ１の変動パターンに決定され、非リーチＡ１−２の変動パターン種別（合計保留記憶数が４以上のときに決定される）となる場合に対応して非リーチ２の変動パターンに決定される。非リーチ２の変動パターンは非リーチ１の変動パターンよりも変動時間が短く設定されている。このような設定により合計保留記憶数が４以上のときの特図変動時間を３以下のときより短くすることができる。なお、特定演出を実行する非リーチ３、非リーチ４の特図変動時間は非リーチ１の変動パターンよりも長く設定される。図１２（Ｂ）に示した非リーチハズレ用変動パターン種別判定用データ１３５Ａでは、合計保留記憶数が３以下であるときよりも４以上であるときに、変動パターン種別Ａ１−３に決定される割合が少なくなっている。このようにすることで、合計保留記憶数が４以上であるときの特定演出の発生割合を下げることができ、平均的な特図変動時間を短縮することができる。
【０１２０】
同様に、非リーチハズレ用変動パターン判定用データ１３８Ｂの設定では、非リーチＢ１−１の変動パターン種別（合計保留記憶数が３以下のときに決定される）となる場合に対応して非リーチ５の変動パターンに決定され、非リーチＢ１−２の変動パターン種別（合計保留記憶数が３以下のときの５％及び４以上のときに決定される）となる場合に対応して非リーチ６の変動パターンに決定される。非リーチ６の変動パターンは非リーチ５の変動パターンよりも変動時間が短く設定されている。非リーチハズレ用変動パターン判定用データ１３８Ｃの設定では、非リーチＣ１−１の変動パターン種別（合計保留記憶数が３以下のときに決定される）となる場合に対応して非リーチ７の変動パターンに決定され、非リーチＣ１−２の変動パターン種別（合計保留記憶数が４以上のときに決定される）となる場合に対応して非リーチ８の変動パターンに決定される。非リーチ８の変動パターンは非リーチ７の変動パターンよりも変動時間が短く設定されている。
【０１２１】
図１３に示した大当り用変動パターン判定用データ１３６Ａにおいて変動パターンリーチＡ１〜リーチＡ３は、リーチＡ（ノーマルリーチ）を伴う変動パターンであって、変動パターンリーチＢ１〜リーチＢ３は、リーチＢ（スーパーリーチ１）を伴う変動パターンであって、変動パターンリーチＣ１〜リーチＣ３は、リーチＣ（スーパーリーチ２）を伴う変動パターンであって、変動パターンリーチＤ１〜リーチＤ３は、リーチＤ（スーパーリーチ３）を伴う変動パターンである。また、図１５（Ａ）に示したリーチハズレ用変動パターン判定用データ１３７において変動パターンリーチハズレＡ１〜リーチハズレＡ３は、リーチＡ（ノーマルリーチ）を伴う変動パターンであって、変動パターンリーチハズレＢ１〜リーチハズレＢ３は、リーチＢ（スーパーリーチ１）を伴う変動パターンであって、変動パターンリーチハズレＣ１〜リーチハズレＣ３は、リーチＣ（スーパーリーチ２）を伴う変動パターンである。このように、この実施の形態では、同様のリーチ態様を伴う変動パターンを一つの変動パターン種別として設定している。同一の変動パターン種別内で変動パターンを追加したり、変動パターンを発生率の設定を変更する際には、変動パターン種別内の乱数値ＭＲ５の設定のみを変更すればよいので、遊技機の開発時間や乱数値の設定時間を短縮化することができる。また、リーチ態様を追加して変動パターン種別を追加したり、当該リーチ態様（変動パターン種別）の発生率の設定を変更する際には、変動パターン種別決定用の乱数値ＭＲ４の設定のみを変更すればよいので、遊技機の開発時間や乱数値の設定時間を短縮化することができる。
【０１２２】
図２に示す遊技制御用マイクロコンピュータ１００が備えるＲＡＭ１０２には、パチンコ遊技機１における遊技の進行などを制御するために用いられる各種のデータを保持する領域として、例えば図１６に示すような遊技制御用データ保持エリア１５０が設けられている。図１６に示す遊技制御用データ保持エリア１５０は、第１特図保留記憶部１５１Ａと、第２特図保留記憶部１５１Ｂと、始動データ記憶部１５１Ｃと、遊技制御フラグ設定部１５２と、遊技制御タイマ設定部１５３と、遊技制御カウンタ設定部１５４と、遊技制御バッファ設定部１５５とを備えている。
【０１２３】
第１特図保留記憶部１５１Ａは、普通入賞球装置６Ａが形成する第１始動入賞口に遊技球が入賞して第１始動条件は成立したが第１開始条件は成立していない特図ゲーム（第１特別図柄表示装置４Ａによる第１特図を用いた特図ゲーム）の保留データを記憶する。一例として、第１特図保留記憶部１５１Ａは、第１始動入賞口への入賞順に保留番号と関連付けて、その入賞による第１始動条件の成立に基づいてＣＰＵ１０３により乱数回路１０４等から抽出された特図表示結果判定用の乱数値ＭＲ１を示す数値データや大当り種別判定用の乱数値ＭＲ２を示す数値データを保留データとし、その数が所定の上限値（例えば「４」）に達するまで記憶する。
【０１２４】
第２特図保留記憶部１５１Ｂは、普通可変入賞球装置６Ｂが形成する第２始動入賞口に遊技球が入賞して第２始動条件は成立したが第２開始条件は成立していない特図ゲーム（第２特別図柄表示装置４Ｂによる第２特図を用いた特図ゲーム）の保留データを記憶する。一例として、第２特図保留記憶部１５１Ｂは、第２始動入賞口への入賞順に保留番号と関連付けて、その入賞による第２始動条件の成立に基づいてＣＰＵ１０３により乱数回路１０４等から抽出された特図表示結果判定用の乱数値ＭＲ１を示す数値データや大当り種別判定用の乱数値ＭＲ２を示す数値データを保留データとし、その数が所定の上限値（例えば「４」）に達するまで記憶する。
【０１２５】
始動データ記憶部１５１Ｃは、第１始動入賞口と第２始動入賞口のいずれに遊技球が入賞したかを示す始動データを、各遊技球の入賞順を特定可能として記憶する。一例として、始動データ記憶部１５１Ｃは、第１始動入賞口への入賞に対応した「第１」の始動データ、あるいは、第２始動入賞口への入賞に対応した「第２」の始動データを、各遊技球の入賞順に従った保留番号と関連付けて記憶する。
【０１２６】
遊技制御フラグ設定部１５２には、パチンコ遊技機１における遊技の進行状況などに応じて状態を更新可能な複数種類のフラグが設けられている。例えば、遊技制御フラグ設定部１５２には、複数種類のフラグそれぞれについて、フラグの値を示すデータや、オン状態あるいはオフ状態を示すデータが記憶される。この実施の形態では、遊技制御フラグ設定部１５２に、特図プロセスフラグ、普図プロセスフラグ、大当りフラグ、確変フラグ、時短フラグ、モードフラグなどが設けられている。
【０１２７】
特図プロセスフラグは、第１特別図柄表示装置４Ａによる第１特図を用いた特図ゲームの進行や、第２特別図柄表示装置４Ｂによる第２特図を用いた特図ゲームの進行などを制御するために実行される図２６のステップＳ１５や図２７に示す特別図柄プロセス処理において、どの処理を選択・実行すべきかを指示する。普図プロセスフラグは、普通図柄表示器２０による普通図柄を用いた普図ゲームの進行などを制御するために実行される図２６のステップＳ１６や図３５に示す普通図柄プロセス処理において、どの処理を選択・実行すべきかを指示する。
【０１２８】
大当りフラグは、特図ゲームが開始されるときに可変表示結果を「大当り」とする旨の判定結果に対応して、オン状態にセットされる。その一方で、特図ゲームにおける確定特別図柄として大当り図柄が停止表示されたことなどに対応して、クリアされてオフ状態となる。確変フラグは、パチンコ遊技機１における遊技状態が確変状態に制御されることに対応してオン状態にセットされる一方で、確変状態が終了することなどに対応してクリアされてオフ状態となる。時短フラグは、パチンコ遊技機１における遊技状態が時短状態に制御されることに対応してオン状態にセットされる一方で、時短状態が終了することなどに対応してクリアされてオフ状態となる。モードフラグは、現在の遊技モードが通常モード、バトルモード、チャンスモード、激アツモードのいずれであるかを示す。
【０１２９】
遊技制御タイマ設定部１５３には、パチンコ遊技機１における遊技の進行を制御するために用いられる各種のタイマが設けられている。例えば、遊技制御タイマ設定部１５３には、複数種類のタイマそれぞれにおけるタイマ値を示すデータが記憶される。この実施の形態では、遊技制御タイマ設定部１５３に、遊技制御プロセスタイマ、特図変動タイマ、普図変動タイマなどが設けられている。
【０１３０】
遊技制御プロセスタイマは、例えば大当り遊技状態の進行を制御するための時間などを、主基板１１の側にて計測するためのものである。具体的な一例として、遊技制御プロセスタイマは、大当り遊技状態の進行を制御するために計測する時間に対応したタイマ値を示すデータを、遊技制御プロセスタイマ値として記憶し、定期的にカウントダウンするダウンカウンタとして用いられる。あるいは、遊技制御プロセスタイマは、大当り遊技状態の開始時点といった、所定時点からの経過時間に対応したタイマ値を示すデータを記憶し、定期的にカウントアップするアップカウンタとして用いられてもよい。
【０１３１】
特図変動タイマは、特図ゲームの実行時間である特図変動時間といった特図ゲームの進行を制御するための時間を、主基板１１の側にて計測するためのものである。具体的な一例として、特図変動タイマは、特図ゲームの進行を制御するために計測する時間に対応したタイマ値を示すデータを、特図変動タイマ値として記憶し、定期的にカウントダウンするダウンカウンタとして用いられる。あるいは、特図変動タイマは、特図ゲームの開始時点からの経過時間に対応したタイマ値を示すデータを記憶し、定期的にカウントアップするアップカウンタとして用いられてもよい。
【０１３２】
普図変動タイマは、普図ゲームの実行時間である普図変動時間といった普図ゲームの進行を制御するための時間を、主基板１１の側にて計測するためのものである。具体的な一例として、普図変動タイマは、普図ゲームの進行を制御するために計測する時間に対応したタイマ値を示すデータを、普図変動タイマ値として記憶し、定期的にカウントダウンするダウンカウンタとして用いられる。あるいは、普図変動タイマは、普図ゲームの開始時点からの経過時間に対応したタイマ値を示すデータを記憶し、定期的にカウントアップするアップカウンタとして用いられてもよい。
【０１３３】
遊技制御カウンタ設定部１５４には、パチンコ遊技機１における遊技の進行を制御するために用いられるカウント値を計数するためのカウンタが複数種類設けられている。例えば、遊技制御カウンタ設定部１５４には、複数種類のカウンタそれぞれにおけるカウント値を示すデータが記憶される。この実施の形態では、遊技制御カウンタ設定部１５４に、ランダムカウンタ、第１保留記憶数カウンタ、第２保留記憶数カウンタ、合計保留記憶数カウンタ、ラウンド数カウンタ、バトル勝利回数カウンタなどが設けられている。
【０１３４】
遊技制御カウンタ設定部１５４のランダムカウンタは、遊技の進行を制御するために用いられる乱数値を示す数値データの一部を、乱数回路１０４とは別個に、ＣＰＵ１０３がソフトウェアにより更新可能にカウントするためのものである。例えば、遊技制御カウンタ設定部１５４のランダムカウンタには、乱数値ＭＲ２、ＭＲ３、ＭＲ４、ＭＲ５を示す数値データが、ランダムカウント値として記憶され、ＣＰＵ１０３によるソフトウェアの実行に応じて、定期的あるいは不定期に、各乱数値を示す数値データが更新される。
【０１３５】
第１保留記憶数カウンタは、第１特図保留記憶部１５１Ａにおける保留データの数である第１保留記憶数をカウントするためのものである。例えば、第１保留記憶数カウンタには、第１保留記憶数に対応したカウント値データが、第１保留記憶数カウント値として記憶され、第１保留記憶数の増減に対応して更新（例えば１加算あるいは１減算）される。第２保留記憶数カウンタは、第２特図保留記憶部１５１Ｂにおける保留データの数である第２保留記憶数をカウントするためのものである。例えば、第２保留記憶数カウンタには、第２保留記憶数に対応したカウント値データが、第２保留記憶数カウント値として記憶され、第２保留記憶数の増減に対応して更新（例えば１加算あるいは１減算）される。合計保留記憶数カウンタは、第１保留記憶数と第２保留記憶数とを合計した合計保留記憶数をカウントするためのものである。例えば、合計保留記憶数カウンタには、合計保留記憶数に対応したカウント値データが、合計保留記憶数カウント値として記憶され、合計保留記憶数の増減に対応して更新（例えば１加算あるいは１減算）される。
【０１３６】
ラウンド数カウンタは、大当り遊技状態におけるラウンドの実行回数などをカウントするためのものである。例えば、ラウンド数カウンタには、大当り遊技状態の開始時にカウント初期値「１」を示すデータが、ラウンド数カウント値として設定される。そして、１回のラウンドが終了して次回のラウンドが開始されるときに、ラウンド数カウント値が１加算されて更新される。
【０１３７】
バトル勝利回数カウンタは、「バトルモード」中にバトルに勝利した回数（第１大当りまたは第２大当りとなった回数）をカウントするためのものである。例えば、バトル勝利回数カウンタは、第１大当りまたは第２大当りとなるたびに１加算され、「通常モード」となったときにリセットされる。
【０１３８】
遊技制御バッファ設定部１５５パチンコ遊技機１における遊技の進行を制御するために用いられるデータを一時的に記憶する各種のバッファが設けられている。例えば、遊技制御バッファ設定部１５５には、複数種類のバッファそれぞれにおけるバッファ値を示すデータが記憶される。この実施の形態では、遊技制御バッファ設定部１５５に、送信コマンドバッファ、変動特図指定バッファ、大当り種別バッファ、始動データバッファなどが設けられている。
【０１３９】
送信コマンドバッファは、主基板１１からサブ側の制御基板に対して制御コマンドを送信するための設定データを一時的に格納するために用いられる。例えば、送信コマンドバッファは、複数（例えば「１２」）のバッファ領域を備えて構成され、送信する制御コマンドに対応したコマンドテーブルのＲＯＭ１０１における記憶アドレスを示す設定データなどが、各バッファ領域に格納される。また、送信コマンドバッファにおいて設定データの書込や読出を行うバッファ領域は、送信コマンドポインタなどによって指定され、複数のバッファ領域をリングバッファとして使用することができるように構成されていればよい。
【０１４０】
変動特図指定バッファには、第１特別図柄表示装置４Ａによる第１特図を用いた特図ゲームと、第２特別図柄表示装置４Ｂによる第２特図を用いた特図ゲームのうち、いずれの特図ゲームが実行されるかを示すバッファ値が格納される。一例として、第１特別図柄表示装置４Ａによる第１特図を用いた特図ゲームが実行されることに対応して、変動特図指定バッファの値（変動特図指定バッファ値）が"１"に設定される。また、第２特別図柄表示装置４Ｂによる第２特図を用いた特図ゲームが実行されることに対応して、変動特図指定バッファ値が"２"に設定される。そして、特図ゲームが終了したことなどに対応して、変動特図指定バッファ値が"０"に設定される。
【０１４１】
大当り種別バッファには、可変表示結果が「大当り」となる場合における飾り図柄の可変表示態様を、「第１大当り」、「第２大当り」、「第３大当り」、「第４大当り」といった複数種類の大当り種別のいずれに決定するかの決定結果に対応したバッファ値が格納される。一例として、図８に示すような大当り種別判定用データ１３１での設定に基づき、大当り種別が「第１大当り」の場合には大当り種別バッファの値（大当り種別バッファ値）が「００」に設定され、大当り種別が「第２大当り」の場合には大当り種別バッファ値が「０１」に設定され、大当り種別が「第３大当り」の場合には大当り種別バッファ値が「０２」に設定され、大当り種別が「第４大当り」の場合には大当り種別バッファ値が「０３」に設定される。変動開始合計保留記憶数バッファには、第１特図または第２特図における特図ゲームの変動開始時に読み出された合計保留記憶数が一時的に格納される。なお、可変表示結果が「ハズレ」の場合に大当り種別バッファ値を「００」として、大当り種別が「第１大当り」の場合には大当り種別バッファ値が「０１」に設定される（以下、大当り種別バッファ値を１ずらす）ようにして、大当り種別バッファ値により、大当り種別だけでなく可変表示結果が「大当り」であるか否かも判定可能にしてもよい。
【０１４２】
図２に示す遊技制御用マイクロコンピュータ１００が備えるＩ／Ｏ１０５は、遊技制御用マイクロコンピュータ１００に伝送された各種信号を取り込むための入力ポートと、遊技制御用マイクロコンピュータ１００の外部へと各種信号を伝送するための出力ポートとを含んで構成されている。
【０１４３】
図２に示すように、演出制御基板１２には、プログラムに従って制御動作を行う演出制御用ＣＰＵ１２０と、演出制御用のプログラムや固定データ等を記憶するＲＯＭ１２１と、演出制御用ＣＰＵ１２０のワークエリアを提供するＲＡＭ１２２と、画像表示装置５における表示動作の制御内容を決定するための処理などを実行する表示制御部１２３と、演出制御用ＣＰＵ１２０とは独立して乱数値を示す数値データの更新を行う乱数回路１２４と、Ｉ／Ｏ１２５と、ＲＴＣＭ（リアルタイムクロックモジュール）１２６とが搭載されている。一例として、演出制御基板１２では、演出制御用ＣＰＵ１２０がＲＯＭ１２１から読み出したプログラムを実行することにより、演出用の電気部品による演出動作を制御するための処理が実行される。このときには、演出制御用ＣＰＵ１２０がＲＯＭ１２１から固定データを読み出す固定データ読出動作や、演出制御用ＣＰＵ１２０がＲＡＭ１２２に各種の変動データを書き込んで一時記憶させる変動データ書込動作、演出制御用ＣＰＵ１２０がＲＡＭ１２２に一時記憶されている各種の変動データを読み出す変動データ読出動作、演出制御用ＣＰＵ１２０がＩ／Ｏ１２５を介して演出制御基板１２の外部から各種信号の入力を受け付ける受信動作、演出制御用ＣＰＵ１２０がＩ／Ｏ１２５を介して演出制御基板１２の外部へと各種信号を出力する送信動作なども行われる。演出制御基板１２には、画像表示装置５に対して映像信号を伝送するための配線や、音声制御基板１３に対して情報信号としての効果音信号を伝送するための配線、ランプ制御基板１４に対して情報信号としての電飾信号を伝送するための配線などが接続されている。さらに、演出制御基板１２には、操作ボタン３０からの情報信号として操作態様に対応した操作検出信号を伝送するための配線も接続されている。
【０１４４】
演出制御基板１２では、例えば乱数回路１２４などにより、演出動作を制御するために用いられる各種の乱数値を示す数値データが更新可能にカウントされる。図１７は、演出制御基板１２の側においてカウントされる乱数値を例示する説明図である。図１７に示すように、この実施の形態では、演出制御基板１２の側において、第１〜第３最終停止図柄決定用の乱数値ＳＲ１−１〜ＳＲ１−３、リーチ図柄決定用の乱数値ＳＲ２、バトル前予告判定用の乱数値ＳＲ３、バトル後予告判定用の乱数値ＳＲ４のそれぞれを示す数値データが、カウント可能に制御される。なお、演出効果を高めるために、これら以外の乱数値が用いられてもよい。乱数回路１２４は、これらの乱数値ＳＲ１−１〜ＳＲ１−３、ＳＲ２、ＳＲ３、ＳＲ４の全部または一部を示す数値データをカウントするものであればよい。演出制御用ＣＰＵ１２０は、例えば図２５に示す演出制御カウンタ設定部１９３に設けられたランダムカウンタといった、乱数回路１２４とは異なるランダムカウンタを用いて、ソフトウェアによって各種の数値データを更新することで、乱数値ＳＲ１−１〜ＳＲ１−３、ＳＲ２、ＳＲ３、ＳＲ４の一部を示す数値データをカウントするようにしてもよい。また、演出制御基板１２に乱数回路１２４が搭載されていない場合には、演出制御用ＣＰＵ１２０がランダムカウンタを用いて、乱数値ＳＲ１−１〜ＳＲ１−３、ＳＲ２、ＳＲ３、ＳＲ４の全部を示す数値データをカウントするようにしてもよい。
【０１４５】
第１〜第３最終停止図柄決定用の乱数値ＳＲ１−１〜ＳＲ１−３は、飾り図柄の可変表示結果となる確定飾り図柄として、画像表示装置５の表示領域における「左」、「中」、「右」の各飾り図柄表示エリア５Ｌ、５Ｃ、５Ｒに停止表示される飾り図柄（最終停止図柄）を決定するために用いられる乱数値である。なお、ここでの最終停止図柄は、飾り図柄の可変表示が終了する時点で「左」、「中」、「右」の飾り図柄表示エリア５Ｌ、５Ｃ、５Ｒそれぞれにて最終的に停止表示される３つの飾り図柄のことである。一例として、第１最終停止図柄決定用の乱数値ＳＲ１−１は「１」〜「８０」の範囲の値をとり、第２最終停止図柄決定用の乱数値ＳＲ１−２は「１」〜「７０」の範囲の値をとり、第３最終停止図柄決定用の乱数値ＳＲ１−３は「１」〜「９６」の範囲の値をとる。
【０１４６】
リーチ図柄決定用の乱数値ＳＲ２は、可変表示結果がリーチハズレ組合せとなる場合に、「左」、「右」の各飾り図柄表示エリア５Ｌ、５Ｒにて停止表示される飾り図柄を決定するために用いられる乱数値であり、「１」〜「１００」の範囲の値をとる。
【０１４７】
バトル前予告判定用の乱数値ＳＲ３は、バトルモードにおいてバトル演出実行前に予告演出を実行するか否か、及び実行する場合における予告パターン種別を予め用意された複数種類のいずれかに決定するために用いられる乱数値であり、「１」〜「１００」の範囲の値をとる。バトル後予告判定用の乱数値ＳＲ４は、バトルモードにおいてバトル演出実行後に予告演出を実行するか否か、及び実行する場合における予告パターン種別を予め用意された複数種類のいずれかに決定するために用いられる乱数値であり、「１」〜「１００」の範囲の値をとる。
【０１４８】
図２に示す演出制御基板１２に搭載されたＲＯＭ１２１には、演出制御用のプログラムの他にも、演出動作を制御するために用いられる各種の選択用データなどが格納されている。例えば、ＲＯＭ１２１には、演出制御用ＣＰＵ１２０が各種の判定や選択、設定を行うために用意された複数の判定用データや選択用データ、制御パターンテーブルを構成するテーブルデータが記憶されている。
【０１４９】
ＲＯＭ１２１が記憶する決定テーブルには、所定の非リーチ組合せのいずれかとなる確定飾り図柄を決定するための決定用データとして、例えば図１８（Ａ）〜（Ｃ）に示す最終停止図柄決定用データ１６０Ａ〜１６０Ｃが含まれている。図１８（Ａ）に示す最終停止図柄決定用データ１６０Ａは、所定の非リーチ組合せとなる確定飾り図柄のうち、「左」の飾り図柄表示エリア５Ｌにて停止表示される確定飾り図柄となる左最終停止図柄ＦＺ１−１を、第１最終停止図柄決定用の乱数値ＳＲ１−１に基づいて決定するために参照される決定用データである。最終停止図柄決定用データ１６０Ａは、第１最終停止図柄決定用の乱数値ＳＲ１−１を、左最終停止図柄ＦＺ１−１となる飾り図柄の図柄番号「１」〜「８」に割り当てる決定用データなどから構成されている。図１８（Ｂ）に示す最終停止図柄決定用データ１６０Ｂは、所定の非リーチ組合せとなる確定飾り図柄のうち、「右」の飾り図柄表示エリア５Ｒにて停止表示される確定飾り図柄となる右最終停止図柄ＦＺ１−２を、左最終停止図柄ＦＺ１−１や第２最終停止図柄決定用の乱数値ＳＲ１−２に基づいて決定するために参照される決定用データである。最終停止図柄決定用データ１６０Ｂは、左最終停止図柄ＦＺ１−１として決定された飾り図柄の図柄番号「１」〜「８」に応じて、第２最終停止図柄決定用の乱数値ＳＲ１−２を、右最終停止図柄ＦＺ１−２となる飾り図柄の図柄番号「１」〜「８」に割り当てる決定用データなどから構成されている。図１８（Ｃ）に示す最終停止図柄決定用データ１６０Ｃは、所定の非リーチ組合せとなる確定飾り図柄のうち、「中」の飾り図柄表示エリア５Ｃにて停止表示される確定飾り図柄となる中最終停止図柄ＦＺ１−３を、左最終停止図柄ＦＺ１−１や右最終停止図柄ＦＺ１−２、第３最終停止図柄決定用の乱数値ＳＲ１−３などに基づいて決定するために参照される決定用データである。例えば、各図柄決定用データの乱数値の割り当てによって、「擬似連」のときに仮停止される図柄や「発展チャンス目」の図柄を、特定演出が実行されない非リーチハズレのときに出現させないようにすることできる。
【０１５０】
ここで、ＲＯＭ１２１が記憶する判定用データには、図１９に示すような左右出目判定用データ１６１が含まれており、左最終停止図柄ＦＺ１−１と右最終停止図柄ＦＺ１−２との組合せから、左右出目タイプＤＣ１−１がＬＲ０、ＬＲ１１〜ＬＲ１８、ＬＲ３１〜ＬＲ３８のいずれに該当するかの判定が行われる。最終停止図柄決定用データ１６０Ｃは、左右出目タイプＤＣ１−１がＬＲ０、ＬＲ１１〜ＬＲ１８、ＬＲ３１〜ＬＲ３８のいずれに該当するかの判定結果に応じて、第３最終停止図柄決定用の乱数値ＳＲ１−３を、中最終停止図柄ＦＺ１−３となる飾り図柄の図柄番号「１」〜「８」に割り当てる決定用データなどから構成されている。
【０１５１】
図１８（Ｂ）に示す最終停止図柄決定用データ１６０Ｂでは、左最終停止図柄ＦＺ１−１となる飾り図柄の図柄番号と右最終停止図柄ＦＺ１−２となる飾り図柄の図柄番号とが同一となる部分には、第２最終停止図柄決定用の乱数値ＳＲ１−２が割り当てられていない。このような割当てにより、最終停止図柄として所定の非リーチ組合せとなる確定飾り図柄を決定する場合に、その確定飾り図柄の組合せがリーチ組合せや大当り組合せとはならないようにすることができる
【０１５２】
ＲＯＭ１２１が記憶する決定用データには、リーチハズレ組合せとなる確定飾り図柄を決定するための決定用データとして、例えば図２０に示すリーチ図柄決定用データ１６２が含まれている。図２０に示すリーチ図柄決定用データ１６２は、リーチハズレ組合せとなる確定飾り図柄のうち、「左」の飾り図柄表示エリア５Ｌにて停止表示される確定飾り図柄となる左最終停止図柄と、「右」の飾り図柄表示エリア５Ｒにて停止表示される確定飾り図柄となる右最終停止図柄Ｆとを、リーチ図柄決定用の乱数値ＳＲ２に基づいて決定するために参照される決定用データである。リーチ図柄決定用データ１６２は、リーチ図柄決定用の乱数値ＳＲ２を、左最終停止図柄及び右最終停止図柄として同一になる飾り図柄（左右最終停止図柄ＦＺ２−１、ＦＺ２−２）の図柄番号「１」〜「８」に割り当てる決定用データなどから構成されている。また、図２０に示すように、リーチ図柄決定用データ１６２は、合計保留記憶数に応じて複数パターン用意される。この実施の形態では、リーチハズレとなるときに合計保留記憶数と同じ図柄番号のリーチ図柄には、リーチ図柄判定用の乱数値ＳＲ３が他より少なく割り振られているか、割り振られていない。即ち、合計保留記憶数と同じ図柄番号のリーチ態様となった場合、「大当り」となりやすいリーチ態様（図柄番号「１」「２」「４」〜「６」「８」）であるか、鉄板リーチ（図柄番号「３」「７」）となるように設定データが構成されている。
【０１５３】
なお、リーチハズレ組合せを構成する中最終停止図柄は、大当り組合せとなることを避けるため、左最終停止図柄や右最終停止図柄となる飾り図柄の図柄番号と同一または１つ大きい図柄番号以外の飾り図柄が選択されるようにすればよい。
【０１５４】
また、ＲＯＭ１２１が記憶する決定用データには、大当り組合せを決定するための決定用データが含まれる。図２１に示す第３・第４大当り組合せ決定用データ１６３は、大当り種別が「第３大当り」または「第４大当り」となる場合の大当り組合せ（第３大当り組合せ・第４大当り組合せ）を、第１最終停止図柄決定用の乱数値ＳＲ１−１に基づいて決定するために参照される決定用データである。第３・第４大当り組合せ決定用データ１６３は、第１最終停止図柄決定用の乱数値ＳＲ１−１を、第３大当り組合せ・第４大当り組合せに割り当てる決定用データなどから構成されている。この実施の形態では、図２１に示すように、画像表示装置５における「左」、「中」、「右」の各飾り図柄表示エリア５Ｌ、５Ｃ、５Ｒにて、「１・２・１」、「２・３・２」、「３・４・３」、「４・５・４」、「５・６・５」、「６・７・６」、「７・８・７」、「８・１・８」となる飾り図柄の組合せが第３大当り組合せまたは第４大当り組合せである。なお、第３大当り組合せと第４大当り組合とは共通の飾り図柄の組合せとしたが、それぞれ別の組合せを用意してもよい。また、大当り種別が「第１大当り」となる場合の大当り組合せ（第１大当り組合せ）と、「第２大当り」となる場合の大当り組合せ（第２大当り組合せ）とを、決定するための決定用データも用意される。
【０１５５】
ＲＯＭ１２１が記憶する選択用データには、図２２に示す予告選択用データ１７０、１７１が含まれている。図２２（Ａ）に示す、バトル前予告選択用データ１７０は、バトル前予告判定用の乱数値ＳＲ３に基づいてバトル前予告演出を実行するか否か、及び実行する場合の予告パターンの種別を複数種類（予告Ａ〜予告Ｃ）のいずれかに決定するための選択用データである。
【０１５６】
バトル前予告選択用データ１７０は、可変表示結果が、「大当り」であるか「ハズレ」であるか、及び大当り種別がいずれであるかによって、乱数値ＳＲ３の割り当てが異なる。また、可変表示結果が「ハズレ」である場合は、第１特別図柄表示装置４Ａまたは第２特別図柄表示装置４Ｂのいずれの可変表示結果であるかによっても乱数値ＳＲ３の割り当てが異なる。例えば、第１特別図柄表示装置４Ａの可変表示結果が「ハズレ」である場合、予告なしに乱数値のうち「１」〜「９０」の範囲の値（９０％）が割り振られ、予告Ａの予告パターンに「９１」〜「９７」の範囲の値（７％）が割り振られ、予告Ｂの予告パターンに「９８」〜「１００」の範囲の値（３％）が割り振られる。第２特別図柄表示装置４Ｂの可変表示結果が「ハズレ」である場合、予告なしに乱数値のうち「１」〜「８０」の範囲の値（８０％）が割り振られ、予告Ａの予告パターンに「８１」〜「９７」の範囲の値（１７％）が割り振られ、予告Ｂの予告パターンに「９８」〜「１００」の範囲の値（３％）が割り振られる。即ち、可変表示結果が「ハズレ」である場合には、バトル前予告演出が実行される割合が少ない（１０％または２０％実行される）。また、第２特別図柄表示装置４Ｂに対応した可変表示のときに（２０％実行）、第１特別図柄表示装置４Ａの可変表示のとき（１０％実行）よりもバトル前予告演出が実行されやすくなっている。可変表示結果が「第１大当り」である場合、予告なしに乱数値のうち「１」〜「２０」の範囲の値（２０％）が割り振られ、予告Ａの予告パターンに「２１」〜「５０」の範囲の値（３０％）が割り振られ、予告Ｂの予告パターンに「５１」〜「９６」の範囲の値（４６％）が割り振られ、予告Ｃの予告パターンに「９７」〜「１００」の範囲の値（４％）が割り振られる。可変表示結果が「第２大当り」である場合、予告なしに乱数値のうち「１」〜「２０」の範囲の値（２０％）が割り振られ、予告Ａの予告パターンに「２１」〜「５０」の範囲の値（３０％）が割り振られ、予告Ｂの予告パターンに「５１」〜「１００」の範囲の値（５０％）が割り振られる。可変表示結果が「第３大当り」または「第４大当り」である場合、予告なしに乱数値のうち「１」〜「２０」の範囲の値（２０％）が割り振られ、予告Ａの予告パターンに「２１」〜「８０」の範囲の値（６０％）が割り振られ、予告Ｂの予告パターンに「８１」〜「１００」の範囲の値（２０％）が割り振られる。
【０１５７】
このような設定により、可変表示結果が「大当り」となる場合のバトル前予告演出の実行が多くなる（８０％実行される）。また、予告Ｃのバトル前予告演出が実行された場合は、「第１大当り」となることが確定する。そして、予告Ａのバトル前予告演出が実行された場合よりも、予告Ｂのバトル前予告演出が実行された場合の方が、「第１大当り」または「第２大当り」となる割合が、「第３大当り」または「第４大当り」となる割合より高く設定されている。このように、バトル前予告演出の実行の有無や、種別によって「大当り」となる信頼度や、いずれの大当り種別となるかの割合（「バトルモード」が継続する割合）が異なるため、バトル前予告演出によって遊技者の期待感を高めることができる。
【０１５８】
図２２（Ｂ）に示す、バトル後予告選択用データ１７０は、バトル後予告判定用の乱数値ＳＲ４に基づいてバトル後予告演出を実行するか否か、及び実行する場合の予告パターンの種別を複数種類（予告Ｄ１、予告Ｄ２、予告Ｅ１、予告Ｅ２）のいずれかに決定するための選択用データである。
【０１５９】
バトル後予告選択用データ１７１は、可変表示結果（大当り種別）が、「第１大当り」または「第２大当り」であるか、「第３大当り」または「第４大当り」であるかによって、乱数値ＳＲ４の割り当てが異なる。大当り種別が「第１大当り」または「第２大当り」である場合、予告なしに乱数値のうち「１」〜「２０」の範囲の値（２０％）が割り振られ、予告Ｄ１の予告パターンに「２１」〜「３８」の範囲の値（１８％）が割り振られ、予告Ｄ１の予告パターンに「３９」、「４０」の範囲の値（２％）が割り振られ、予告Ｅ１の予告パターンに「４１」〜「１００」の範囲の値（６０％）が割り振られる。可変表示結果が「第３大当り」または「第４大当り」である場合、予告なしに乱数値のうち「１」〜「２０」の範囲の値（２０％）が割り振られ、予告Ｄ１の予告パターンに「２１」、「２２」の範囲の値（２％）が割り振られ、予告Ｄ２の予告パターンに「２１」〜「８０」の範囲の値（５８％）が割り振られ、予告Ｅ２の予告パターンに「８１」〜「１００」の範囲の値（２０％）が割り振られる。
【０１６０】
このような設定により、予告Ｄ（予告Ｄ１、予告Ｄ２）のバトル後予告演出が実行された場合よりも、予告Ｅ（予告Ｅ１、予告Ｅ２）のバトル後予告演出が実行された場合の方が、「第１大当り」または「第２大当り」となる割合が、「第３大当り」または「第４大当り」となる割合より高く設定されている。このように、バトル後予告演出の種別によって、いずれの大当り種別となるかの割合（「バトルモード」が継続する割合）が異なるため、バトル後予告演出によって遊技者の期待感を高めることができる。
【０１６１】
ＲＯＭ１２１が記憶する制御パターンテーブルには、例えば図２３に示すような構成を有する演出制御パターンテーブル１８０が用いられる。この演出制御パターンテーブル１８０には、表示制御基板１３に対して送信する表示制御指令を示すデータや、スピーカ８Ｌ、８Ｒ等の音声出力制御の内容、遊技効果ランプ９等による演出内容といった、各種の演出制御の内容を示すデータが、演出制御パターンとして複数種類格納されていればよい。演出制御パターンテーブル１８０に格納される複数種類の演出制御パターンはそれぞれ、例えば図２４に示すように、演出制御プロセスタイマ設定値、演出制御プロセスタイマ判定値＃１〜＃ｎ（ｎは任意の自然数）、表示制御データ＃１〜＃ｎ、音声制御データ＃１〜＃ｎ、ランプ制御データ＃１〜＃ｎ、終了コードといった、演出動作を制御するための各種データから構成され、時系列的に、表示制御基板１３に対して送信する表示制御指令や、スピーカ８Ｌ、８Ｒからの音声出力内容、遊技効果ランプ９による演出内容といった、各種の演出制御の内容や、演出制御の切換タイミング等が設定されている。このような演出制御パターンとして、大当り種別や変動パターン、予告パターン、バトル演出パターン、昇格演出、救済演出、に対応したものが演出モードごとに用意されていればよい。例えば、大当り用の演出制御パターンとして、１５ラウンド大当り用の演出制御パターン、７ラウンド大当り用の演出制御パターン、通常モードにおける２ラウンド大当り用の演出制御パターン、バトルモードにおける２ラウンド大当り用の演出制御パターン、チャンスモードにおける２ラウンド大当り用の演出制御パターンなどが用意される。なお、大当り中の演出は、大当り種別（ラウンド数）に応じて異なるものとなるが、大当り種別だけでなく演出モードや変動パターンに応じて異ならせるように演出制御パターンが設定されていてもよい。例えば、通常モードにおける２ラウンド大当り用の演出制御パターンと、バトルモードにおける２ラウンド大当り用の演出制御パターンと、チャンスモードにおける２ラウンド大当り用の演出制御パターンとで、２ラウンド大当り中の演出（モード移行演出）を異ならせてもよい。
【０１６２】
図２に示す演出制御基板１２に搭載されたＲＡＭ１２２には、演出動作を制御するために用いられる各種データを保持する領域として、例えば図２５に示すような演出制御用データ保持エリア１９０が設けられている。図２５に示す演出制御用データ保持エリア１９０は、演出制御フラグ設定部１９１と、演出制御タイマ設定部１９２と、演出制御カウンタ設定部１９３と、演出制御バッファ設定部１９４とを備えている。
【０１６３】
演出制御フラグ設定部１９１には、例えば画像表示装置５の表示領域における演出画像の表示状態といった演出動作状態や主基板１１から伝送された演出制御コマンド等に応じて状態を更新可能な複数種類のフラグが設けられている。例えば、演出制御フラグ設定部１９１には、複数種類のフラグそれぞれについて、フラグの値を示すデータや、オン状態あるいはオフ状態を示すデータが記憶される。
【０１６４】
演出制御タイマ設定部１９２には、例えば画像表示装置５の表示領域における演出画像の表示動作といった各種演出動作の進行を制御するために用いられる複数種類のタイマが設けられている。例えば、演出制御タイマ設定部１９２には、複数種類のタイマそれぞれにおけるタイマ値を示すデータが記憶される。
【０１６５】
演出制御カウンタ設定部１９３には、各種演出動作の進行を制御するために用いられる複数種類のカウンタが設けられている。例えば、演出制御カウンタ設定部１９３には、複数種類のカウンタそれぞれにおけるカウント値を示すデータが記憶される。
【０１６６】
演出制御バッファ設定部１９４には、各種演出動作の進行を制御するために用いられるデータを一時的に記憶する各種のバッファが設けられている。例えば、演出制御バッファ設定部１９４には、複数種類のバッファそれぞれにおけるバッファ値を示すデータが記憶される。
【０１６７】
図２に示す演出制御基板１２に搭載された表示制御部１２３は、演出制御用ＣＰＵ１２０からの表示制御指令などに基づき、画像表示装置５における表示動作の制御内容を決定する。例えば、表示制御部１２３は、画像表示装置５の表示領域に表示させる演出画像の切替タイミングを決定することなどにより、飾り図柄の可変表示やリーチ演出における演出表示といった各種の演出表示を実行させるための制御を行う。表示制御部１２３は、ＶＤＰ（Video Display Processor）、ＣＧＲＯＭ（Character Generator ROM）、ＶＲＡＭ（Video RAM）、ＬＣＤ駆動回路などを備えて構成されていればよい。
【０１６８】
演出制御基板１２に搭載されたＩ／Ｏ１２５は、例えば主基板１１などから伝送された演出制御コマンドや操作ボタン３０から伝送された操作検出信号等の各種信号を取り込むための入力ポートと、演出制御基板１２の外部へと各種信号を伝送するための出力ポートとを含んで構成される。例えば、Ｉ／Ｏ１２５の出力ポートからは、画像表示装置５へと伝送される映像信号や、音声制御基板１３へと伝送される効果音信号、ランプ制御基板１４へと伝送される電飾信号などが出力される。演出制御基板１２に搭載されたＲＴＣＭ１２６は、現在の「年」、「月」、「日」、「曜日」、「時」、「分」、「秒」を示すために計時を行なう装置である。演出制御用ＣＰＵ１２０は、初回電源投入時（遊技機１の稼働開始日時）にＲＴＣＭ１２６から日時情報を取得し、当該取得した日時情報を例えば演出制御タイマ設定部１９２などに稼働開始日時に記憶する。その後、ＲＴＣＭ１２６から取得した日時情報と当該記憶した稼働開始日時とを比較することで、演出制御基板１２において稼働開始日時からの時間を算出することができる。
【０１６９】
音声制御基板１３には、例えば入出力ドライバや音声合成用ＩＣ、音声データＲＯＭ、増幅回路、ボリュームなどが搭載されている。一例として、音声制御基板１３では、演出制御基板１２から伝送された効果音信号に示される音番号データが入出力ドライバを介して音声合成用ＩＣに入力される。音声合成用ＩＣは、音番号データに応じた音声や効果音を生成し増幅回路に出力する。増幅回路は、音声合成用ＩＣの出力レベルを、ボリュームで設定されている音量に応じたレベルに増幅した音声信号を、スピーカ８Ｌ、８Ｒに出力する。音声データＲＯＭには、音番号データに応じた制御データが格納されており、音声合成用ＩＣが音番号データに応じた制御データを読み出して、音声や効果音が生成される。音声データＲＯＭの記憶データは、所定期間における音声や効果音の出力態様を時系列的に示すデータなどから構成されていればよい。
【０１７０】
ランプ制御基板１４には、例えば入出力ドライバやランプドライバなどが搭載されている。一例として、ランプ制御基板１４では、演出制御基板１２から伝送された電飾信号が、入出力ドライバを介してランプドライバに入力される。ランプドライバは、電飾信号を増幅して遊技効果ランプ９などに供給する。
【０１７１】
次に、本実施例におけるパチンコ遊技機１の動作（作用）を説明する。主基板１１では、所定の電源基板からの電力供給が開始されると、遊技制御用マイクロコンピュータ１００が起動し、ＣＰＵ１０３によって遊技制御メイン処理となる所定の処理が実行される。遊技制御メイン処理を開始すると、ＣＰＵ１０３は、割込み禁止に設定した後、必要な初期設定を行う。この初期設定では、例えばＲＡＭ１０２がクリアされる。また、遊技制御用マイクロコンピュータ１００に内蔵されたＣＴＣ（カウンタ／タイマ回路）のレジスタ設定を行う。これにより、以後、所定時間（例えば、２ミリ秒）ごとにＣＴＣから割込み要求信号がＣＰＵ１０３へ創出され、ＣＰＵ１０３は定期的にタイマ割込み処理を実行することができる。初期設定が終了すると、割込みを許可した後、ループ処理に入る。なお、遊技制御メイン処理では、パチンコ遊技機１の内部状態を前回の電力供給停止時における状態に復帰させるための処理を実行してから、ループ処理に入るようにしてもよい。即ち、電力供給時に、電力供給停止時の内部状態を保持するための処理が実行されている場合には、保持された内部状態に基づきＲＡＭ１０２を設定し、また前回の状態や演出モードなどに対応するコマンドを演出制御基板１２に送信する。そして、当該コマンドに基づき演出制御基板１２の側では演出状態を復旧する。このような処理を実行するので、電力供給停止時の状態に復帰することができるので、遊技者に不信感を与えることがない。こうした遊技制御メイン処理を実行したＣＰＵ１０３は、ＣＴＣからの割込み要求信号を受信して割込み要求を受け付けると、図２６のフローチャートに示す遊技制御用タイマ割込み処理を実行する。
【０１７２】
図２６に示す遊技制御用タイマ割込み処理を開始すると、ＣＰＵ１０３は、まず、所定のスイッチ処理を実行することにより、スイッチ回路１１０を介して各スイッチ２１、２２Ａ、２２Ｂ、２３などから入力される検出信号の状態を判定する（ステップＳ１１）。続いて、所定のエラー処理を実行することにより、パチンコ遊技機１の異常診断を行い、その診断結果に応じて必要ならば警告を発生可能とする（ステップＳ１２）。この後、所定の情報出力処理を実行することにより、例えばパチンコ遊技機１の外部に設置されたホール管理用コンピュータに供給される大当り情報、始動情報、確率変動情報などのデータを出力する（ステップＳ１３）。
【０１７３】
情報出力処理に続いて、主基板１１の側で用いられる乱数値ＭＲ１、ＭＲ２、ＭＲ３、ＭＲ４、ＭＲ５などの少なくとも一部をソフトウェアにより更新するためのメイン側乱数値更新処理を実行する（ステップＳ１４）。この後、ＣＰＵ１０３は、特別図柄プロセス処理を実行する（ステップＳ１５）。特別図柄プロセス処理では、遊技制御フラグ設定部１５２に設けられた特図プロセスフラグの値をパチンコ遊技機１における遊技の進行状況に応じて更新し、第１特別図柄表示装置４Ａや第２特別図柄表示装置４Ｂにおける表示動作の制御や特別可変入賞球装置７における大入賞口の開閉動作設定などを所定の手順で行うために、各種の処理が選択されて実行される。
【０１７４】
特別図柄プロセス処理に続いて、普通図柄プロセス処理が実行される（ステップＳ１６）。ＣＰＵ１０３は、普通図柄プロセス処理を実行することにより、普通図柄表示器２０における表示動作（例えばセグメントＬＥＤの点灯、消灯など）を制御して、普通図柄の可変表示や普通可変入賞球装置６Ｂにおける可動翼片の傾動動作設定などを可能にする。普通図柄プロセス処理を実行した後、ＣＰＵ１０３は、コマンド制御処理を実行することにより、主基板１１から演出制御基板１２などのサブ側の制御基板に対して制御コマンドを伝送させる（ステップＳ１７）。一例として、コマンド制御処理では、遊技制御バッファ設定部１５５に設けられた送信コマンドバッファの値によって指定されたコマンド送信テーブルにおける設定に対応して、Ｉ／Ｏ１０５に含まれる出力ポートのうち、演出制御基板１２に対して演出制御コマンドを送信するための出力ポートに制御データをセットした後、演出制御ＩＮＴ信号の出力ポートに所定の制御データをセットして演出制御ＩＮＴ信号を所定時間にわたりオン状態としてからオフ状態とすることなどにより、コマンド送信テーブルでの設定に基づく演出制御コマンドの伝送を可能にする。コマンド制御処理が終了すると、割込み許可状態としてから、遊技制御用タイマ割込み処理を終了する。
【０１７５】
図２７は、特別図柄プロセス処理として、図２６に示すステップＳ１５にて実行される処理の一例を示すフローチャートである。この特別図柄プロセス処理において、ＣＰＵ１０３は、まず、始動入賞判定処理を実行する（ステップＳ１００）。図２８は、始動入賞判定処理の一例を示すフローチャートである。
【０１７６】
図２８に示す始動入賞判定処理において、ＣＰＵ１０３は、まず、図２に示す第１始動口スイッチ２２Ａと第２始動口スイッチ２２Ｂのうち、普通入賞球装置６Ａが形成する第１始動入賞口に対応して設けられた第１始動口スイッチ２２Ａからの検出信号がオン状態であるか否かを判定する（ステップＳ２０１）。このとき、第１始動口スイッチ２２Ａからの検出信号がオン状態であれば（ステップＳ２０１；Ｙｅｓ）、第１特図保留記憶部１５１Ａに記憶されている保留データの個数に対応した第１保留記憶数が、所定の上限値（例えば「４」）となっているか否かを判定する（ステップＳ２０２）。このとき、ＣＰＵ１０３は、遊技制御カウンタ設定部１５４に設けられた第１保留記憶数カウンタの値（第１保留記憶数カウント値）を読み取ることなどにより、第１保留記憶数を特定すればよい。
【０１７７】
ステップＳ２０２にて第１保留記憶数が上限値ではない場合には（ステップＳ２０２；Ｎｏ）、例えば第１保留記憶数カウント値を１加算することなどにより、第１保留記憶数を１加算する（ステップＳ２０３）。そして、乱数回路１０４やランダムカウンタによって更新されている数値データのうちから、特図表示結果判定用の乱数値ＭＲ１や大当り種別判定用の乱数値ＭＲ２を示す数値データを、抽出する（ステップＳ２０４）。このとき抽出した各乱数値を示す数値データが、保留データとして第１特図保留記憶部１５１Ａにおける空きエントリの先頭にセットされることで、各乱数値が記憶される（ステップＳ２０５）。続いて、例えばＲＯＭ１０１における第１始動口入賞指定コマンドテーブルの記憶アドレス（先頭アドレス）を送信コマンドバッファにセットすることなどにより、演出制御基板１２に対して第１始動口入賞指定コマンドを送信するための設定を行う（ステップＳ２０６）。こうして設定された第１始動口入賞指定コマンドは、例えば特別図柄プロセス処理が終了した後に図２６に示すステップＳ１７のコマンド制御処理が実行されることなどにより、主基板１１から演出制御基板１２に対して伝送される。
【０１７８】
ステップＳ２０６の処理を実行した後には、例えば遊技制御カウンタ設定部１５４に設けられた合計保留記憶数カウンタの値（合計保留記憶数カウント値）を１加算することなどにより、合計保留記憶数を１加算する（ステップＳ２０７）。そして、始動データ記憶部１５１Ｃにおける空きエントリの先頭に、第１始動入賞口への入賞に対応した「第１」の始動データを記憶させる（ステップＳ２０８）。続いて、例えばＲＯＭ１０１における保留記憶数通知コマンドテーブルの記憶アドレスを送信コマンドバッファにセットすることなどにより、演出制御基板１２に対して保留記憶数通知コマンドを送信するための設定を行う（ステップＳ２０９）。こうして設定された保留記憶数通知コマンドは、例えば特別図柄プロセス処理が終了した後に図２６に示すステップＳ１７のコマンド制御処理が実行されることなどにより、第１始動入賞口指定コマンドに続いて、主基板１１から演出制御基板１２に対して伝送される。
【０１７９】
ステップＳ２０１にて第１始動口スイッチ２２Ａからの検出信号がオフ状態である場合や（ステップＳ２０１；Ｎｏ）、ステップＳ２０２にて第１保留記憶数が上限値に達している場合（ステップＳ２０２；Ｙｅｓ）、あるいは、ステップＳ２０９の処理を実行した後には、普通可変入賞球装置６Ｂが形成する第２始動入賞口に対応して設けられた第２始動口スイッチ２２Ｂからの検出信号がオン状態であるか否かを判定する（ステップＳ２１０）。このとき、第２始動口スイッチ２２Ｂからの検出信号がオフ状態であれば（ステップＳ２１０；Ｎｏ）、始動入賞判定処理を終了する。これに対して、第２始動口スイッチ２２Ｂからの検出信号がオン状態である場合には（ステップＳ２１０；Ｙｅｓ）、第２特図保留記憶部１５１Ｂに記憶されている保留データの個数に対応した第２保留記憶数が、所定の上限値（例えば「４」）となっているか否かを判定する（ステップＳ２１１）。このとき、ＣＰＵ１０３は、遊技制御カウンタ設定部１５４に設けられた第２保留記憶数カウンタの値（第２保留記憶数カウント値）を読み取ることなどにより、第２保留記憶数を特定すればよい。
【０１８０】
ステップＳ２１１にて第２保留記憶数が上限値に達していれば（ステップＳ２１１；Ｙｅｓ）、始動入賞判定処理を終了する。これに対して、第２保留記憶数が上限値ではない場合には（ステップＳ２１１；Ｎｏ）、例えば第２保留記憶数カウント値を１加算することなどにより、第２保留記憶数を１加算する（ステップＳ２１２）。そして、乱数回路１０４やランダムカウンタによって更新されている数値データのうちから、特図表示結果判定用の乱数値ＭＲ１や大当り種別判定用の乱数値ＭＲ２を示す数値データを、抽出する（ステップＳ２１３）。このとき抽出した各乱数値を示す数値データが、保留データとして第２特図保留記憶部１５１Ｂにおける空きエントリの先頭にセットされることで、各乱数値が記憶される（ステップＳ２１４）。続いて、例えばＲＯＭ１０１における第２始動口入賞指定コマンドテーブルの記憶アドレスを送信コマンドバッファにセットすることなどにより、演出制御基板１２に対して第１始動口入賞指定コマンドを送信するための設定を行う（ステップＳ２１５）。こうして設定された第２始動口入賞指定コマンドは、例えば特別図柄プロセス処理が終了した後に図２６に示すステップＳ１７のコマンド制御処理が実行されることなどにより、主基板１１から演出制御基板１２に対して伝送される。
【０１８１】
ステップＳ２１５の処理を実行した後には、例えば合計保留記憶数カウント値を１加算することなどにより、合計保留記憶数を１加算する（ステップＳ２１６）。そして、始動データ記憶部１５１Ｃにおける空きエントリの先頭に、第２始動入賞口への入賞に対応した「第２」の始動データを記憶させる（ステップＳ２１７）。続いて、例えばＲＯＭ１０１における保留記憶数通知コマンドテーブルの記憶アドレスを送信コマンドバッファにセットすることなどにより、演出制御基板１２に対して保留記憶数通知コマンドを送信するための設定を行う（ステップＳ２１８）。こうして設定された保留記憶数通知コマンドは、例えば特別図柄プロセス処理が終了した後に図２６に示すステップＳ１７のコマンド制御処理が実行されることなどにより、第２始動入賞口指定コマンドに続いて、主基板１１から演出制御基板１２に対して伝送される。以上のような始動入賞判定処理を実行した後には、特図プロセスフラグの値に応じて、図２７に示すステップＳ１１０〜Ｓ１１７の処理のいずれかを選択して実行する。
【０１８２】
ステップＳ１１０の特別図柄通常処理は、特図プロセスフラグの値が"０"のときに実行される。この特別図柄通常処理では、第１特図保留記憶部１５１Ａや第２特図保留記憶部１５１Ｂに記憶されている保留データの有無などに基づいて、第１特別図柄表示装置４Ａや第２特別図柄表示装置４Ｂによる特図ゲームを開始するか否かの判定が行われる。また、特別図柄通常処理では、特図表示結果判定用の乱数値ＭＲ１を示す数値データに基づき、特別図柄や飾り図柄などの可変表示結果を「大当り」とするか否かの判定が行われる。さらに、特別図柄通常処理では、特図ゲームにおける特別図柄の可変表示結果に対応して、第１特別図柄表示装置４Ａや第２特別図柄表示装置４Ｂによる特図ゲームにおける確定特別図柄（大当り図柄及びハズレ図柄のいずれか）が設定される。
【０１８３】
ステップＳ１１１の変動パターン設定処理は、特図プロセスフラグの値が"１"のときに実行される。この変動パターン設定処理には、モードフラグの値や可変表示結果を「大当り」とするか否かの判定結果や、飾り図柄の可変表示状態をリーチ態様とするか否かの判定結果などに基づいて、変動パターンを複数種類のいずれかに決定する処理などが含まれている。
【０１８４】
ステップＳ１１２の特別図柄変動処理は、特図プロセスフラグの値が"２"のときに実行される。この特別図柄変動処理には、第１特別図柄表示装置４Ａや第２特別図柄表示装置４Ｂにおいて特別図柄を変動させるための設定を行う処理や、その特別図柄が変動を開始してからの経過時間を計測する処理などが含まれている。また、こうして計測された経過時間が変動パターンに対応する特図変動時間に達したか否かの判定も行われる。そして、特図変動時間に達したときには、特図プロセスフラグの値を"３"に更新する。
【０１８５】
ステップＳ１１３の特別図柄停止処理は、特図プロセスフラグの値が"３"のときに実行される。この特別図柄停止処理には、第１特別図柄表示装置４Ａや第２特別図柄表示装置４Ｂにて特別図柄の変動を停止させ、特別図柄の可変表示結果となる確定特別図柄を停止表示させるための設定を行う処理が含まれている。そして、遊技制御フラグ設定部１５２に設けられた大当りフラグがオンとなっているか否かの判定などが行われ、大当りフラグがオンである場合には特図プロセスフラグの値を"４"に更新する。また、大当りフラグがオフである場合には、特図プロセスフラグの値を"０"に更新する。
【０１８６】
ステップＳ１１４の大入賞口開放前処理は、特図プロセスフラグの値が"４"のときに実行される。この大入賞口開放前処理には、可変表示結果が「大当り」となったことなどに基づき、大当り遊技状態においてラウンドの実行を開始して大入賞口を開放状態とするための設定を行う処理などが含まれている。このときには、例えば大入賞口開放回数最大値の設定に対応して、大入賞口を開放状態とする期間の上限を設定するようにしてもよい。一例として、大入賞口開放回数最大値が１５ラウンド大当り状態に対応した「１５」、あるいは７ラウンド大当り状態に対応した「７」に設定されている場合には、大入賞口を開放状態とする期間の上限を「２９秒」に設定する。これに対して、大入賞口開放回数最大値が２ラウンド大当り状態に対応した「２」に設定されている場合には、大入賞口を開放状態とする期間の上限を「０．５秒」に設定する。そして、特図プロセスフラグの値を"５"に更新する。
【０１８７】
ステップＳ１１５の大入賞口開放中処理は、特図プロセスフラグの値が"５"のときに実行される。この大入賞口開放中処理には、大入賞口を開放状態としてからの経過時間を計測する処理や、その計測した経過時間やカウントスイッチ２３によって検出された遊技球の個数などに基づいて、大入賞口を開放状態から閉鎖状態に戻すタイミングとなったか否かを判定する処理などが含まれている。そして、大入賞口を閉鎖状態に戻すときには、所定のソレノイドに対する駆動信号の供給を停止させる処理などが実行され、特図プロセスフラグの値を"６"に更新する。
【０１８８】
ステップＳ１１６の大入賞口開放後処理は、特図プロセスフラグの値が"６"のときに実行される。この大入賞口開放後処理には、大入賞口を開放状態とするラウンドの実行回数が大入賞口開放回数最大値に達したか否かを判定する処理や、大入賞口開放回数最大値に達した場合に特図プロセスフラグの値を"７"に更新する処理や大入賞口開放回数最大値に達していない場合に特図プロセスフラグの値を"６"に更新する処理などが含まれている。
【０１８９】
ステップＳ１１７の大当り終了処理は、特図プロセスフラグの値が"７"のときに実行される。この大当り終了処理には、画像表示装置５やスピーカ８Ｌ、８Ｒ、遊技効果ランプ９といった演出用の電気部品により、大当り遊技状態の終了を報知する演出動作としてのエンディング演出が実行される期間に対応した待ち時間が経過するまで待機する処理や、その大当り遊技状態の終了に対応した各種の設定を行う処理などが含まれている。
【０１９０】
図２９は、図２７のステップＳ１１０にて実行される特別図柄通常処理の一例を示すフローチャートである。図２９に示す特別図柄通常処理において、ＣＰＵ１０３は、まず、例えば遊技制御カウンタ設定部１５４に記憶されている合計保留記憶数カウント値を読み出すことにより、第１保留記憶数と第２保留記憶数の合計値である合計保留記憶数が「０」であるか否かを判定する（ステップＳ２３１）。このとき、合計保留記憶数が「０」以外であれば（ステップＳ２３１；Ｎｏ）、始動データ記憶部１５１Ｃから始動データを読み出す（ステップＳ２３２）。このときには、始動データ記憶部１５１Ｃにて保留番号「１」と関連付けて記憶されている始動データを読み出せばよい。なお、ステップＳ２３１にて読み出した合計保留記憶数カウント値は、後の判定で用いるため、遊技制御バッファ設定部１５５の変動開始合計保留記憶数バッファに格納しておく。
【０１９１】
ステップＳ２３２の処理に続いて、例えば合計保留記憶数カウント値を１減算することなどにより、合計保留記憶数を１減算するように更新するとともに、始動データ記憶部１５１Ｃにて保留番号「１」より下位のエントリ（例えば保留番号「２」〜「８」に対応するエントリ）に記憶された始動データの記憶内容を、１エントリずつ上位にシフトさせる（ステップＳ２３３）。そして、ステップＳ２３２にて読み出した始動データが「第１」と「第２」のいずれであるかを判定する（ステップＳ２３４）。
【０１９２】
ステップＳ２３４にて始動データが「第１」であると判定された場合には（ステップＳ２３４；第１）、第１特図保留記憶部１５１Ａにて保留番号「１」と関連付けて記憶されている保留データとして、特図表示結果判定用の乱数値ＭＲ１を示す数値データと、大当り種別判定用の乱数値ＭＲ２を示す数値データとを、それぞれ読み出す（ステップＳ２３５）。このときには、例えば第１保留記憶数カウント値を１減算することなどにより、第１保留記憶数を１減算するように更新するとともに、第１特図保留記憶部１５１Ａにて保留番号「１」より下位のエントリ（例えば保留番号「２」〜「４」に対応するエントリ）に記憶された保留データの記憶内容を、１エントリずつ上位にシフトさせる（ステップＳ２３６）。そして、第１特別図柄表示装置４Ａによる第１特図を用いた特図ゲームを開始することに対応して、遊技制御バッファ設定部１５５に設けられた変動特図指定バッファの値（変動特図指定バッファ値）を「１」に設定する（ステップＳ２３７）。
【０１９３】
ステップＳ２３７の処理を実行した後には、可変表示結果を「ハズレ」、「大当り」のいずれとするかを判定するための判定用テーブルとして、図７（Ａ）に示す第１特図表示結果判定用データ１３０Ａを選択してセットする（ステップＳ２３８）。例えば、ステップＳ２３８の処理では、ＲＡＭ１０２の所定領域に設けられた判定用データポインタなどに、ＲＯＭ１０１における第１特図表示結果判定用データ１３０Ａの記憶アドレス（先頭アドレス）をセットすればよい。ＣＰＵ１０３は、こうしてセットされた第１特図表示結果判定用データ１３０Ａを参照することにより、ステップＳ２３５にて読み出された特図表示結果判定用の乱数値ＭＲ１を示す数値データが、大当り判定値データと合致するか否かを判定する（ステップＳ２３９）。
【０１９４】
ステップＳ２３４にて始動データが「第２」であると判定された場合には（ステップＳ２３４；第２）、第２特図保留記憶部１５１Ｂにて保留番号「１」と関連付けて記憶されている保留データとして、特図表示結果判定用の乱数値ＭＲ１を示す数値データと、大当り種別判定用の乱数値ＭＲ２を示す数値データとを、それぞれ読み出す（ステップＳ２４０）。このときには、例えば第２保留記憶数カウント値を１減算することなどにより、第２保留記憶数を１減算するように更新するとともに、第２特図保留記憶部１５１Ｂにて保留番号「１」より下位のエントリ（例えば保留番号「２」〜「４」に対応するエントリ）に記憶された保留データの記憶内容を、１エントリずつ上位にシフトさせる（ステップＳ２４１）。そして、第２特別図柄表示装置４Ｂによる第２特図を用いた特図ゲームを開始することに対応して、変動特図指定バッファ値を「２」に設定する（ステップＳ２４２）。
【０１９５】
ステップＳ２４２の処理を実行した後には、可変表示結果を「ハズレ」、「大当り」のいずれとするかを判定するための判定用データとして、図７（Ｂ）に示す第２特図表示結果判定用データ１３０Ｂを選択してセットする（ステップＳ２４３）。例えば、ステップＳ２４３の処理では、ＲＯＭ１０１における第２特図表示結果判定用データ１３０Ｂの記憶アドレスを、判定用データポインタなどにセットすればよい。ＣＰＵ１０３は、こうしてセットされた第２特図表示結果判定用データ１３０Ｂを参照することにより、ステップＳ２４０にて読み出された特図表示結果判定用の乱数値ＭＲ１を示す数値データが、大当り判定値データと合致するか否かを判定する（ステップＳ２４４）。
【０１９６】
ステップＳ２３９にて乱数値ＭＲ１を示す数値データが大当り判定値データと合致した場合には（ステップＳ２３９；Ｙｅｓ）、遊技制御フラグ設定部１５２に設けられた大当りフラグをオン状態にセットする（ステップＳ２４４）。このときには、大当り種別を複数種類のいずれかに決定するための判定用データとして、図８に示す大当り種別判定用データ１３１を選択してセットする（ステップＳ２４５）。そして、ステップＳ２３５またはステップＳ２４０にて読み出した大当り種別判定用の乱数値ＭＲ２を示す数値データに基づき、ステップＳ２４５にてセットした大当り種別判定用データ１３１を参照することにより、大当り種別を、「第１大当り」、「第２大当り」、「第３大当り」、「第４大当り」という複数種類のいずれかに決定する（ステップＳ２４６）。こうしてステップＳ２４６にて決定された大当り種別に対応して、大当り種別バッファ値を、「００」〜「０３」のいずれかに設定する（ステップＳ２４７）。
【０１９７】
ステップＳ２４７の処理を実行した後には、大入賞口開放回数最大値を設定する（ステップＳ２４８）。このときには、大当り種別が「第１大当り」であれば、大入賞口開放回数最大値を１５回開放遊技に対応した「１５」に設定する。大当り種別が「第２大当り」であれば、大入賞口開放回数最大値を７回開放遊技に対応した「７」に設定する。大当り種別が「第３大当り」または「第４大当り」である場合には、大入賞口開放回数最大値を２回開放遊技に対応した「２」に設定する。
【０１９８】
ステップＳ２３９にて乱数値ＭＲ１を示す数値データが大当り判定値データと合致しない場合（ステップＳ２３９；Ｎｏ）、あるいは、ステップＳ２４８の処理を実行した後には、可変表示結果の判定や大当り種別の決定を行った結果に対応して、確定特別図柄を設定する（ステップＳ２４９）。一例として、ステップＳ２３９にて乱数値ＭＲ１を示す数値データが大当り判定値データと合致しない場合には、可変表示結果を「ハズレ」とする旨の判定結果に対応して、ハズレ図柄となる「−」の記号を示す特別図柄を、確定特別図柄に設定する。また、ステップＳ２３９にて乱数値ＭＲ１を示す数値データが大当り判定値データと合致した場合には、ステップＳ２４６における大当り種別の決定結果（大当り種別バッファ値）に応じて、大当り図柄となる「１」、「３」、「５」、「７」の数字を示す特別図柄のいずれかを、確定特別図柄に設定する。すなわち、大当り種別バッファ値が「００」（「第１大当り」）である場合、第１大当り図柄となる「７」の数字を示す特別図柄を、大当り種別バッファ値が「０１」（「第２大当り」）である場合、第２大当り図柄となる「３」の数字を示す特別図柄を、大当り種別バッファ値が「０２」（「第３大当り」）である場合、第３大当り図柄となる「５」の数字を示す特別図柄を、大当り種別バッファ値が「０３」（「第４大当り」）である場合、第４大当り図柄となる「１」の数字を示す特別図柄を、確定特別図柄に設定する。なお、可変表示結果が「ハズレ」である場合に大当り種別バッファ値を「００」とする例では、大当り種別バッファ値に基づき、確定特別図柄を「−」、「１」、「３」、「５」、「７」のいずれかに設定するようにすればよい。
【０１９９】
ステップＳ２４９にて確定特別図柄を設定した後には、特図プロセスフラグの値を変動パターン設定処理に対応した値である"１"に更新してから（ステップＳ２５０）、特別図柄通常処理を終了する。また、ステップＳ２３１にて合計保留記憶数が「０」である場合には（ステップＳ２３１；Ｙｅｓ）、所定のデモ表示設定を行ってから（ステップＳ２５１）、特別図柄通常処理を終了する。
【０２００】
図３０は、図２７のステップＳ１１１にて実行される変動パターン設定処理の一例を示すフローチャートである。図３０に示す変動パターン設定処理において、ＣＰＵ１０３は、まず、遊技制御フラグ設定部１５２からモードフラグの値を読み出す（ステップＳ２６１）。そして、大当りフラグがオンであるか否かを判定する（ステップＳ２６２）。このとき、大当りフラグがオンであれば（ステップＳ２６２；Ｙｅｓ）、遊技制御バッファ設定部１５５に記憶されている大当り種別バッファ値と、始動データ記憶部１５１Ｃに記憶されている始動データとを読み出す（ステップＳ２６３）。その後、図３１（Ａ）に示す選択設定に従い、ステップＳ２６１、Ｓ２６３で読み出したモードフラグの値、大当り種別バッファ値などに基づいて、大当り用変動パターン種別判定用データ１３３Ａ〜１３３Ｊを選択してセットする（ステップＳ２６４）。
【０２０１】
ステップＳ２６２にて大当りフラグがオフである場合には（ステップＳ２６２；Ｎｏ）、モードフラグの値に従って、図９（Ａ）または（Ｂ）に示すリーチ判定用データ１３２Ａ、１３２Ｂのいずれかをセットする（ステップＳ２６５）。即ち、モードフラグの値が「通常モード」を示す「０」であるときはリーチ判定用データ１３２Ａがセットされ、それ以外の値である場合リーチ判定用データ１３２Ｂがセットされる。このときには、遊技制御バッファ設定部１５５の変動開始合計保留記憶数バッファに格納される合計保留記憶数を読み取ることなどにより、合計保留記憶数を特定する（ステップＳ２６６）。続いて、例えば遊技制御カウンタ設定部１５４に設けられたランダムカウンタなどから、リーチ判定用の乱数値ＭＲ３を抽出する（ステップＳ２６７）。そして、ステップＳ２６７にて抽出したリーチ判定用の乱数値ＭＲ３に基づき、ステップＳ２６５にてセットしたリーチ選択用データを参照することにより、リーチ態様の実行の有無を判定する（ステップＳ２６８）。
【０２０２】
ステップＳ２６８においてリーチ態様を実行する旨の判定結果が得られた場合には（ステップＳ２６９；Ｙｅｓ）、リーチハズレ用変動パターン種別判定用データ１３４をセットする（ステップＳ２７０）。これに対して、ステップＳ２６８においてリーチ態様を実行しない旨の判定結果が得られた場合には（ステップＳ２６９；Ｎｏ）、図３１（Ｂ）に示す選択設定に従い、ステップＳ２６１にて読み出したモードフラグの値に基づき、非リーチ用変動パターン種別判定用データ１３５Ａ〜１３５Ｃを選択してセットする（ステップＳ２７１）。なお、バトルモード、チャンスモード、激アツモード中は、図９（Ｂ）に示したリーチ判定用データ１３２Ｂに基づき、リーチ無しにのみ決定されるので、ステップＳ２６２でＮｏであると判定された場合であってバトルモードチャンスモード、激アツモード中である場合（モードフラグが「０」以外である場合）、ステップＳ２６５〜Ｓ２６９の処理をスキップしてステップＳ２７１の処理に移行するようにしてもよい。このようにすることで、リーチ判定用の乱数値ＭＲ３の抽出やリーチ判定の処理を省略することができ、処理負担やデータ容量（リーチ判定用データ１３２Ｂが不要になるため）を軽減することができる。
【０２０３】
ステップＳ２６４、Ｓ２７０、Ｓ２７１の処理のいずれかを実行した後には、例えば遊技制御カウンタ設定部１５４に設けられたランダムカウンタなどから、変動パターン種別判定用の乱数値ＭＲ４を抽出する（ステップＳ２７２）。そして、ステップＳ２７２にて抽出した変動パターン種別判定用の乱数値ＭＲ４や遊技制御バッファ設定部１５５の変動開始合計保留記憶数バッファに格納される合計保留記憶数に基づき、ステップＳ２６４、Ｓ２７０、Ｓ２７１のいずれかにてセットした変動パターン種別判定用データを参照することにより、変動パターン種別を複数種類のいずれかに決定する（ステップＳ２７３）。
【０２０４】
ここで、ステップＳ２７２、Ｓ２７３の処理では、第１始動条件が成立したことに基づき第１特別図柄表示装置４Ａにより第１特図を用いて実行される特図ゲームに対応した飾り図柄の変動パターン種別を決定するか、第２始動条件が成立したことに基づき第２特別図柄表示装置４Ｂにより第２特図を用いて実行される特図ゲームに対応した飾り図柄の変動パターン種別を決定するかに関わりなく、また、演出モードがいずれであるかに関わりなく、共通のランダムカウンタなどによって更新される変動パターン種別判定用となる共通の乱数値ＭＲ４を示す数値データを用いて、変動パターン種別を複数種類のいずれかに決定する。一例として、ステップＳ２７３の処理では、判定用データポインタにセットされたＲＯＭ１０１のアドレスに記憶された判定用データを参照して変動パターン種別の決定を行うようにすればよい。
【０２０５】
こうしてステップＳ２７３にて変動パターン種別が決定された後には、その変動パターン種別の決定結果に基づき、変動パターンを複数種類のいずれかに決定するための判定用データとして、大当り用変動パターン判定用データ１３６Ａ〜１３６Ｃやハズレ用変動パターン判定用データ１３７、１３８Ａ〜１３８Ｃといった複数種類の変動パターン判定用データのいずれかを選択してセットする（ステップＳ２７４）。具体的には、例えば、各変動パターン種別判定用データの判定値に対応付けて、変動パターン判定用データのアドレスが格納されており、そのアドレスを判定用データポインタにセットする。続いて、例えば遊技制御カウンタ設定部１５４に設けられたランダムカウンタなどから、変動パターン判定用の乱数値ＭＲ５を抽出する（ステップＳ２７５）。そして、ステップＳ２７５にて抽出した変動パターン判定用の乱数値ＭＲ５に基づき、ステップＳ２７４にてセットした変動パターン判定用データを参照することにより、変動パターンを複数種類のいずれかに決定する（ステップＳ２７６）。
【０２０６】
ここで、ステップＳ２７５、Ｓ２７６の処理では、第１始動条件が成立したことに基づき第１特別図柄表示装置４Ａにより第１特図を用いて実行される特図ゲームに対応した飾り図柄の変動パターンを決定するか、第２始動条件が成立したことに基づき第２特別図柄表示装置４Ｂにより第２特図を用いて実行される特図ゲームに対応した飾り図柄の変動パターンを決定するかに関わりなく、また、演出モードがいずれであるかに関わりなく、共通のランダムカウンタなどによって更新される変動パターン判定用となる共通の乱数値ＭＲ５を示す数値データを用いて、変動パターンを複数種類のいずれかに決定する。また、ステップＳ２７５、Ｓ２７６の処理では、ステップＳ２６８におけるリーチ状態の有無の判定結果に関わりなく、変動パターン判定用となる共通の乱数値ＭＲ４を示す数値データを用いて、共通の処理モジュールにより変動パターンを複数種類のいずれかに決定することができる。一例として、ステップＳ２７６の処理では、判定用データポインタにセットされたＲＯＭ１０１のアドレスに記憶された判定用データを参照して変動パターンが決定されればよい。
【０２０７】
このようなステップＳ２７６における変動パターンの決定に続いて、その変動パターンの判定結果に応じた特図変動時間を設定する（ステップＳ２７７）。その後、変動特図指定バッファ値に応じて、第１特別図柄表示装置４Ａによる第１特図を用いた特図ゲームと、第２特別図柄表示装置４Ｂによる第２特図を用いた特図ゲームのいずれかを開始させるように、特別図柄の変動を開始させるための設定を行う（ステップＳ２７８）。一例として、変動特図指定バッファ値が"１"であれば、第１特別図柄表示装置４Ａによる第１特図の表示を更新させる駆動信号を送信するための設定を行う。これに対して、変動特図指定バッファ値が"２"であれば、第２特別図柄表示装置４Ｂによる第２特図の表示を更新させる駆動信号を送信するための設定を行う。
【０２０８】
ステップＳ２７８の処理を実行した後には、特別図柄の変動開始時用となる各種コマンドを送信するための設定を行う（ステップＳ２７９）。例えば、変動特図指定バッファ値が"１"である場合に、ＣＰＵ１０３は、主基板１１から演出制御基板１２に対して第１変動開始コマンド、変動パターン指定コマンド、可変表示結果通知コマンドを順次に送信するために、予め用意された第１変動開始用コマンドテーブルのＲＯＭ１０１における記憶アドレス（先頭アドレス）を示す設定データを、遊技制御バッファ設定部１５５に設けられた送信コマンドバッファにおいて送信コマンドポインタによって指定されたバッファ領域に格納する。他方、変動特図指定バッファ値が"２"である場合に、ＣＰＵ１０３は、主基板１１から演出制御基板１２に対して第２変動開始コマンド、変動パターン指定コマンド、可変表示結果通知コマンドを順次に送信するために、予め用意された第２変動開始用コマンドテーブルのＲＯＭ１０１における記憶アドレスを示す設定データを、送信コマンドバッファにおいて送信コマンドポインタによって指定されたバッファ領域に格納する。こうしたステップＳ２７９での設定を行った場合には、変動パターン設定処理が終了してから図２６に示すステップＳ１７のコマンド制御処理が実行されるごとに、主基板１１から演出制御基板１２に対して、第１変動開始コマンドまたは第２変動開始コマンド、変動パターン指定コマンド、可変表示結果通知コマンドが、順次に送信されることになる。
【０２０９】
ステップＳ２７９での設定に続いて、特図プロセスフラグの値を特別図柄変動処理に対応した値である"２"に更新してから（ステップＳ２８０）、変動パターン設定処理を終了する。
【０２１０】
図３２は、図２７のステップＳ１１３にて実行される特別図柄停止処理の一例を示すフローチャートである。図３２に示す特別図柄停止処理において、ＣＰＵ１０３は、まず、大当りフラグがオンであるか否かを判定する（ステップＳ３００）。このとき、大当りフラグがオンであれば（ステップＳ３００；Ｙｅｓ）、遊技制御カウンタ設定部１５４に設けられたバトル勝利回数カウンタの値を更新し、更新した値に対応するバトル勝利回数通知コマンドを主基板１１から演出制御基板１２に対して送信するための設定を行う（ステップＳ３０１）。ステップＳ３０１の処理では、バトルモードで第１大当り図柄または第２大当り図柄を停止表示する場合にはバトル勝利回数カウンタの値を１加算して更新される。また、バトル勝利回数通知コマンドを送信するために予め用意されたバトル勝利回数通知コマンドテーブルのＲＯＭ１０１における記憶アドレスを示す設定データが、送信コマンドバッファにおいて送信コマンドポインタによって指定されたバッファ領域に格納されればよい。ステップＳ３０１の処理を実行した後、大当り開始時演出待ち時間を設定する（ステップＳ３０２）。例えば、ステップＳ３０２の処理では、大当り開始時演出待ち時間に対応して予め定められたタイマ初期値が、遊技制御タイマ設定部１５３に設けられた遊技制御プロセスタイマにセットされればよい。
【０２１１】
ステップＳ３０２の処理に続いて、大当り開始指定コマンドを主基板１１から演出制御基板１２に対して送信するための設定を行う（ステップＳ３０３）。例えば、ステップＳ３０３の処理では、大当り開始指定コマンドを送信するために予め用意された大当り開始指定コマンドテーブルのＲＯＭ１０１における記憶アドレスを示す設定データが、送信コマンドバッファにおいて送信コマンドポインタによって指定されたバッファ領域に格納されればよい。その後、大当りフラグをクリアしてオフ状態とする（ステップＳ３０４）。また、時短状態を終了するための設定を行う（ステップＳ３０５）。例えば、ステップＳ３０５では、確変フラグや時短フラグをクリアしてオフ状態とする処理や、確変状態や時短状態における特図ゲームの実行回数をカウントするための特図変動回数カウンタをクリアする処理などが実行されればよい。そして、特別図柄プロセスフラグの値を大入賞口開放前処理に対応した値である"４"に更新してから（ステップＳ３０６）、特別図柄停止処理を終了する。
【０２１２】
ステップＳ３００にて大当りフラグがオフである場合には（ステップＳ３００；Ｎｏ）、特図プロセスフラグの値を特別図柄通常処理に対応した値である"０"に更新する（ステップＳ３０７）。ステップＳ３０７の処理を実行した後には、時短状態を終了させるか否かの判定を行う（ステップＳ３０８）。例えば、ステップＳ３０８の時短状態を終了させるか否かの判定では、特図変動回数カウンタの値（特図変動回数カウント値）を、例えば１減算または１加算するなどして更新し、更新後の特図変動回数カウント値が所定の時短状態終了判定値（例えば「３０」）と合致するか否かの判定が行われる。このとき、時短状態終了判定値と合致すれば、時短フラグをクリアしてオフ状態とすることなどにより、時短状態を終了して通常状態に制御すればよい。他方、時短遊技状態終了判定値と合致しなければ、時短フラグの状態を維持して、ステップＳ３０８の処理を終了すればよい。
【０２１３】
ステップＳ３０８の処理を実行した後には、モード切換設定を実行する（ステップＳ３０９）。モードフラグ切換設定では、例えば、図３４（Ｂ）に示すようなモードフラグ切換設定用データ２０１に従ってモードフラグを切り換える。確変フラグがオフ状態である場合（時短状態である場合）、時短状態を終了するタイミング（時短状態にて特図ゲームを３０回実行）でモードフラグ切換設定用データ２０１に従ってモードフラグを切り換えるようにすればよい。モード切換設定を実行した後、遊技制御カウンタ設定部１５４に設けられたバトル勝利回数カウンタの値を更新し、更新した値に対応するバトル勝利回数通知コマンドを主基板１１から演出制御基板１２に対して送信するための設定を行う（ステップＳ３１０）。ステップＳ３１０の処理では、演出モードが通常モードに切り換えられた場合（ステップＳ３０９の処理でモードフラグが「０」に切り換えられた場合）、バトル勝利回数カウンタの値が０にリセットされる。ステップＳ３１０の処理の後、演出モード移行通知コマンドを主基板１１から演出制御基板１２に対して送信するための設定を行う（ステップＳ３１１）。例えば、ステップＳ３０９の処理で演出モードを切り換える場合は、対応する演出モード移行通知コマンドを送信するために予め用意された演出モード移行通知コマンドテーブルのＲＯＭ１０１における記憶アドレスを示す設定データが、送信コマンドバッファにおいて送信コマンドポインタによって指定されたバッファ領域に格納されればよい。その後、特別図柄停止処理を終了する。
【０２１４】
図３３は、図２７のステップＳ１１７にて実行される大当り終了処理の一例を示すフローチャートである。図３３に示す大当り終了処理において、ＣＰＵ１０３は、まず、大当り終了時演出待ち時間が経過したか否かを判定する（ステップＳ３１１）。一例として、図２７に示すステップＳ１１６の大入賞口開放後処理では、特図プロセスフラグの値を"７"に更新するときに、大当り終了時演出待ち時間に対応して予め定められたタイマ初期値が遊技制御プロセスタイマにセットされる。この場合、ステップＳ３１１の処理では、例えば遊技制御プロセスタイマ値を１減算することなどにより更新し、更新後の遊技制御プロセスタイマ値が所定の待ち時間経過判定値と合致したか否かに応じて、大当り終了時演出待ち時間が経過したか否かを判定すればよい。ステップＳ３１１にて大当り終了時演出待ち時間が経過していなければ（ステップＳ３１１；Ｎｏ）、そのまま大当り終了処理を終了する。
【０２１５】
これに対して、ステップＳ３１１にて大当り終了時演出待ち時間が経過した場合には（ステップＳ３１１；Ｙｅｓ）、遊技制御バッファ設定部１５５に記憶されている大当り種別バッファ値を読み出す（ステップＳ３１２）。続いて、ステップＳ３１２にて読み出した大当り種別バッファ値が「第４大当り」の大当り種別に対応した「０３」であるか否かを判定する（ステップＳ３１３）。このとき、大当り種別バッファ値が「０３」であれば（ステップＳ３１３；Ｙｅｓ）、時短状態への制御を開始するための設定を行う（ステップＳ３１４）。一例として、ステップＳ３１４の処理では、時短フラグがオン状態にセットされるとともに、時短状態にて実行可能な特図ゲームの上限値に対応して予め定められたカウント初期値（例えば「３０」）が、特図変動回数カウンタにセットされればよい。
【０２１６】
ステップＳ３１３にて大当り種別バッファ値が「０３」以外である場合には（ステップＳ３１３；Ｎｏ）、確変状態への制御を開始するための設定を行う（ステップＳ３１５）。一例として、ステップＳ３１５の処理では、確変フラグがオン状態にセットされればよい。
【０２１７】
ステップＳ３１４、Ｓ３１５の処理のいずれかを実行した後には、モード切換設定を実行する（ステップＳ３１６）。モードフラグ切換設定では、例えば、図３４（Ａ）に示すようなモードフラグ切換設定用データ２００に従ってモードフラグを切り換える。現在のモードがいずれのモードであるか、大当り種別が第１から第４大当りのいずれであるか、またバトルモード中に第３大当りとなった場合はバトルモードが継続する変動パターンであったか否かに応じて、モードフラグ切換設定用データ２００に従ってモードフラグを切り換えるようにすればよい。バトルモード中に第３大当りとなった場合は、バトルモードが継続する変動パターン（バトル負けＢ４−２）であったかバトルモードから転落する変動パターン（バトル負けＢ４−１）であったかをＲＡＭの所定領域に記憶しておき、ステップＳ３１６の処理で判定可能とすればよい。
【０２１８】
モード切換設定を実行した後、大当り終了指定コマンドや演出モード移行通知コマンドを主基板１１から演出制御基板１２に対して送信するための設定を行う（ステップＳ３１７）。例えば、ステップＳ３１７の処理では、大当り終了指定コマンドを送信するために予め用意された大当り終了指定コマンドテーブルのＲＯＭ１０１における記憶アドレスを示す設定データが、送信コマンドバッファにおいて送信コマンドポインタによって指定されたバッファ領域に格納されればよい。また、ステップＳ３１６の処理で演出モードを切り換える場合は、対応する演出モード移行通知コマンドを送信するために予め用意された演出モード移行通知コマンドテーブルのＲＯＭ１０１における記憶アドレスを示す設定データが、送信コマンドバッファにおいて送信コマンドポインタによって指定されたバッファ領域に格納されればよい。その後、特図プロセスフラグの値を特別図柄通常処理に対応した値である"０"に更新してから（ステップＳ３１８）、大当り終了処理を終了する。
【０２１９】
図３５は、図２６のステップＳ１６にて実行される普通図柄プロセス処理の一例を示すフローチャートである。この普通図柄プロセス処理において、ＣＰＵ１０３は、まず、通過ゲート４１に設けられたゲートスイッチ２１からの検出信号がオン状態であるか否かをチェックすることにより、通過ゲート４１を遊技球が通過したか否かの判定を行う（ステップＳ１３１）。遊技球が通過ゲート４１を通過してゲートスイッチ２１からの検出信号がオン状態となった場合には（ステップＳ１３１；Ｙｅｓ）、ゲート通過時処理を実行する（ステップＳ１３２）。他方、ゲートスイッチ２１からの検出信号がオフ状態である場合には（ステップＳ１３１；Ｎｏ）、ステップＳ１３２の処理をスキップする。
【０２２０】
ステップＳ１３２にて実行されるゲート通過時処理の一例として、以下のような処理が実行される。すなわち、まず、ＲＡＭ１０２の所定領域などに設けられた普図保留記憶部に記憶されている保留データの個数である普図保留記憶数が、所定の上限値（例えば「４」）となっているか否かを判定する。このとき、普図保留記憶数が上限値となっていれば、今回の遊技球検出は無効として、そのままゲート通過時処理を終了する。これに対して、普図保留記憶数が上限値未満であるときには、例えばＣＰＵ１０３が、乱数回路１０４やランダムカウンタにより更新される数値データのうちから、普図表示結果判定用の乱数値を示す数値データを抽出する。そして、抽出した乱数値を示す数値データを保留データとして、普図保留記憶部における空きエントリの先頭にセットする。以上のようなゲート通過時処理を実行した後や、ステップＳ１３１にてゲートスイッチ２１からの検出信号がオフ状態であると判定された後には、普図プロセスフラグの値に応じて、以下のようなステップＳ１４０〜Ｓ１４４の各処理を実行する。
【０２２１】
ステップＳ１４０の普通図柄通常処理は、普図プロセスフラグの値が"０"のときに実行される。この普通図柄通常処理では、普図保留記憶部に格納された保留データの有無などに基づいて、普通図柄表示器２０による普図ゲームを開始するか否かの判定が行われる。このとき、例えば普図保留記憶部に格納された保留データがある場合には、普図プロセスフラグの値を"１"に更新する。
【０２２２】
ステップＳ１４１の普通図柄判定処理は、普図プロセスフラグの値が"１"のときに実行される。この普通図柄判定処理では、普図表示結果判定用の乱数値を示す数値データに基づき、普図ゲームにおける普通図柄の可変表示結果としての普図表示結果を、「普図当り」とするか「普図ハズレ」とするかの判定などが行われる。このとき、例えば確変フラグと時短フラグのいずれかがオンである場合には、双方がオフである場合に比べて「普図当り」とする判定がなされる割合が高くなるように設定された判定用データを参照してもよい。これにより、確変状態や時短状態では、通常状態に比べて普図ゲームにおける普通図柄の可変表示結果が「普図当り」となりやすくなることで、普通可変入賞球装置６Ｂが形成する第２始動入賞口が拡大開放状態となりやすくなって、遊技球が第２始動入賞口に進入しやすくなる。また、普通図柄判定処理では、普図表示結果に対応する普図変動パターンの決定も行われる。このとき、例えば確変フラグと時短フラグのいずれかがオンである場合には、双方がオフである場合に比べて普図変動時間が短くなる普図変動パターンに決定されてもよい。これにより、確変状態や時短状態では、普図ゲームにおける普通図柄の可変表示結果が導出表示される間隔が短くなることで、「普図当り」の可変表示結果が導出表示される間隔も短くなり、普通可変入賞球装置６Ｂが形成する第２始動入賞口が拡大開放状態となりやすくなって、遊技球が第２始動入賞口に進入しやすくなる。
【０２２３】
ステップＳ１４２の普通図柄変動処理は、普図プロセスフラグの値が"２"のときに実行される。この普通図柄変動処理では、普通図柄表示器２０による普図ゲームにおいて普通図柄を変動させるための設定が行われる。こうした設定に基づいて変動する普通図柄は、ステップＳ１４３の普通図柄停止処理が実行されることにより、その変動が停止して普通図柄の可変表示結果となる普図表示結果が表示される。普通図柄変動処理では、普通図柄が変動を開始してからの経過時間が計測される。このときには、計測された経過時間が普図変動パターンに対応して定められた普図変動時間に達したか否かの判定が行われる。そして、普図変動時間に達したときには、普図プロセスフラグの値を"３"に更新する。
【０２２４】
ステップＳ１４３の普通図柄停止処理は、普図プロセスフラグの値が"３"のときに実行される。この普通図柄停止処理では、普通図柄表示器２０にて普通図柄の可変表示結果を停止表示させるための設定が行われる。なお、普通図柄の可変表示結果を停止表示させるための設定は、ステップＳ１４２の普通図柄変動処理にて、計測された経過時間が普図変動時間に達したときに、普図プロセスフラグの値を"３"に更新する以前に、行われるようにしてもよい。また、普通図柄停止処理では、普図表示結果が「普図当り」である場合に、例えば普通可変入賞球装置６Ｂが備える可動翼片に連結された普通電動役物用ソレノイドを駆動するための普電作動パターンの設定といった、可動翼片を傾動位置とする拡大開放制御のための設定を行ってから、普図プロセスフラグの値が"４"に更新される。このとき、例えば確変フラグと時短フラグのいずれかがオンである場合には、双方がオフである場合に比べて拡大開放制御を行う期間や回数が増加する普電作動パターンが設定されてもよい。これにより、確変状態や時短状態では、普図表示結果が「普図当り」となったことに基づき第２始動入賞口が拡大開放状態となる期間や回数が増加して、遊技球が第２始動入賞口に進入しやすくなる。普図表示結果が「普図ハズレ」である場合には、普図プロセスフラグの値が"０"に更新される。
【０２２５】
ステップＳ１４４の普通電動役物作動処理は、普図プロセスフラグの値が"４"のときに実行される。この普通電動役物作動処理では、普図ゲームにおける可変表示結果が「普図当り」となったことに対応して、普通可変入賞球装置６Ｂが備える可動翼片を垂直位置から傾動位置に移動させて、第２始動入賞口を通常開放状態から拡大開放状態に変化させるための設定などが行われる。例えば、普通電動役物作動処理では、ステップＳ１４３の普通図柄停止処理にてセットされた普電作動パターンの設定に応じて、普通電動役物用ソレノイドを駆動するための駆動制御信号の生成が行われるようにすればよい。また、普通電動役物作動処理では、普通電動役物用ソレノイドを駆動して第２始動入賞口を拡大開放状態としてからの経過時間が計測され、その経過時間が普電作動パターンに対応した拡大開放時間に達したか否かの判定が行われる。そして、経過時間が拡大開放期間に達した場合には、普通電動役物用ソレノイドの駆動を停止して可動翼片を傾動位置から垂直位置に戻すことにより、第２始動入賞口を拡大開放状態から通常開放状態に変化させるための設定を行う。このときには、普図プロセスフラグの値を"０"に更新すればよい。
【０２２６】
次に、演出制御基板１２における動作を説明する。演出制御基板１２では、電源基板等から電源電圧の供給を受けると、演出制御用ＣＰＵ１２０が起動し、図３６のフローチャートに示すような演出制御メイン処理を実行する。図３６に示す演出制御メイン処理を開始すると、演出制御用ＣＰＵ１２０は、まず、所定の初期化処理を実行して（ステップＳ４０１）、ＲＡＭ１２２のクリアや各種初期値の設定、また演出制御基板１２に搭載されたＣＴＣ（カウンタ／タイマ回路）のレジスタ設定等を行う。また、初回電源投入時には、演出制御用ＣＰＵ１２０は、ＲＴＣＭ１２６から日時情報を取得して演出制御タイマ設定部１９２に記憶する。
【０２２７】
その後、乱数更新処理が実行され（ステップＳ４０２）、演出制御に用いる各種の乱数値のうち、演出制御カウンタ設定部１９３に設けられたランダムカウンタによってカウントされる乱数値を示す数値データを、ソフトウェアにより更新する。続いて、タイマ割込みフラグがオンとなっているか否かの判定を行う（ステップＳ４０３）。タイマ割込みフラグは、例えばＣＴＣのレジスタ設定に基づき、所定時間（例えば２ミリ秒）が経過するごとにオン状態にセットされる。
【０２２８】
また、演出制御基板１２の側では、所定時間が経過するごとに発生するタイマ割込みとは別に、主基板１１から演出制御コマンドを受信するための割込みが発生する。この割込みは、例えば主基板１１からの演出制御ＩＮＴ信号がオン状態となることにより発生する割込みである。演出制御ＩＮＴ信号がオン状態となることによる割込みが発生すると、演出制御用ＣＰＵ１２０は、自動的に割込み禁止に設定するが、自動的に割込み禁止状態にならないＣＰＵを用いている場合には、割込み禁止命令（ＤＩ命令）を発行することが望ましい。演出制御用ＣＰＵ１２０は、演出制御ＩＮＴ信号がオン状態となることによる割込みに対応して、例えば所定のコマンド受信割込み処理を実行する。このコマンド受信割込み処理では、Ｉ／Ｏ１２５に含まれる入力ポートのうちで、中継基板１５を介して主基板１１から送信された制御信号を受信する所定の入力ポートより、演出制御コマンドとなる制御信号を取り込む。このとき取り込まれた演出制御コマンドは、例えば演出制御バッファ設定部１９５に設けられた演出制御コマンド受信用バッファに格納する。一例として、演出制御コマンドが２バイト構成である場合には、１バイト目（ＭＯＤＥ）と２バイト目（ＥＸＴ）を順次に受信して演出制御コマンド受信用バッファに格納する。その後、演出制御用ＣＰＵ１２０は、割込み許可に設定してから、コマンド受信割込み処理を終了する。
【０２２９】
ステップＳ４０３にてタイマ割込みフラグがオフであれば（ステップＳ４０３；Ｎｏ）、ステップＳ４０２の処理に戻る。他方、ステップＳ４０３にてタイマ割込みフラグがオンである場合には（ステップＳ４０３；Ｙｅｓ）、タイマ割込みフラグをクリアしてオフ状態にするとともに（ステップＳ４０４）、コマンド解析処理を実行する（ステップＳ４０５）。ステップＳ４０５にて実行されるコマンド解析処理では、例えば主基板１１の遊技制御用マイクロコンピュータ１００から送信されて演出制御コマンド受信用バッファに格納されている各種の演出制御コマンドを読み出した後に、その読み出された演出制御コマンドに対応した設定や制御などが行われる。
【０２３０】
ステップＳ４０５にてコマンド解析処理を実行した後には、演出制御プロセス処理を実行する（ステップＳ４０６）。この演出制御プロセス処理では、例えば画像表示装置５の表示領域における演出画像の表示動作、スピーカ８Ｌ、８Ｒからの音声出力動作、遊技効果ランプ９や装飾用ＬＥＤにおける点灯動作といった、演出用の電気部品を用いた演出動作の制御内容について、主基板１１から送信された演出制御コマンド等に応じた判定や決定、設定などが行われる。
【０２３１】
ステップＳ４０５のコマンド解析処理内では、例えば図３７のフローチャートに示すような保留記憶増加表示処理が実行される。この保留記憶増加表示処理において、演出制御用ＣＰＵ１２０は、まず、例えば演出制御コマンド受信用バッファに格納された演出制御コマンドをチェックすることなどにより、主基板１１から送信された保留記憶数通知コマンドの受信があるか否かを判定する（ステップＳ１５１）。このとき、保留記憶数通知コマンドの受信がなければ（ステップＳ１５１；Ｎｏ）、そのまま保留記憶増加表示処理を終了する。
【０２３２】
ステップＳ１５１にて保留記憶数通知コマンドの受信があると判定された場合には（ステップＳ１５１；Ｙｅｓ）、第１始動口入賞指定コマンドと第２始動口入賞指定コマンドのうちいずれかの始動口入賞指定コマンドを受信済みであるか否かを判定する（ステップＳ１５２）。ここで、第１始動口入賞指定コマンドや第２始動口入賞指定コマンドについては、ステップＳ４０５のコマンド解析処理にて受信があったか否かの判定が行われ、いずれかの始動口入賞指定コマンドの受信があると判定された場合には、受信した始動口入賞指定コマンドに対応したコマンド受信フラグをオン状態にセットすればよい。一例として、第１始動口入賞指定コマンドを受信したときには、第１始動口入賞指定コマンド受信フラグをオン状態にセットする一方で、第２始動口入賞指定コマンドを受信したときには、第２始動口入賞指定コマンド受信フラグをオン状態にセットする。そして、ステップＳ１５２では、第１始動口入賞指定コマンド受信フラグと第２始動口入賞指定コマンド受信フラグのいずれかがオンであれば、始動口入賞指定コマンドを受信済みであると判定すればよい。
【０２３３】
ステップＳ１５２にて始動口入賞指定コマンドを受信済みであると判定された場合には（ステップＳ１５２；Ｙｅｓ）、例えば第１始動口入賞指定コマンド受信フラグがオンであるか否かなどに応じて、受信した始動口入賞指定コマンドが第１始動口入賞指定コマンドであるか否かを判定する（ステップＳ１５３）。このとき、第１始動口入賞指定コマンドである旨の判定がなされれば（ステップＳ１５３；Ｙｅｓ）、第１保留記憶数の増加に対応して始動入賞記憶表示エリア５Ｈにおける保留記憶表示を更新するための第１保留表示増加更新設定が行われる（ステップＳ１５４）。この第１保留表示増加更新設定では、例えば始動入賞記憶表示エリア５Ｈにて非表示となっている表示部位のうちの１つを、第１始動入賞口に遊技球が進入したことによる第１始動条件の成立に応じて、青色表示に変化させるための表示設定が行われる。こうした第１保留表示増加更新設定を行った後には、保留記憶増加表示処理が終了する。
【０２３４】
ステップＳ１５３にて第２始動口入賞指定コマンドである旨の判定がなされた場合には（ステップＳ１５３；Ｎｏ）、第２保留記憶数の増加に対応して始動入賞記憶表示エリア５Ｈにおける保留記憶表示を更新するための第２保留表示増加更新設定が行われる（ステップＳ１５５）。この第２保留表示増加更新設定では、例えば始動入賞記憶表示エリア５Ｈにて非表示となっている表示部位のうちの１つを、第２始動入賞口に遊技球が進入したことによる第２始動条件の成立に応じて、赤色表示に変化させるための表示設定が行われる。こうした第２保留表示増加更新設定を行った後には、保留記憶増加表示処理が終了する。
【０２３５】
ステップＳ１５２にて始動口入賞指定コマンドを受信していないと判定された場合には（ステップＳ１５２；Ｎｏ）、始動口入賞指定がないときに対応して始動入賞記憶表示エリア５Ｈにおける保留記憶表示を更新するための始動口入賞指定なし時表示更新設定が行われる（ステップＳ１５６）。この始動口入賞指定なし時表示更新設定では、例えば始動入賞記憶表示エリア５Ｈにて青色表示や赤色表示となっている表示部位の全部を灰色表示に変化させるための表示設定と、始動入賞記憶表示エリア５Ｈにて非表示となっている表示部位の１つを灰色表示に変化させるための表示設定とが行われる。こうした始動口入賞指定なし時表示更新設定を行った後には、保留記憶増加表示処理が終了する。
【０２３６】
このように、ステップＳ１５４では第１保留表示増加更新設定が行われ、ステップＳ１５５では第２保留表示増加更新設定が行われることで、主基板１１から伝送された保留記憶数通知コマンドを受信したときに、始動口入賞指定コマンドとなる第１始動口入賞指定コマンドと第２始動口入賞指定コマンドのいずれかを正常に受信できていれば、例えば図３８（Ａ）に示すように、始動入賞記憶表示エリア５Ｈにて、第１始動条件の成立に基づく第１特図保留記憶部１５１Ａにおける保留データの記憶数である第１保留記憶数と、第２始動条件の成立に基づく第２特図保留記憶部１５１Ｂにおける保留データの記憶数である第２保留記憶数とを、特定可能に表示させることができる。
【０２３７】
他方、ステップＳ１５６では始動口入賞指定なし時表示更新設定が行われることで、主基板１１から伝送された保留記憶数通知コマンドを受信したときに、始動口入賞指定コマンドとなる第１始動口入賞指定コマンドと第２始動口入賞指定コマンドをいずれも受信していないと判定されたことに基づいて、始動入賞記憶表示エリア５Ｈにおける保留記憶表示の表示態様を、所定の表示態様に変更し、例えば図３８（Ｂ）に示すような灰色表示とすることにより、合計保留記憶数は特定可能であるが第１保留記憶数や第２保留記憶数は特定できないように表示させることができる。その後、主基板１１から伝送された保留記憶数通知コマンドを受信したときに、始動口入賞指定コマンドを正常に受信できていれば、ステップＳ１５４、Ｓ１５５の処理のいずれかが実行されることにより、灰色表示となっている表示部位での表示態様は維持したまま、受信した始動口入賞指定コマンドに対応した新たな表示を加えることができる。一例として、図３８（Ｂ）に示すような保留記憶表示が行われているときに、第１始動口入賞指定コマンドを正常に受信してから保留記憶数通知コマンドを受信した場合には、ステップＳ１５４にて第１保留表示増加更新設定が行われることにより、図３８（Ｃ）に示すように、第１始動入賞口への入賞に対応した青色表示が加えられることになる。
【０２３８】
図３９は、図３６のステップＳ４０６にて実行される演出制御プロセス処理の一例を示すフローチャートである。この演出制御プロセス処理において、演出制御用ＣＰＵ１２０は、例えば演出制御フラグ設定部１９１に設けられた演出プロセスフラグの値に応じて、以下のようなステップＳ１６０〜Ｓ１６５の処理のいずれかを選択して実行する。
【０２３９】
ステップＳ１６０の変動開始コマンド受信待ち処理は、演出プロセスフラグの値が"０"のときに実行される処理である。この変動開始コマンド受信待ち処理には、主基板１１から伝送される変動開始コマンドとして、第１変動開始コマンドと第２変動開始コマンドのいずれかを受信したか否かに応じて、画像表示装置５の表示領域に設けられた「左」、「中」、「右」の各飾り図柄表示エリア５Ｌ、５Ｃ、５Ｒにおける飾り図柄の可変表示を開始するか否かの判定を行う処理などが含まれている。また、変動開始コマンド未受信時に、画像表示装置５においてデモ画面を表示させる処理が含まれている。可変表示を開始する旨の判定がなされれば、演出プロセスフラグの値が"１"に更新される。
【０２４０】
ステップＳ１６１の飾り図柄変動設定処理は、演出プロセスフラグの値が"１"のときに実行される処理である。この飾り図柄変動設定処理には、第１特別図柄表示装置４Ａによる第１特図を用いた特図ゲームの開始や第２特別図柄表示装置４Ｂによる第２特図を用いた特図ゲームの開始に対応して、飾り図柄の可変表示や変動開始時保留数表示エリア５Ａへの数字の表示を含めた各種の演出動作を行うために、変動パターンや可変表示結果などに応じた最終停止図柄となる確定飾り図柄や予告パターン等を決定し、その決定結果に基づいて演出制御パターンを設定する処理などが含まれている。こうした決定や設定などが行われた後には、演出プロセスフラグの値が"２"に更新される。
【０２４１】
ステップＳ１６２の飾り図柄変動中処理は、演出プロセスフラグの値が"２"のときに実行される処理である。この飾り図柄変動中処理には、演出制御タイマ設定部１９２に設けられた演出制御プロセスタイマの値（演出制御プロセスタイマ値）に対応して、演出制御パターンから各種の演出制御データを読み出して、飾り図柄の可変表示中における各種の演出制御を行うための処理が含まれている。演出制御を開始した後、例えば演出制御パターンから飾り図柄の可変表示終了を示す終了コードが読み出されたこと、あるいは、主基板１１から伝送される飾り図柄停止コマンドを受信したことなどに対応して、飾り図柄の可変表示結果となる最終停止図柄としての確定飾り図柄を停止表示させる。このときには、演出プロセスフラグの値が"３"に更新される。
【０２４２】
ステップＳ１６３の飾り図柄変動終了時処理は、演出プロセスフラグの値が"３"のときに実行される処理である。この飾り図柄変動終了時処理には、主基板１１から伝送される大当り開始指定コマンドを受信したか否かを判定する処理が含まれている。このとき、大当り開始指定コマンドを受信した旨の判定がなされれば、演出プロセスフラグの値が"４"に更新される。また、大当り開始指定コマンドを受信せずに所定時間が経過したときには、可変表示結果が「ハズレ」であることに対応して、演出プロセスフラグの値が"０"に更新される。
【０２４３】
ステップＳ１６４の大当り制御中演出処理は、演出プロセスフラグの値が"４"のときに実行される処理である。この大当り制御中演出処理には、例えば可変表示結果が「大当り」となったことなどに対応した演出制御パターン等を設定し、その設定内容に基づく演出画像を画像表示装置５の表示領域に表示させることや、音声制御基板１３に対する効果音信号の出力によりスピーカ８Ｌ、８Ｒから音声や効果音を出力させること、ランプ制御基板１４に対する電飾信号の出力により遊技効果ランプ９や装飾用ＬＥＤを点灯／消灯／点滅させることといった、大当り遊技状態における各種の演出動作を制御する処理が含まれている。また、大当り中に昇格演出を実行する変動パターンコマンドを受信した場合、昇格演出を実行する演出制御パターン等を設定し、７ラウンド大当りから１５ラウンド大当りに昇格させるような昇格演出を実行させる処理が含まれている。そして、例えば主基板１１から伝送される当り終了指定コマンドを受信したことなどに対応して、演出プロセスフラグの値が"５"に更新される。
【０２４４】
ステップＳ１６５のエンディング演出処理は、演出プロセスフラグの値が"５"のときに実行される処理である。このエンディング演出処理には、大当り遊技状態が終了することなどに対応した演出制御パターン等を設定し、その設定内容に基づく演出画像を画像表示装置５の表示領域に表示させることや、音声制御基板１３に対する効果音信号の出力によりスピーカ８Ｌ、８Ｒから音声や効果音を出力させること、ランプ制御基板１４に対する電飾信号の出力により遊技効果ランプ９や装飾用ＬＥＤを点灯／消灯／点滅させることといった、大当り遊技状態の終了に対応した各種の演出動作を制御する処理が含まれている。また、エンディング演出処理には、主基板１１から伝送される演出モード移行通知コマンドに従って、モード移行演出が実行する処理を含んでいる。そして、こうした演出動作が終了したことなどに対応して、演出プロセスフラグの値が"０"に更新される。
【０２４５】
図４０は、図３９のステップＳ１６０にて実行される変動開始コマンド受信待ち処理の一例を示すフローチャートである。この変動開始コマンド受信待ち処理において、演出制御用ＣＰＵ１２０は、まず、主基板１１から伝送される変動開始コマンドとして、第１変動開始コマンドと第２変動開始コマンドのいずれかを受信したか否かを判定する（ステップＳ４５１）。変動開始コマンドを受信した場合（ステップＳ４５１；Ｙｅｓ）、デモ画面を終了する設定をして（ステップＳ４５９）、演出プロセスフラグの値を飾り図柄変動設定処理に対応した値である"１"に更新してから（ステップＳ４６０）、変動開始コマンド受信待ち処理を終了する。
【０２４６】
変動開始コマンドを受信していない場合（ステップＳ４５１；Ｎｏ）、演出制御用ＣＰＵ１２０は、演出制御フラグ設定部１９１に設けられるデモ表示中フラグをチェックするなどにより、デモ画面表示中であるか否かを判定する（ステップＳ４５２）。デモ画面表示中であれば（ステップＳ４５２；Ｙｅｓ）、変動開始コマンド受信待ち処理を終了する。デモ画面表示中でなければ（ステップＳ４５２；Ｎｏ）、演出制御用ＣＰＵ１２０は、演出制御タイマ設定部１９２などから稼働開始日時の情報を取得し、またＲＴＣＭ１２６から現在の日時情報を取得する（ステップＳ４５３）。そして、取得した日時情報から稼働期間を演算する（ステップＳ４５４）。続いて、その演算した稼働期間が所定値（例えば１０日間など）以上であるかを判定する（ステップＳ４５５）。稼働期間が所定値以上であれば（ステップＳ４５５；Ｙｅｓ）、画像表示装置５にて表示させるデモ画面としてリーチ態様に関する情報を含んだ画面に決定する（ステップＳ４５６）。一方、稼働期間が所定値未満であれば（ステップＳ４５５；Ｎｏ）、通常のデモ画面に決定する（ステップＳ４５７）。ステップＳ４５６、またはステップＳ４５７の処理を終えると、演出制御用ＣＰＵ１２０は、決定したデモ画面の表示を開始させるための設定を実行し（ステップＳ４５８）、変動開始コマンド受信待ち処理を終了する。
【０２４７】
図４１は、図３９のステップＳ１６１にて実行される飾り図柄変動設定処理の一例を示すフローチャートである。この飾り図柄変動設定処理において、演出制御用ＣＰＵ１２０は、まず、例えば可変表示結果通知コマンドのＥＸＴデータを読み取ることなどにより、可変表示結果が「ハズレ」であるか否かを判定する（ステップＳ５０１）。このとき、可変表示結果が「ハズレ」であれば（ステップＳ５０１；Ｙｅｓ）、例えば変動パターン指定コマンドのＥＸＴデータを読み取ることなどにより、指定された変動パターンが飾り図柄の可変表示態様を「非リーチ」とする場合に対応した非リーチ変動パターンであるか否かを判定する（ステップＳ５０２）。
【０２４８】
ステップＳ５０２にて非リーチ変動パターンであると判定された場合には（ステップＳ５０２；Ｙｅｓ）、非リーチ組合せを構成する最終停止図柄となる確定飾り図柄の組合せを決定する（ステップＳ５０３）。一例として、ステップＳ５０３の処理では、まず、図１８（Ａ）に示す最終停止図柄決定用データ１６０Ａを選択してセットする。続いて、例えば演出制御カウンタ設定部１９３に設けられたランダムカウンタなどから、第１最終停止図柄決定用の乱数値ＳＲ１−１を示す数値データを抽出する。そして、抽出した乱数値ＳＲ１−１を示す数値データに基づき、最終停止図柄決定用データ１６０Ａを参照することにより、左最終停止図柄ＦＺ１−１となる飾り図柄を決定する。次に、図１８（Ｂ）に示す最終停止図柄決定用データ１６０Ｂを選択してセットする。続いて、例えば演出制御カウンタ設定部１９３に設けられたランダムカウンタなどから、第２最終停止図柄決定用の乱数値ＳＲ１−２を示す数値データを抽出する。そして、抽出した乱数値ＳＲ１−２を示す数値データに基づき、最終停止図柄決定用データ１６０Ｂを参照することにより、右最終停止図柄ＦＺ１−２となる飾り図柄を決定する。このときには、左最終停止図柄ＦＺ１−１と右最終停止図柄ＦＺ１−２との組合せに基づき、図１９に示すような左右出目判定用データ１６１を参照することにより、左右出目タイプＤＣ１−１が複数種類のいずれとなるかを判定する。その後、図１８（Ｃ）に示す最終停止図柄決定用データ１６０Ｃを選択してセットする。続いて、例えば演出制御カウンタ設定部１９３に設けられたランダムカウンタなどから、第３最終停止図柄決定用の乱数値ＳＲ１−３を抽出する。そして、抽出した乱数値ＳＲ１−３と、左右出目タイプＤＣ１−１とに基づき、最終停止図柄決定用データ１６０Ｃを参照することにより、中最終停止図柄ＦＺ１−３となる飾り図柄を決定する。特定演出を実行する非リーチ変動パターンのときには、最終停止図柄を変動パターンに応じて発展チャンス目や擬似連チャンス目としてもよい。
【０２４９】
こうして、ステップＳ５０３の処理では、最終停止図柄決定用データ１６０Ａ〜１６０Ｃや、左右出目判定用データ１６１を参照して、左中右最終停止図柄ＦＺ１−１〜ＦＺ１−３となる飾り図柄を決定することで、確定飾り図柄の組合せがリーチ組合せや大当り組合せとなることがない。
【０２５０】
ステップＳ５０２にて非リーチ変動パターンではないと判定された場合には（ステップＳ５０２；Ｎｏ）、リーチ組合せを構成する最終停止図柄となる確定飾り図柄の組合せを決定するためのリーチ図柄決定処理を実行する（ステップＳ５０４）。図４１は、ステップＳ５０４にて実行されるリーチ図柄決定処理の一例を示すフローチャートである。このリーチ図柄決定処理では、まず、保留記憶数通知コマンドにより特定される合計保留記憶数をチェクして、図２０に示すリーチ図柄決定用データ１６２Ａ〜１６２Ｈから合計保留記憶数に応じたリーチ図柄決定用データを選択してセットする（ステップＳ５３１）。続いて、例えば演出制御カウンタ設定部１９３に設けられたランダムカウンタなどから、リーチ図柄決定用の乱数値ＳＲ２を示す数値データを抽出する（ステップＳ５３２）。そして、ステップＳ５３２にて抽出した乱数値ＳＲ２を示す数値データに基づき、ステップＳ５３１にてセットしたリーチ図柄決定用データを参照することにより、リーチ図柄を「１」〜「８」のいずれかに決定する（ステップＳ５３３）。その後、ステップＳ５９３にて決定したリーチ図柄とは異なる中図柄の最終停止図柄を決定して（ステップＳ５３４）、リーチ図柄決定処理を終了する。ステップＳ５３４の処理では、例えば、乱数値を抽出して当該乱数値に基づき差分値を決定し、リーチ図柄からの差分値に対応する中図柄を最終停止図柄に決定したり、リーチ図柄に対応したテーブルを用意して、乱数値と当該テーブルに基づき最終停止図柄を決定するようにすればよい。
【０２５１】
ステップＳ５０１にて可変表示結果が「ハズレ」以外である場合には（ステップＳ５０１；Ｎｏ）、可変表示結果が「大当り」であり大当り種別が「第１大当り」または「第２大当り」であるか否かを判定する（ステップＳ５０５）。このとき、可変表示結果が「大当り」であり大当り種別が「第１大当り」または「第２大当り」である場合には（ステップＳ５０５；Ｙｅｓ）、大当り組合せを構成する最終停止図柄となる確定飾り図柄の組合せを決定する（ステップＳ５０６）。ここでは、図柄番号が「１」〜「８」である飾り図柄のいずれかで構成される大当り組合せを決定するようにすればよい。
【０２５２】
大当り種別が「第１大当り」または「第２大当り」でない場合、即ち可変表示結果が「大当り」であり大当り種別が「第３大当り」または「第４大当り」である場合には（ステップＳ５０５；Ｎｏ）、図２１に示す第３・第４大当り図柄決定用データ１６３をセットする（ステップＳ５０７）。続いて、例えば演出制御カウンタ設定部１９３に設けられたランダムカウンタなどから、第１最終停止図柄決定用の乱数値ＳＲ１−１を示す数値データを抽出する（ステップＳ５０８）。そして、ステップＳ５０８にて抽出した乱数値ＳＲ１−１を示す数値データに基づき、ステップＳ５０７にてセットした第３・第４大当り図柄決定用データ１６３を参照することにより、２ラウンド大当り組合せを構成する最終停止図柄となる確定飾り図柄の組合せを決定する（ステップＳ５０９）。
【０２５３】
ステップＳ５０３、Ｓ５０４、Ｓ５０６、Ｓ５０９の処理のいずれかを実行した後には、演出制御パターン決定処理を実行する（ステップＳ５１０）。図４３は、ステップＳ５１０にて実行される演出制御パターン決定処理の一例を示すフローチャートである。この演出制御パターン決定処理では、まず、例えば変動パターン指定コマンドのＥＸＴデータを読み取ることなどにより、指定された変動パターンが「バトルモード」に対応した変動パターンであるか否かを判定する（ステップＳ５２１）。「バトルモード」に対応した変動パターンである場合（ステップＳ５２１；Ｙｅｓ）、予告演出設定処理を実行する（ステップＳ５２２）。
【０２５４】
図４４は、ステップＳ５２２にて実行される予告演出設定処理の一例を示すフローチャートである。この予告演出設定処理では、まず、図２２（Ａ）に示すバトル前予告選択用データ１７０から、可変表示結果、大当り種別及び第１始動口入賞指定コマンド受信フラグ、第２始動口入賞指定コマンド受信フラグをチェクして、対応する選択用データをセットする（ステップＳ５９１）。続いて、例えば演出制御カウンタ設定部１９３に設けられたランダムカウンタなどから、バトル前予告判定用の乱数値ＳＲ３を示す数値データを抽出する（ステップＳ５９２）。そして、ステップＳ５９２にて抽出した乱数値ＳＲ３を示す数値データに基づき、ステップＳ５９１にてセットしたバトル前予告選択用データ１７０を参照することにより、予告なし、あるいは、予告Ａ〜予告Ｃの予告パターンのいずれかに決定する（ステップＳ５９３）。続いて、可変表示結果が「ハズレ」であるか否かを判定する（ステップＳ５９４）。可変表示結果が「ハズレ」でない場合（ステップＳ５９４；Ｎｏ）、図２２（Ｂ）に示すバトル後予告選択用データ１７１から、大当り種別に対応した選択用データをセットする（ステップＳ５９５）。続いて、例えば演出制御カウンタ設定部１９３に設けられたランダムカウンタなどから、バトル後予告判定用の乱数値ＳＲ４を示す数値データを抽出する（ステップＳ５９６）。そして、ステップＳ５９６にて抽出した乱数値ＳＲ４を示す数値データに基づき、ステップＳ５９５にてセットしたバトル後予告選択用データ１７１を参照することにより、予告Ｄ１、予告Ｄ２、予告Ｅ１、予告Ｅ２の予告パターンのいずれかに決定する（ステップＳ５９７）。なお、可変表示結果が「ハズレ」場合（ステップＳ５９４；Ｙｅｓ）、ステップＳ５９５〜Ｓ５９７の処理をスキップする。その後、予告演出設定処理を終了する。
【０２５５】
図４３に示すステップＳ５２２にて以上のような予告演出設定処理を実行した後には、「バトルモード」に対応した演出制御パターンを複数種類のいずれかに決定するための演出制御パターン決定処理を実行する（ステップＳ５２３）。演出制御パターン決定処理では、変動パターン指定コマンドによって指定された変動パターン、図４４に示すステップＳ５９３、Ｓ５９７にて決定された予告パターン、バトル勝利回数に対応して、図２３に示す演出制御パターンテーブル１８０に格納された複数種類の「バトルモード」に対応した演出制御パターンのいずれかを、使用パターンとして決定する。図４５（Ａ）は、ステップＳ５２３にて実行される演出制パターン決定処理の一例を示すフローチャートである。この演出制御パターン決定処理では、演出制御ＣＰＵ１２０は、まず、主基板１１から送信されるバトル勝利回数通知コマンドからバトル勝利回数を特定する（ステップＳ５８１）。続いて、ステップＳ５８１の処理で特定したバトル勝利回数を画像表示装置５のバトル勝利回数表示領域５Ｗに表示するための設定を行う（ステップＳ５８２）。ステップＳ５８３の処理に続き、「バトルモード」中に使用される敵キャラクタと背景との種別を、バトル勝利回数に基づき決定する（ステップＳ５８３）。ステップＳ５８３では、図４５（Ｂ）に示すような設定に従って、敵キャラクタの種別及び背景が決定されればよい。なお、図４５（Ｂ）に示すような設定ではバトル勝利回数が０〜８の場合の例を示したが、バトル勝利回数が９以上の場合の敵キャラクタや背景をさらに用意してもよいし、９以上の場合は最初の敵キャラクタや背景に戻るようにしてもよい。ステップＳ５８３の処理を終えると、変動パターン指定コマンドによって指定された変動パターンを特定する（ステップＳ５８４）。そして、演出制御ＣＰＵ１２０は、ステップＳ５８３の処理で決定した敵キャラクタ、背景やステップＳ５８４で特定した変動パターン、図４４に示すステップＳ５９３、Ｓ５９７にて決定された予告パターンに対応する演出制御パターンを決定する（ステップＳ５８５）。その後、演出制御パターン決定処理を終了する。
【０２５６】
ステップＳ５２１にて変動パターンが「バトルモード」に対応した変動パターンでない場合（ステップＳ５２１；Ｎｏ）、変動パターンが「チャンスモード」に対応した変動パターンであるか否かを判定する（ステップＳ５２４）。「チャンスモード」に対応した変動パターンである場合（ステップＳ５２４；Ｙｅｓ）、「チャンスモード」の変動パターンに対応した演出制御パターンを複数種類のいずれかに決定する（ステップＳ５２５）。「バトルモード」から転落した「チャンスモード」である場合、ステップＳ５２５の処理では「バトルモード」で使用されていた背景と同じ背景となるように演出制御パターンが決定される。ステップＳＳ５２４にて「チャンスモード」に対応した変動パターンでない場合（ステップＳ５２４；Ｎｏ）、変動パターンが「激アツモード」に対応した変動パターンであるか否かを判定する（ステップＳ５２６）。「激アツモード」に対応した変動パターンである場合（ステップＳ５２６；Ｙｅｓ）、「激アツモード」の変動パターンに対応した演出制御パターンを複数種類のいずれかに決定する（ステップＳ５２７）。「激アツモード」に対応した変動パターンでない場合（ステップＳ５２６；Ｎｏ）、「通常モード」の変動パターンに対応した演出制御パターンを複数種類のいずれかに決定する（ステップＳ５２６）。ステップＳ５２３、Ｓ５２５、Ｓ５２７、Ｓ５２８のいずれかの処理を終えた後、演出制御パターン決定処理を終える。なお、この実施の形態では、「バトルモード」のときのみにステップＳ５２２の予告演出設定処理を実行することで、予告の有無や予告パターンを決定し、「バトルモード」のときのみ予告演出を実行するが、「通常モード」、「チャンスモード」、「激アツモード」のときに予告演出を実行するようにしてもよい。その場合、「通常モード」、「チャンスモード」、「激アツモード」のときにも予告の有無や予告パターンを決定する処理を実行するようにすればよい。
【０２５７】
図４１のステップＳ５１０の演出制御パターン決定処理を終えると、例えば図４３に示すステップＳ５１０にてセットした演出制御パターンに示される演出制御プロセスタイマ設定値に対応して、演出制御タイマ設定部１９２に設けられた演出制御プロセスタイマの初期値を設定する（ステップＳ５１１）。そして、例えば演出制御パターンに含まれる演出表示制御データに対応した表示制御指令を表示制御部１２３に供給することなどにより、画像表示装置５の表示領域に設けられた「左」、「中」、「右」の各飾り図柄表示エリア５Ｌ、５Ｃ、５Ｒにて飾り図柄の変動を開始させるとともに、変動開始時保留数表示エリア５Ａに変動開始時の合計保留記憶数を示す数字を表示させるといった、画像表示装置５における各種図柄の変動を開始させるための設定を行う（ステップＳ５１２）。変動開始時の合計保留記憶数は保留記憶数通知コマンドや始動入賞記憶表示エリア５Ｈの表示数から特定すればよい。その後、演出プロセスフラグの値を飾り図柄変動中処理に対応した値である"２"に更新してから（ステップＳ５１３）、飾り図柄変動設定処理を終了する。
【０２５８】
図４６は、図３８のステップＳ１６２にて実行される飾り図柄変動中処理の一例を示すフローチャートである。この飾り図柄変動中処理において、演出制御用ＣＰＵ１２０は、まず、飾り図柄の可変表示にて操作ボタン３０の操作に対応して演出態様を変化させる演出（特別演出）を実行する演出制御パターンであるか否かを判定する（ステップＳ５４１）。特別演出を実行する演出制御パターンである場合（ステップＳ５４１；Ｙｅｓ）、演出制御タイマ設定部１９２に設けられている演出制御プロセスタイマ値をチェックするなどして、遊技者による操作ボタン３０の操作に対応して演出を切替可能な期間であるボタン有効期間か否かを判定する（ステップＳ５４２）。例えば、操作ボタン３０の操作を促す演出画像を画像表示装置５の表示領域に表示させたときから、所定期間（例えば２つ以上の飾り図柄表示エリア５Ｍにて飾り図柄を仮停止表示させるまでの期間など）を、ボタン有効期間とする。なお、ボタン有効期間か否かを判定する際に用いられる表示制御プロセスタイマ判定値は、変動パターン（演出制御パターン）毎に異なっている。なお、リーチ成立後にボタン有効期間が開始されるようにしてもよい。その場合は、リーチ成立後に操作ボタン３０の操作に対応した演出（バトル演出を選択させる演出やバトル演出中のボタン操作に対応した演出）を実行して、ボタン有効期間をリーチ成立後からの所定期間とすればよい。
【０２５９】
ステップＳ５４２にてボタン有効期間内である場合には（ステップＳ５４２；Ｙｅｓ）、遊技者による操作ボタン３０の操作があったか否かを判定する（ステップＳ５４３）。具体的には、遊技者による操作ボタン３０の操作に応じて演出制御基板１２へと伝送される操作検出信号に基づいて、演出制御パターンごとに予め定められた操作（押下、連打、ジョグの操作など）がなされたか否かを判定する。ステップＳ５４１にて特別演出を実行しない演出制御パターンであると判定された場合（ステップＳ５４１；Ｎｏ）、ステップＳ５４２にてボタン有効期間内でないと判定された場合（ステップＳ５４２；Ｎｏ）、あるいは、ステップＳ５４３にて遊技者による操作ボタン３０の操作がなかったと判定された場合には（ステップＳ５４３；Ｎｏ）、演出制御プロセスタイマ値を、例えば１減算するなどして更新する（ステップＳ５４４）。このときには、更新後の演出制御プロセスタイマ値を演出制御パターンにて示される各種のタイマ判定値と比較することなどにより、いずれかのタイマ判定値と合致したか否かの判定を行う（ステップＳ５４５）。そして、いずれのタイマ判定値とも合致しなければ（ステップＳ５４５；Ｎｏ）、飾り図柄変動中処理を終了する。
【０２６０】
ステップＳ５４３にて遊技者による操作ボタン３０の操作があったと判定された場合には（ステップＳ５４３；Ｙｅｓ）、操作ボタン３０の操作があったことに対応する演出制御パターンに切り換える（ステップＳ５４６）。例えば、特別演出を実行する演出制御パターンに操作ボタン３０の操作があったことに対応する演出制御パターンを対応付けておき、当該対応付けられた演出制御パターンに切り換える。ステップＳ５４５にてタイマ判定値と合致した場合（ステップＳ５４５；Ｙｅｓ）、そのタイマ判定値と対応付けて演出制御パターンに格納された各種制御データ（表示制御データ、音声制御データ、ランプ制御データ、終了コードのいずれか）を読み出す（ステップＳ５４７）。まあ、ステップＳ５４６で演出制御パターンを切り換えた後には、当該演出制御パターンに格納された各種制御データを読み出す（ステップＳ５４７）。ここで、ステップＳ５４５の処理で演出制御パターンにて示される複数のタイマ判定値が演出制御プロセスタイマ値と合致した場合には、合致した各々のタイマ判定値と対応付けて格納されている複数の制御データを、ステップＳ５４７の処理にて読み出すようにすればよい。そして、ステップＳ５４７にて読み出された制御データが終了コードであるか否かの判定を行う（ステップＳ５４８）。このとき、終了コードではないと判定された場合には（ステップＳ５４８；Ｎｏ）、ステップＳ５４７にて読み出された制御データに応じた指令や設定を行うための演出制御指令処理を実行してから（ステップＳ５４９）、飾り図柄変動中処理を終了する。
【０２６１】
ステップＳ５４８にて終了コードであると判定された場合には（ステップＳ５４８；Ｙｅｓ）、例えば所定のタイマ初期値を演出制御プロセスタイマに設定することなどにより、大当り開始指定コマンド受信待ち時間の設定を行う（ステップＳ５５０）。そして、飾り図柄プロセスフラグの値を飾り図柄変動終了時処理に対応した値である"３"に更新してから（ステップＳ５５１）、飾り図柄変動中処理を終了する。
【０２６２】
図４７は、図４６のステップＳ５４９にて実行される演出制御指令処理の一例を示すフローチャートである。この演出制御指令処理において、演出制御用ＣＰＵ１２０は、まず、図４６に示すステップＳ５４７の処理で読み出された制御データの種類を、表示制御データ、音声制御データ、ランプ制御データのうちから特定する（ステップＳ５６１）。そして、ステップＳ５６１にて特定された制御データの種類は表示制御データであるか否かの判定を行う（ステップＳ５６２）。
【０２６３】
ステップＳ５６２にて表示制御データであると判定された場合には（ステップＳ５６２；Ｙｅｓ）、読み出した表示制御データに従って作成した表示制御指令を表示制御部１２３に対して伝送させる（ステップＳ５６３）。ステップＳ５６２にて表示制御データではないと判定された場合や（ステップＳ５６２；Ｎｏ）、ステップＳ５６３の処理を実行した後には、ステップＳ５６１にて特定された制御データの種類は音声制御データであるか否かを判定する（ステップＳ５６４）。このとき、制御データの種類が音声制御データであれば（ステップＳ５６４；Ｙｅｓ）、読み出した音声制御データに従って作成した音声データを、Ｉ／Ｏ１２４に含まれる出力ポートから音声制御基板１３に対して伝送させることにより（ステップＳ５６５）、演出制御パターンから読み出した音声制御データに対応する音声を、スピーカ８Ｌ、８Ｒから出力させる。ステップＳ５６４にて音声制御データではないと判定された場合（ステップＳ５６４；Ｎｏ）、あるいは、ステップＳ５６５の処理を実行した後には、ステップＳ５６１にて特定された制御データの種類はランプ制御データであるか否かを判定する（ステップＳ５６６）。このとき、制御データの種類がランプ制御データであれば（ステップＳ５６６；Ｙｅｓ）、読み出したランプ制御データに従って作成したランプデータを、Ｉ／Ｏ１２５に含まれる出力ポートからランプ制御基板１４に対して伝送させることにより（ステップＳ５６７）、演出制御パターンから読み出したランプ制御データに対応した遊技効果ランプ９の点灯動作などを行わせる。ステップＳ５６６にて音声制御データではないと判定された場合（ステップＳ５６６；Ｎｏ）、あるいは、ステップＳ５６７の処理を実行した後には、演出制御指令処理を終了する。
【０２６４】
図４８は、各リーチ態様のリーチ演出の一例を示す図である。図４８（Ａ）は、画像表示装置５の表示領域に設けられた「左」、「中」、「右」の各飾り図柄表示エリア５Ｌ、５Ｃ、５Ｒにて飾り図柄の変動が開始したことを示している。その後、図４８（Ｂ）に示すように、「左」の飾り図柄表示エリア５Ｌにて「６」の数字を示す飾り図柄が停止表示される。
【０２６５】
ここで、リーチ態様がリーチＡであった場合、図４８（Ｃ１）に示すように、「右」の飾り図柄表示エリア５Ｒにて「６」の数字を示す飾り図柄が停止表示され、図４８（Ｃ２）に示すように、「中」の飾り図柄表示エリア５Ｒにて飾り図柄が変動を継続する。このように、リーチＡはリーチ演出を伴わないノーマルリーチである。
【０２６６】
リーチ態様がリーチＢであった場合、図４８（Ｄ１）に示すように、「右」の飾り図柄表示エリア５Ｒにて「６」の数字を示す飾り図柄が停止表示されるとともに「中」の飾り図柄表示エリア５Ｃにて「スーパーリーチ」の文字が表示される。そして、図４８（Ｄ２）に示すように、「中」の飾り図柄表示エリア５Ｒにて飾り図柄が変動を継続する。このように、リーチＢは図４８（Ｄ１）に示したようなリーチ演出を伴うスーパーリーチ１である。
【０２６７】
リーチ態様がリーチＣであった場合、図４８（Ｅ１）に示すように、「右」の飾り図柄表示エリア５Ｒにて「６」の数字を示す飾り図柄が停止表示され、図４８（Ｅ２）に示すように、「中」の飾り図柄表示エリア５Ｒにて飾り図柄が異なる態様で変動を継続する。このように、リーチＣは図４８（Ｅ２）に示したようなリーチ演出を伴うスーパーリーチ２である。
【０２６８】
リーチ態様がリーチＤであった場合、図４８（Ｆ１）に示すように、「右」の飾り図柄表示エリア５Ｒにて「６」の数字を示す飾り図柄が停止表示され、図４８（Ｆ２）に示すように、画像表示装置５の表示領域にキャラクタ画像とリーチの文字を表示させ、飾り図柄の変動は縮小化されて継続する。このように、リーチＤは図４８（Ｆ２）に示したようなリーチ演出を伴うスーパーリーチ３である。
【０２６９】
図４８（Ｃ２）、（Ｄ２）、（Ｅ２）、（Ｆ２）の後は、可変表示結果が「大当り」であるか「ハズレ」であるかによって、大当り図柄またはハズレ図柄が表示されることとなる。
【０２７０】
続いて、可変表示結果が「ハズレ」となる場合のうち、飾り図柄の可変表示態様が「非リーチ」である場合における特定演出について説明する。図４９は、飾り図柄の可変表示態様が「非リーチ」である場合のうち、特定演出が実行されない場合や、「擬似連」の特定演出が実行される場合、「滑り」の特定演出が実行される場合、「発展チャンス目終了」の特定演出が実行される場合の表示動作例を示している。図４９（Ａ）では、例えば特図ゲームにおける特別図柄の変動開始などに対応して、「左」、「中」、「右」の飾り図柄表示エリア５Ｌ、５Ｃ、５Ｒの全部にて飾り図柄の変動が開始される。その後、例えば図４９（Ｂ）に示すように、「左」の飾り図柄表示エリア５Ｌにて「６」の数字を示す飾り図柄が停止表示（仮停止表示）される。例えば、変動パターン指定コマンドにより非リーチＡ１や非リーチ２の変動パターンが指定されたときには、図４９（Ｃ１）及び（Ｃ２）に示すような特定演出が実行されない場合となり、非リーチ３や非リーチ４の変動パターンが指定されたときには図４９（Ｅ１）〜（Ｅ４）に示すような「滑り」の特定演出や、図４９（Ｄ１）〜（Ｄ６）に示すような「擬似連」の特定演出や、図４９（Ｆ１）〜（Ｆ６）に示すような「発展チャンス目終了」の特定演出のうち予め定められたいずれかが実行される場合となる。この実施の形態では、非リーチで特定演出を実行する変動パターンは２種類としたが、これらの全ての特定演出を実行する変動パターンを用意するようにしてもよい。また、いずれの特定演出を実行するかの決定の一部（例えば、「滑り」とするか「発展チャンス目終了」とするかなど）を演出制御基板１２の側で演出制御ＣＰＵ１２０が決定するようにしてもよい。
【０２７１】
次に、可変表示結果が「ハズレ」となる場合のうち、飾り図柄の可変表示態様が「リーチ」である場合、または可変表示結果が「大当り」となる場合における特定演出について説明する。図５０は、飾り図柄の可変表示態様が「リーチ」である場合や可変表示結果が「大当り」となる場合のうち、「擬似連」の特定演出が実行される場合、「滑り」の特定演出が実行される場合、「発展チャンス目」の特定演出が実行される場合の表示動作例を示している。図５０（Ａ）では、例えば特図ゲームにおける特別図柄の変動開始などに対応して、「左」、「中」、「右」の飾り図柄表示エリア５Ｌ、５Ｃ、５Ｒの全部にて飾り図柄の変動が開始される。その後、例えば図５０（Ｂ）に示すように、「左」の飾り図柄表示エリア５Ｌにて「６」の数字を示す飾り図柄が停止表示（仮停止表示）される。例えば、リーチＡ２やリーチＡ３などの可変表示結果が「大当り」となる場合における特定演出を実行する変動パターンや、リーチハズレＡ２やリーチハズレＡ３などの可変表示態様が「リーチ」となる場合における特定演出を実行する変動パターンが指定されたときには図５０（Ｃ１）〜（Ｃ３）に示すような「滑り」の特定演出や、図５０（Ｄ１）〜（Ｄ５）に示すような「擬似連」の特定演出や、図５０（Ｅ１）〜（Ｅ６）に示すような「発展チャンス目」の特定演出のうち予め定められたいずれかが実行される場合となる。図５０（Ｃ３）、（Ｄ５）、（Ｅ６）でリーチ態様とした後は、可変表示結果が「大当り」であるか「ハズレ」であるかに応じて、大当り組合せ、またはハズレ組合せが停止表示されることとなる。
【０２７２】
この実施の形態では、リーチ態様となったときの図柄によって鉄板リーチとなる場合がある。図５１は、リーチ図柄により「大当り」となることが確定する鉄板リーチの具体例を示す図である。図５１（Ａ）に示すように、画像表示装置５の表示領域に設けられた「左」、「中」、「右」の各飾り図柄表示エリア５Ｌ、５Ｃ、５Ｒにて飾り図柄の変動が開始され、図５１（Ｂ）に示すように、「左」の飾り図柄表示エリア５Ｌにて「７」の数字を示す飾り図柄が停止表示され、図５１（Ｃ）に示すように、「右」の飾り図柄表示エリア５Ｒにて「７」の数字を示す飾り図柄が停止表示される。このとき、変動開始時保留数表示エリア５Ａにより示されるように、変動開始時の合計保留記憶数は７である。この場合、図２０のリーチハズレ時にリーチ図柄を決定するためのリーチ図柄決定用データ１６２Ｇに示すように、合計保留記憶数が７である場合、リーチ図柄「７」には判定値が割り振られていない。即ち、合計保留記憶数が７であってリーチ図柄が「７」である場合、そのリーチは鉄板リーチとなっており、この時点で「大当り」となることが確定する。その後、図５１（Ｄ）に示すように、「中」の飾り図柄表示エリア５Ｃにて「７」の数字を示す飾り図柄が停止表示され、「大当り」となる。
【０２７３】
図５２は、この実施の形態のバトルモード等で使用される背景画像の一例を示す図である。図５２（Ａ）が図４５（Ｂ）における「海１」（バトル勝利回数が０回）の背景であって、図５２（Ｂ）が「海２」（バトル勝利回数が１回）の背景であって、図５２（Ｃ）が「海３」（バトル勝利回数が２回）の背景である。図５２（Ａ）〜（Ｃ）に示すように、バトル勝利回数に応じて、「海１」の背景にビーチパラソル（「海２」）や椰子の木（「海３」）が追加されていく。このように、海のステージにおいてバトル勝利回数に応じてステージが進展するような演出が実行される。また、バトル勝利回数が３回になると図５２（Ｄ）に示す山のステージの背景（「山１」）となる。図５２（Ｅ）が「山２」（バトル勝利回数が４回）の背景であって、図５２（Ｆ）が「山３」（バトル勝利回数が５回）の背景である。図５２（Ｄ）〜（Ｆ）に示すように、バトル勝利回数に応じて、「山１」の背景に湖（「山２」）や鳥（「山３」）が追加されていく。このように、山のステージにおいてもバトル勝利回数に応じてステージが進展するような演出が実行される。そして、バトル勝利回数が６回になると図５２（Ｇ）に示す宇宙のステージの背景（「宇宙１」）となる。図５２（Ｈ）が「宇宙２」（バトル勝利回数が７回）の背景であって、図５２（Ｉ）が「宇宙３」（バトル勝利回数が８回）の背景である。図５２（Ｄ）〜（Ｆ）に示すように、バトル勝利回数に応じて、「宇宙１」の背景にロケット（「宇宙２」）や流星（「宇宙３」）が追加されていく。このように、宇宙のステージにおいてもバトル勝利回数に応じてステージが進展するような演出が実行される。この実施の形態では、「バトルモード」から「チャンスモード」に転落した場合に、「バトルモード」の背景をそのまま引き継ぐ。図５２に示すように、バトル勝利回数（０〜８回）ごとに異なる背景が用意されているので、「チャンスモード」においても背景がいずれであるかによって、遊技者はバトル勝利回数を認識することができる。
【０２７４】
図５３は、この実施の形態の画像表示装置５の表示例を示す図である。図５３（Ａ）は、「バトルモード」における可変表示開始前の表示例を示している。ここでは、バトル勝利回数は０回であり、バトル勝利回数が０回であることに対応する背景「海１」に味方キャラクタＣＨ０とバトル勝利回数が０回であることに対応する敵キャラクタ１（ＣＨ１）とが表示されている。
【０２７５】
ここで、演出制御基板１２の側でバトル勝ちの変動パターン（例えばバトル勝ちＡ１）を受信すると、図５３（Ｂ）、（Ｃ）に示すように、演出制御ＣＰＵ１２０により、味方キャラクタＣＨ０が敵キャラクタＣＨ１に勝利するバトル演出が実行され、図５３（Ｆ）に示すように、バトルに勝利した旨を示す表示がされるとともに、バトル勝利回数表示領域Ｗのバトル勝利回数が１に更新される。その後、大当り遊技状態となり、大当り遊技状態が終了すると、図５３（Ｅ）に示すように、バトル勝利回数が１回であることに対応する背景「海２」と敵キャラクタ２（ＣＨ２）とに切り換わる。
【０２７６】
そして、また演出制御基板１２の側でバトル勝ちの変動パターン（例えばバトル勝ちＡ１）を受信すると、図５３（Ｆ）、（Ｇ）に示すように、演出制御ＣＰＵ１２０により、味方キャラクタＣＨ０が敵キャラクタＣＨ２に勝利するバトル演出が実行され、図５３（Ｈ）に示すように、バトルに勝利した旨を示す表示がされるとともに、バトル勝利回数表示領域Ｗのバトル勝利回数が２に更新される。その後、大当り遊技状態となり、大当り遊技状態が終了すると、図５３（Ｉ）に示すように、バトル勝利回数が２回であることに対応する背景「海３」と敵キャラクタ３（ＣＨ３）とに切り換わる。
【０２７７】
このとき、演出制御基板１２の側でバトル負けの変動パターン（例えばバトル負けＡ１）を受信すると、図５３（Ｊ）、（Ｋ）に示すように、演出制御ＣＰＵ１２０により、味方キャラクタＣＨ０が敵キャラクタＣＨ２に敗北するバトル演出が実行され、図５３（Ｌ）に示すように、バトルに敗北した旨を示す表示がされる。その後、２ラウンドの大当り遊技状態となり、２ラウンドの大当り遊技状態が終了すると、図５３（Ｍ）に示すような「チャンスモード」に移行する。この「チャンスモード」では、「バトルモード」の背景「海３」が引き継がれる。このように「チャンスモード」においても、背景がいずれであるかによって遊技者がバトル勝利回数を認識可能である。なお、バトル勝利回数が２、５、８回である場合（敵キャラクタ３、６、９の場合）に第３大当りとなった場合、必ず図５３（Ｊ）〜（Ｌ）に示すようなバトルに敗北して「チャンスモード」に転落する演出となる。一方、バトル勝利回数が２、５、８回以外である場合に第３大当りとなった場合は、８０％の割合で救済演出が実行され「バトルモード」継続となる。このように、バトル勝利回数及び敵キャラクタがいずれであるかによって第３大当りとなったときの「バトルモード」の継続割合を異ならせている。これにより、敵キャラクタに強弱があるかのような演出が実行可能である。また、「チャンスモード」では、「バトルモード」の背景が引き継がれるが、「バトルモード」を経由せずに「通常モード」から「チャンスモード」に移行した場合は、バトル勝利回数が０回であることに対応した、図５２（Ａ）に示す背景により「チャンスモード」の演出が実行されるようにすればよい。
（実施の形態２）
【０２７８】
上記実施の形態１では、「バトルモード」で使用される敵キャラクタをバトル勝利回数に対応して異ならせていた。実施の形態２では、第１特別図柄表示装置４Ａと第２特別図柄表示装置４Ｂとのいずれで可変表示が実行されるかによっても敵キャラクタを異ならせる。即ち、第１特別図柄表示装置４Ａによる特別図柄の可変表示結果が「大当り」となるときは、第１特別図柄表示装置４Ａに対応した敵キャラクタと味方キャラクタが戦うバトル演出が実行される。また、第２特別図柄表示装置４Ｂによる特別図柄の可変表示結果が「大当り」となるときは、第２特別図柄表示装置４Ｂに対応した敵キャラクタと味方キャラクタが戦うバトル演出が実行される。遊技者は、敵キャラクタの相違によりいずれの特別図柄表示装置において可変表示結果が「大当り」となったかを認識可能である。なお、「バトルモード」中に、第１特別図柄表示装置４Ａによる特別図柄の可変表示結果が「ハズレ」となるときと、第２特別図柄表示装置４Ｂによる特別図柄の可変表示結果が「ハズレ」となるときと、においても異なる演出態様により演出を実行するようにしてもよい。このように、いずれの特別図柄表示装置により可変表示が実行されるかによって敵キャラクタを異ならせるためには、図４５に示すステップＳ５８５の処理において、いずれの特別図柄表示装置により可変表示が実行されるかによって異なる敵キャラクタに決定するようにすればよい。また、第１特別図柄表示装置４Ａによる特図ゲームが実行されるときと、第２特別図柄表示装置４Ｂによる特図ゲームが実行されるときと、で異なる大当り用変動パターン種別判定用データ、大当り用変動パターン判定用データが用意して、図３０のＳ２７２〜Ｓ２７６の処理で第１特別図柄表示装置４Ａによる特図ゲームが実行されるときと、第２特別図柄表示装置４Ｂによる特図ゲームが実行されるときと、で異なる変動パターンに決定されるようにしてもよい。なお、実施の形態２において実施の形態１と同一の構成、処理については説明を省略する。
【０２７９】
図５４〜図６１は、実施の形態２の各演出モードにおける画像表示装置５の表示例を示す図である。なお、以下の実施の形態２の表示例では、背景は省略しているが、図５３に示した実施の形態１の表示例のように、バトル勝利回数に応じて背景（図５２に示した背景）を切り換えるものであってもよい。図５４（１）〜（１２）は、通常モードにおいて大当り遊技状態となるまでの変動を示している。例えば、図５４（２）は、画像表示装置５の表示領域に設けられた「左」、「中」、「右」の各飾り図柄表示エリア５Ｌ、５Ｃ、５Ｒにて飾り図柄の変動が開始したことを示している。その後、図５４（３）に示すように、「左」の飾り図柄表示エリア５Ｌにて「５」の数字を示す飾り図柄が停止表示される。また、図５４（４）に示すように、「右」の飾り図柄表示エリア５Ｒにて「６」の数字を示す飾り図柄が停止表示される。図５４（５）に示すように、「中」の飾り図柄表示エリア５Ｃにて「７」の数字を示す飾り図柄が停止表示される。即ち、図５４（２）〜（５）の変動は通常モードにおける非リーチハズレの変動を示している。また、同様に図５４（６）〜（７）も非リーチハズレの変動を示している。ここで保留記憶があれば、続いて図５４（８）に示すように「左」、「中」、「右」の各飾り図柄表示エリア５Ｌ、５Ｃ、５Ｒにて飾り図柄の変動が再び開始される。可変表示結果が「大当り」となる場合、図５４（９）及び図５４（１０）に示すように、「左」の飾り図柄表示エリア５Ｌ、及び「右」の飾り図柄表示エリア５Ｒに「７」の数字を示す飾り図柄が停止表示され、リーチ態様となる。その後、図５４（１１）に示すように「リーチ」の文字を表示するリーチ演出が実行され、図５４（１２）に示すように再びリーチ態様を表示した後、大当り種別に応じて、図５５（１）または図５５（７）に進む。
【０２８０】
図５４（１２）の表示となったときに、大当り種別が「第１大当り」または「第２大当り」であった場合、図５５（１）に示すように大当り組合せ（この例では「７」の組合せ）が表示される。その後、例えば図５５（２）のように大当り種別が７ラウンド大当り（「第２大当り」）である旨が表示される。ここでは、昇格演出の一つとして図５５（３）に示すように画面を切り裂く表示がされた後、図５５（４）のように大当り種別が１５ラウンド大当り（「第１大当り」）である旨を表示させている。図１０（Ａ）に示した「第１大当り」の変動パターン種別判定用データ１３３Ａにおいて、このような演出（昇格演出）を実行する変動パターンが選択可能なように設定されていればよい。なお、ここでは大当り遊技状態中の昇格演出なので、変動パターンは昇格演出の有無に関わらず共通であってもよい。また、昇格演出の実行タイミングは大当り遊技状態中に限らず、可変表示の終了時や大当り遊技状態終了時（エンディング時）などに実行するものであってもよい。さらに、大当り図柄の種類（図柄番号がいずれであるか）によって１５ラウンド大当りである旨を示すものであってもよい。その後、１５ラウンドの大当り遊技状態が実行され、図５５（５）に示すように大当り遊技状態が終了した旨が表示され、図５５（６）に示すようにバトルモードに移行する旨の表示がされる。その後、演出モードがバトルモードに移行する。
【０２８１】
図５４（１２）の表示となったときに、大当り種別が「第３大当り」または「第４大当り」であった場合、図５５（７）に示すように２ラウンド大当り組合せ（この例では「７」「８」「７」の組合せ）が表示される。その後、例えば図５５（８）（９）に示すように爆弾の画像が表示され、その爆弾が爆発する演出の後、図５５（１０）に示すように、チャンスモードに移行する旨の表示がされる。このときに、２ラウンドの大当り遊技状態が実行され、その後、演出モードがチャンスモードに移行する。また、図５５（８）に示した爆弾が、爆発しないパターンがあってもよい。そして、その場合はチャンスモードに移行しないようにしてもよい。その場合に停止表示される飾り図柄の組合せは「７」「６」「７」などの２ラウンド大当り組合せに類似する組合せとしてもよいし、２ラウンド大当り組合せと同一の組合せとしてもよい。
【０２８２】
この表示例のバトルモードでは（例えば図５５（６）の後など）、図５６（１）に示すように、味方キャラクタＣＨ０と第１特別図柄表示装置４Ａに対応する敵キャラクタＣＨ１−１と第２特別図柄表示装置４Ｂに対応する敵キャラクタＣＨ１−２が表示され、これらのキャラクタによる演出が実行される。第１特別図柄表示装置４Ａが変動する場合、図５６（２）（３）に示すように、画像表示装置５では、味方キャラクタＣＨ０と敵キャラクタＣＨ１−１が対峙する演出になる。また、このとき、バトル前予告演出の一つとして、鍔迫り合いする予告演出（例えば予告Ａ）が実行されている。このようなバトル前予告演出は、バトル演出の開始時と類似する（同一の）演出が実行される（例えば図５６（２）と（７））。このような演出とすることで、バトル演出が実行される（大当りとなる）ことへの期待感を高めることができる。変動中特図表示エリア５Ｉでは、第１特別図柄表示装置４Ａに対応する色の表示がされる。バトルモードでは、キャラクタによる演出とともに、例えば、画像表示装置５の表示領域の左上部分などに設けられる飾り図柄表示エリア５Ｍで「１」〜「８」の３桁の数字の飾り図柄の変動も実行される。続いて、第２特別図柄表示装置４Ｂが変動する場合、図５６（４）に示すように、味方キャラクタＣＨ０が一旦敵キャラクタＣＨ１−２の方へ移動した後に、図５６（５）に示すように、画像表示装置５では、味方キャラクタＣＨ０と敵キャラクタＣＨ１−２が対峙する演出になる。また、このとき、バトル前予告演出の一つとして、味方キャラクタＣＨ０が敵キャラクタの方へ移動する予告演出（例えば予告Ｂ、図５６（４））が実行されている。変動中特図表示エリア５Ｉでは、第２特別図柄表示装置４Ｂに対応する色の表示がされる。バトルモード中に「大当り」となる場合、例えば、図５６（６）に示すように味方キャラクタＣＨ０が敵キャラクタの方へ移動すると同時に流れ星を表示するバトル前予告演出（例えば予告Ｃ）が実行され、図５６（７）（８）に示すように味方キャラクタＣＨ０と敵キャラクタＣＨ１−１とによるバトル演出が開始される。ここで例えばバトル後予告演出として、図５６（９）に示すように桜吹雪が舞う演出が実行され、図５６（１０）に示すように、キャラクタの足のシルエットが表示される。その後、図５６（１１）に示すように、バトル後予告演出の一部として味方キャラクタＣＨ０が表示される。図５６（９）〜（１１）のバトル後予告演出が、例えば予告Ｄ１である。その後、図５６（１２）、図５７（１）（２）に示すように、バトルに勝利して、「第１大当り」または「第２大当り」となったことが表示される。また、バトルに勝利したことで、画像表示装置５の右上部分などに設けられるバトル勝利回数表示領域５Ｌに表示されるバトル勝利回数が更新され「バトル勝利１回」と表示される。また、数字の飾り図柄も大当り組合せ（この例では「７」の組合せ）となる。その後、図５７（３）〜（５）に示すように、大当り遊技状態となる。ここで、例えば大当り遊技状態中の昇格演出として、図５７（６）（７）に示すような、「第２大当り」（７ラウンド大当り）から「第１大当り」（１５ラウンド大当り）に昇格する昇格演出が実行される。即ち、第１特別図柄表示装置４Ａの変動パターン種別判定用データにおいて、このような演出（昇格演出）を実行する変動パターンが選択可能なように設定されていればよい。この場合、図５７（８）のように大当り遊技状態を継続させて、その後１５ラウンドが終了すると図５７（９）に示すような大当り遊技状態が終了した旨や、図５７（１０）に示すようなバトルモードが継続する旨が表示され、その後は、バトルモードが継続する（例えば、図５６の（１）のような演出が継続する）。その後のバトルモードでは、例えばバトル勝利回数が１回であることに対応した敵キャラクタＣＨ２−１や敵キャラクタＣＨ２−２を使用した演出となる。また、背景もバトル勝利回数が１回であることに対応した背景（例えば図５２（Ｂ）に示す背景）となる。
【０２８３】
一方、図５６（１０）に示したようにキャラクタの足のシルエットを表示した後に、図５８（１）に示すようにバトル後予告演出の一部として敵キャラクタＣＨ１−１が表示される場合がある。図５６（９）〜（１０）及び図５８（１）のバトル後予告演出が、例えば予告Ｄ２である。その後、第３大当りまたは第４大当りでバトルモードから転落する変動パターン（例えば図１４（Ａ）に示すバトル負けＡ１の変動パターン）であれば、図５８（２）〜（４）に示すように、バトルに敗北した表示（モード終了演出）がされ、図５８（５）に示すように、チャンスモードに移行する表示（モード終了演出）がされ、チャンスモードに移行する（例えば、図５５の（１１）のような演出に移行する）。バトル後予告演出において、味方キャラクタと敵キャラクタのどちらが表示されるかで、バトルモードの継続率が異なる（図２２（Ｂ）参照）ので、遊技者はこのようなバトル後予告演出に注目する。なお、図５８（１）〜（４）は、第１特別図柄表示装置４Ａにて変動が実行されるときの例であって、第２特別図柄表示装置４Ｂにて変動が実行されるときは敵キャラクタＣＨ１−２を用いた演出となる。なお、図５８（２）〜（５）に示すようなバトルモードが終了することを示すモード終了演出は、大当り（第３・第４大当り）となったとき（可変表示終了時）に行うものに限定されず、可変表示実行中、大当り遊技状態中や大当り遊技状態終了後に行うようにしてもよい。また、これらの複数に渡って行ってもよい。
【０２８４】
また、図５８（４）に示したようにバトルに敗北した表示の後に、図５９（１）（２）のように医者のキャラクタを表示させて注射を打つ他の演出（モード継続演出）をするなどして、味方キャラクタＣＨ０が復活する演出を実行する場合がある。第３大当りバトルモードが継続する変動パターン（例えば図１４（Ａ）に示すバトル負けＡ２の変動パターン）であれば、図５９（２）に示した表示の後、図５９（３）に示すように、２ラウンド大当り組合せの表示とともにバトルモードが継続する表示がなされる。また、大当り種別が「第１大当り」または「第２大当り」であって救済演出を実行する変動パターンである（第３大当りまたは第４大当りでバトルモードから転落する変動パターン（例えば図１４（Ａ）に示すバトル勝ちＡ３の変動パターン）場合は、図５６（１１）の表示などに移行してその後、「第１大当り」または「第２大当り」の大当り遊技状態となる。図５９（１）、（２）に示すような味方キャラクタＣＨ０が復活する演出をバトル勝ちの変動パターン専用の救済演出にして、この演出が実行された場合は１００％出玉のある大当りである「第１大当り」または「第２大当り」となるようにしてもよい。
【０２８５】
チャンスモードでは（例えば図５５（１０）の後など）、例えば図５５（１１）に示すように、味方キャラクタＣＨ０が、敵キャラクタを探す演出が実行される。このチャンスモードでは、時短状態であるか確変状態であるかは遊技者からは不明である。チャンスモードでもバトルモード同様に、キャラクタによる演出とともに、例えば、画像表示装置５の表示領域の左上部分などに設けられる飾り図柄表示エリア５Ｍで「１」〜「８」の３桁の数字の飾り図柄の変動も実行される。また、チャンスモードでは、画像表示装置５の表示領域の右上部分など設けられるチャンスモード変動回数表示エリア５Ｎにチャンスモードでの変動回数の残り回数がカウントダウン表示される。図５５（１２）に示すように、変動が１回実行されるごとに、チャンスモードでの変動回数がカウントダウンされる（３０回→２９回）。チャンスモードにおいて、「大当り」となる場合、図６０（１）〜（４）に示すように、例えば味方キャラクタＣＨ０が扉を発見し、その扉が開かれる演出を実行する。ここで、大当り種別が「第１大当り」または「第２大当り」である場合、図６０（５）に示すように、敵キャラクタＣＨ１−１を発見する表示がされ、図６０（６）に示すように、「大当り」である旨の表示がされ、数字の飾り図柄も大当り組合せ（この例では「７」の組合せ）となる。図６０（５）で表示される敵キャラクタは、第１特別図柄表示装置４Ａの変動である場合は第１特別図柄表示装置４Ａに対応する敵キャラクタＣＨ１−１となり、第２特別図柄表示装置４Ｂの変動である場合は第２特別図柄表示装置４Ｂに対応する敵キャラクタＣＨ１−２となる。その後、大当り遊技状態となって（例えば、図５７の（４）〜（１０）のような演出を実行して）、その後にバトルモードに移行する。一方、大当り種別が「第３大当り」または「第４大当り」である場合、図６０（７）に示すように、何も発見できなかった表示がされ、図６０（８）に示すように、「残念」との表示がされるともに、数字の飾り図柄を２ラウンド大当り組合せ（この例では「７」「８」「７」の組合せ）となる。このとき２ラウンドの大当り遊技状態が実行され、その後、チャンスモードが継続する（例えば、図５５の（１１）のような演出に移行する）。
【０２８６】
チャンスモードにおいて、チャンスモードでの変動回数（例えば３０回）が終了するときには、例えば、図６１（１）〜（３）に示すように、扉が閉まる演出が実行される。そして、このときチャンスモード移行時の大当り種別が「第３大当り」であった場合は、図６１（４）に示すように、画像表示装置５の下部分に設けられるモード表示エリア５Ｏに激アツモードに移行する旨の表示がされる。なお、激アツモードの演出は、背景色がチャンスモードと異なるなど、チャンスモードと区別できるように一部の演出態様が異なるものであればよい。例えば、図５２に示した背景の色違いなどであればよい。チャンスモードから激アツモードに移行したことで、遊技者は確変状態であることを認識できる。一方、チャンスモード移行時の大当り種別が「第４大当り」であった場合は、時短状態から通常状態に移行し、演出モードも通常モードに戻る。なお、激アツモードにおいて、チャンスモードから変更される演出態様は、図６１（４）に示したように背景色を変更するといった簡素な変更である方が望ましい。このように変更を簡素にすることで動画データ自体はモード間で共通のデータを使用することができ、記憶容量を削減することができる。また、他の演出モードである場合にも、モード表示エリア５Ｏに現在の演出モードを表示するようにしてもよい。
【０２８７】
実施の形態２の変形例の一つとして、遊技者が任意のタイミング（例えば、画像表示装置５において可変表示を実行中など）で操作ボタン３０（ジョグダイアル）を操作することで、バトルモードで使用される味方キャラクタを複数から選択可能な演出を用意してもよい。図６２は、このような変形例における画像表示装置５の表示例を示す図である。この変形例では、例えば、図６２（１）に示すようなバトルモードの可変表示中などに、図６２（２）味方キャラクタが選択可能であることを示す「選択チャンス」の文字が表示される。そして、図６２（３）に示すように、操作ボタン３０（ジョグダイアル）の操作を促すが表示される。その後、図６２（４）選択可能キャラクタ（ここでは味方キャラクタＣＨ０１、ＣＨ０２、ＣＨ０３が選択可能）及び選択可能な残り時間などを表示する。また、このとき画像表示装置５にキャラクタ選択ポインタ５Ｐを表示する。このキャラクタ選択ポインタ５Ｐは、ジョグの操作に連動して動作する。即ち、ジョグを右回転すると、キャラクタ選択ポインタ５Ｐは味方キャラクタＣＨ０１、味方キャラクタＣＨ０２、味方キャラクタＣＨ０３の順に動作する。ジョグを左回転すると、キャラクタ選択ポインタ５Ｐは味方キャラクタＣＨ０３、味方キャラクタＣＨ０２、味方キャラクタＣＨ０１の順に動作する。そして、例えば選択するための時間が終了時に選択されている味方キャラクタに決定される。そして、図６２（５）に示すように、当該選択されたキャラクタが拡大表示される。その後のバトルモードでは、図６２（６）に示すように、選択された味方キャラクタＣＨ０２による演出が実行される。なお、操作ボタン３０が押下されたときに、キャラクタ選択ポインタ５Ｐに選択されている味方キャラクタに決定するようにしてもよい。
【０２８８】
また、図６２に示した例において、選択された味方キャラクタが、いずれの敵キャラクタと戦うかによって、バトルモードが継続する（「第１大当り」または「第２大当り」となる）割合（信頼度）を異ならせるよう演出制御パターンが決定されるようにしてもよい。
【０２８９】
即ち、演出制御ＣＰＵ１２０は、操作ボタン３０からの操作検出信号に基づき、いずれの味方キャラクタが選択中であるかを記憶する。そして、味方キャラクタＣＨ０１、ＣＨ０２、ＣＨ０３のいずれかが選択中である場合、味方キャラクタの種別、いずれの特別図柄表示装置の変動であるか、及び、大当り種別が「第１大当り」または「第２大当り」であるか、「第３大当り」または「第４大当り」であるか、に基づいてバトル演出で戦う敵キャラクタの決定割合を異ならせる。例えば、図６３に示す設定に基づいて、演出制御用ＣＰＵ１２０がステップS５８５の処理などで、対応する演出制御パターンを決定すればよい。
【０２９０】
図６３（Ａ）に示した第１特別図柄表示装置４Ａの変動である場合の例では、味方キャラクタＣＨ０１選択中は、大当り種別が「第１大当り」または「第２大当り」である場合、敵キャラクタＣＨ１−１ａが選択されやすい（敵キャラクタＣＨ１−１ａ：８０％、敵キャラクタＣＨ１−１ｂ：２０％）。一方、大当り種別が「第３大当り」または「第４大当り」である場合、敵キャラクタＣＨ１−１ｂが選択されやすい（敵キャラクタＣＨ１−１ａ：２０％、敵キャラクタＣＨ１−１ｂ：８０％）。従って、味方キャラクタＣＨ０１選択中は、敵キャラクタＣＨ１−１ａと戦うバトル演出が実行されるとバトルモードが継続する信頼度が高くなる。また、味方キャラクタＣＨ０２選択中は、大当り種別が「第１大当り」または「第２大当り」である場合も、敵キャラクタＣＨ１−１ａが選択されやすい（敵キャラクタＣＨ１−１ａ：６０％、敵キャラクタＣＨ１−１ｂ：４０％）。一方、大当り種別が「第３大当り」または「第４大当り」である場合、敵キャラクタＣＨ１−１ｂが選択されやすい（敵キャラクタＣＨ１−１ａ：４０％、敵キャラクタＣＨ１−１ｂ：６０％）。味方キャラクタＣＨ０２選択中にも、敵キャラクタＣＨ１−１ａと戦うバトル演出が実行されるとバトルモードが継続する信頼度が高くなるが、味方キャラクタＣＨ０１が選択されている場合ほど割り振りが極端ではないため、信頼度は下がる。また、味方キャラクタＣＨ０３選択中は、大当り種別が「第１大当り」または「第２大当り」である場合、敵キャラクタＣＨ１−１ｂが選択されやすい（敵キャラクタＣＨ１−１ａ：２０％、敵キャラクタＣＨ１−１ｂ：８０％）。一方、大当り種別が「第３大当り」または「第４大当り」である場合、敵キャラクタＣＨ１−１ａが選択されやすい（敵キャラクタＣＨ１−１ａ：８０％、敵キャラクタＣＨ１−１ｂ：２０％）。従って、味方キャラクタＣＨ０３選択中は、敵キャラクタＣＨ１−１ｂと戦うバトル演出が実行されるとバトルモードが継続する信頼度が高くなる。
【０２９１】
図６３（Ｂ）に示した第２特別図柄表示装置４Ｂの変動である場合の例では、味方キャラクタＣＨ０１選択中は、大当り種別が「第１大当り」または「第２大当り」である場合、敵キャラクタＣＨ１−２ａが選択されやすい（敵キャラクタＣＨ１−２ａ：８０％、敵キャラクタＣＨ１−２ｂ：２０％）。一方、大当り種別が「第３大当り」または「第４大当り」である場合、敵キャラクタＣＨ１−２ｂが選択されやすい（敵キャラクタＣＨ１−２ａ：２０％、敵キャラクタＣＨ１−２ｂ：８０％）。従って、味方キャラクタＣＨ０１選択中は、敵キャラクタＣＨ１−２ａと戦うバトル演出が実行されるとバトルモードが継続する信頼度が高くなる。また、味方キャラクタＣＨ０２選択中は、大当り種別が「第１大当り」または「第２大当り」である場合も、敵キャラクタＣＨ１−２ａが選択されやすい（敵キャラクタＣＨ１−２ａ：６０％、敵キャラクタＣＨ１−２ｂ：４０％）。一方、大当り種別が「第３大当り」または「第４大当り」である場合、敵キャラクタＣＨ１−２ｂが選択されやすい（敵キャラクタＣＨ１−２ａ：４０％、敵キャラクタＣＨ１−２ｂ：６０％）。味方キャラクタＣＨ０２選択中にも、敵キャラクタＣＨ１−２ａと戦うバトル演出が実行されるとバトルモードが継続する信頼度が高くなるが、味方キャラクタＣＨ０１が選択されている場合ほど割り振りが極端ではないため、信頼度は下がる。また、味方キャラクタＣＨ０３選択中は、大当り種別が「第１大当り」または「第２大当り」である場合、敵キャラクタＣＨ１−２ｂが選択されやすい（敵キャラクタＣＨ１−２ａ：２０％、敵キャラクタＣＨ１−２ｂ：８０％）。一方、大当り種別が「第３大当り」または「第４大当り」である場合、敵キャラクタＣＨ１−２ａが選択されやすい（敵キャラクタＣＨ１−２ａ：８０％、敵キャラクタＣＨ１−２ｂ：２０％）。従って、味方キャラクタＣＨ０３選択中は、敵キャラクタＣＨ１−２ｂと戦うバトル演出が実行されるとバトルモードが継続する信頼度が高くなる。以上のように、操作ボタン３０選択されたキャラクタに基づいて演出パターンを決定することで、遊技者がバトルモードの継続率に関与したかのような演出が可能となり、遊技性が向上する。なお、この場合にもバトル勝利回数に応じて敵キャラクタの種別を異ならせる場合には、図６３（Ａ）、（Ｂ）に示したような設定用データがバトル勝利回数ごとに用意されればよい。
【０２９２】
また、上記実施の形態では、図３に示したように、「バトルモード」中に「第４大当り」となった場合、必ず「チャンスモード」に移行するものとしたが、図６４（Ａ）に示すように、「第４大当り」となった場合も「第３大当り」となった場合と同様に、所定の割合で「チャンスモード」に移行し、所定の割合で「バトルモード」が継続するようにしてもよい。このように「バトルモード」が継続した場合、時短状態を終了するとき（３０回変動後）に「通常モード」に移行するようにすればよい。この場合、図３０のステップＳ２６４の処理におけるテーブル選択設定において、「バトルモード」で第４大当りとなったときにも変動パターン種別判定用データ１３３Ｉを選択可能として、図３２の特別図柄停止処理のステップＳ３０９や図３３の大当り終了処理のステップＳ３１６のモードフラグ切換設定では、図３４（Ａ）に示したモードフラグ切換設定用データ２００に変えて、図６４（Ｂ）（Ｃ）に示すような、モードフラグ切換設定用データ２００Ａ、２０２が用いられればよい。図６５は、このような変形例における画像表示装置５の表示例を示す図である。図６５（１）（２）では、バトルモードで「第４大当り」となって、バトルに敗北した演出を実行している。その後、バトルモードが継続する変動パターン（例えばバトル負けＡ１の変動パターン）のとき、図６５（３）に示すように、味方キャラクタＣＨ０が復活するような演出を実行して、バトルモードを継続する。また、バトルモードから転落する変動パターン（例えばバトル負けＡ２の変動パターン）のとき、図６５（４）に示すように、バトルに敗北した表示を行って、チャンスモードに転落する。なお、図６５（３）に示すように、バトルモードが継続した場合は、時短状態の終了するときにチャンスモードから通常モードに移行するときと同様な演出により通常モードに移行するようにすればよい。
【０２９３】
このように、この変形例ではバトルモード中に「第４大当り」となった場合でもバトルモードが継続する場合があるため、遊技者の期待感を維持することができ、チャンスモードになってしまったことによって遊技を終了してしまうことを軽減することができる。また、必ずバトルモードが継続するわけではなく、チャンスモードになることもあるので、演出にメリハリがつく。
（実施の形態３）
【０２９４】
上記実施の形態では、バトル演出のパターン（バトル演出パターン）は、主基板１１の側で、変動パターンとして決定していた。これに限定されず、実施の形態３では、キャラクタの種別を含め演出制御基板１２の側で演出制御ＣＰＵ１２０が決定する。この場合、バトルモードにおいて主基板１１の側では特図可変表示結果や特図変動時間のみが決定される。例えば確変状態として、継続して確変制御が行われるとともに、第２始動入賞口に遊技球が進入する可能性を高める有利開放制御が行われる高確高ベース状態と、確変制御は行われるが有利開放制御は行われない高確低ベース状態とを設けて、また、時短状態として、特図変動時間が短縮されるとともに有利開放制御が行われる低確高ベース状態と、特図変動時間は短縮されるが有利開放制御は行われない低確低ベース状態とを設けて、これら（高確高ベース状態、高確低ベース状態、低確高ベース状態、低確低ベース状態）のいずれの状態であるかに対応して異なる変動パターン（変動時間）決定用データを用意して主基板１１の側で変動時間を決定するようにする。そして、演出制御基板１２の側で、変動時間と特図可変表示結果とに対応する演出制御パターンを決定する。
【０２９５】
また、この実施の形態では、演出モードの管理やバトル勝利回数のカウントも主基板１１の側では実行されず、演出制御基板１２の側で実行される。そのためには、演出制御基板１２の側にてモードフラグを設けて、大当り種別や変動回数に応じてモードフラグを切り換える処理（ステップＳ３０９やステップＳ３１６に対応する処理）を実行するようにすればよい。また、演出制御基板１２の側にてバトル勝利数カウンタを設けて、バトルモード中の大当り回数などに応じてバトル勝利数カウンタを更新する処理（ステップＳ３０１やステップＳ３１０に対応する処理）を実行するようにすればよい。さらに、バトルモード中に「第３大当り」となった場合に、バトルモードを継続するか否かの判定も演出制御基板１２の側で実行される。そして、その判定結果に対応するバトル演出パターンが決定されるようにすればよい。バトルモードを継続するか否かの判定においては、バトル勝利回数（バトル勝利数カウンタのカウント値）に対応して、バトルモードの継続率を異ならせる。
【０２９６】
また、この実施の形態におけるバトル演出は、操作ボタン３０の操作によって演出態様を異ならせるものである。さらに、バトル演出パターンごとに操作ボタン３０の操作態様も異ならせている。なお、実施の形態３において実施の形態１と同一の構成、処理については説明を省略する。このような実施の形態３を、発明の趣旨を逸脱しない範囲で上記各実施の形態と適宜組み合わせてもよい。
【０２９７】
図６６、図６７は、この実施の形態でＲＯＭ１２１が記憶する判定用データを示す図である。この実施の形態の判定用データには、図６６に示すバトル演出パターン種別判定用データ１７５Ａ〜１７５Ｃ、１７６Ａ〜１７６Ｃと、図６７に示すバトル演出パターン判定用データ１７７とが含まれる。この実施の形態では、演出制御用ＣＰＵ１２０が、バトル演出パターン種別判定用データに基づいてバトル演出パターン種別を決定した後、当該決定したバトル演出パターン種別に対応するバトル演出パターン判定用データに基づいて詳細なバトル演出パターンが決定される。例えば、バトル演出パターン種別判定用データに基づいてバトル演出パターン種別が決定され、そのバトル演出パターン種別に対応するバトル演出パターン判定用データに基づいて大当りのラウンド数が昇格する演出（昇格演出）やバトルに敗北したと見せかけた後に勝利する演出（救済演出）など他の演出の有無や種別などが決定される。なお、これらの切り分けは一例であって、他の切り分けであってもよい。
【０２９８】
図６６（Ａ）〜（Ｆ）に示す、バトル演出パターン種別判定用データ１７５Ａ〜１７５Ｃ、１７６Ａ〜１７６Ｃは、バトルモード中に可変表示結果が「大当り」となるとき（バトル演出を実行するとき）に、大当り種別に応じて、バトル演出パターン種別を、バトル演出パターン種別判定用の乱数値ＳＲ５に基づいて複数種類（バトル勝ちＡ１、Ｂ１、Ｃ１、Ａ２、Ｂ２、Ｃ２、バトル負けＡ１、Ｂ１、Ａ２、Ｂ２、バトル継続Ａ１、Ｂ１、Ａ２、Ｂ２）のいずれかに決定するために参照される判定用データである。第１特別図柄表示装置４Ａにて可変表示が実行されるときにはバトル演出パターン種別判定用データ１７５Ａ〜１７５Ｃが使用され、第２特別図柄表示装置４Ｂにて可変表示が実行されるときにはバトル演出パターン種別判定用データ１７６Ａ〜１７６Ｃが使用される。各バトル演出パターン種別判定用データ１７５Ａ〜１７５Ｃ、１７６Ａ〜１７６Ｃは、大当り種別、いずれの特別図柄表示装置に対応する大当りであるかに応じて、判定用データとして選択される。
【０２９９】
具体的には、バトル演出パターン種別判定用データ１７５Ａ〜１７５Ｂ、１７６Ａ〜１７６Ｂは、「バトルモード」時の大当り種別が「第１大当り」、「第２大当り」、「第３大当り」、「第４大当り」のいずれであるか、及びいずれの特別図柄表示装置に対応する大当りであるかに応じて、バトル演出パターン種別判定用の乱数値ＳＲ５をバトル勝ちＡ１、Ｂ１、Ｃ１、Ａ２、Ｂ２、Ｃ２、バトル負けＡ１、Ｂ１、Ａ２、Ｂ２のバトル演出パターン種別のいずれかに割り当てる判定用データなどから構成されている。また、バトル演出パターン種別判定用データ１７５Ｃ、１７６Ｃは、「バトルモード」時の大当り種別が「第３大当り」であって、バトルモードを継続すると判定されたときに使用され、バトル演出パターン種別判定用の乱数値ＳＲ５をバトル継続Ａ１、Ｂ１、Ａ２、Ｂ２のバトル演出パターン種別のいずれかに割り当てる判定用データなどから構成されている。このように、「バトルモード」における大当り種別が複数種類のいずれであるかに応じて、異なるバトル演出パターン種別に決定することが可能となり、同一のバトル演出パターン種別に決定される割合を異ならせることができる。また、いずれの特別図柄表示装置にて可変表示が実行されるかによって決定されるバトル演出パターン種別を異ならせることができる。さらに、「バトルモード」時の大当り種別が「第３大当り」であって、バトルモードを継続すると判定された場合には、バトルモード継続のバトル演出パターン種別に決定することができる。この実施の形態では、操作ボタン３０の操作態様が異なる３種類のバトル演出（バトルＡ、バトルＢ、バトルＣ）が用意されており、バトルＡ（バトル勝ちＡ１、Ａ２、バトル負けＡ１、Ａ２、バトル継続Ａ１、Ａ２のバトル演出パターン種別で実行される）は、「第３大当り」、「第４大当り」のとき（特に「第４大当り」のとき）に決定されやすく設定され、バトルＢ（バトル勝ちＢ１、Ｂ２、バトル負けＢ１、Ｂ２、バトル継続Ｂ１、Ｂ２のバトル演出パターン種別で実行される）は、「第１大当り」、「第２大当り」のとき（特に「第２大当り」のとき）に決定されやすく設定され、バトルＣ（バトル勝ちＣ１及びＣ２のバトル演出パターン種別で実行される）は、「第１大当り」、「第２大当り」のときのみに決定されるように設定されている。このように、いずれのバトル演出パターン種別であるかによって、いずれの大当りとなるかの割合が異なるので、遊技者がバトル演出に注目するようになる。なお、バトル演出パターン種別判定用データ１７５Ａ〜１７５Ｃとバトル演出パターン種別判定用データ１７６Ａ〜１７６Ｃとにおける乱数値ＳＲ５の割り当ては同様なものとなっていたが、乱数値ＳＲ５の割り当てを異ならせてもよい。例えば、バトル演出パターン種別判定用データ１７６Ａにおける「第１大当り」、「第２大当り」のときのバトル勝ちＡ２の割り当てを、バトル演出パターン種別判定用データ１７５Ａにおける「第１大当り」、「第２大当り」のときのバトル勝ちＡ１の割り当てより少なくしてもよい。こうすることで、第２特別図柄表示装置４Ｂにて「第１大当り」、「第２大当り」となる場合に、第１特別図柄表示装置４Ａにて「第１大当り」、「第２大当り」となる場合よりも、バトルＢ、バトルＣのバトル演出が実行されやすくすることができる。
【０３００】
バトル演出パターン判定用データには、図６７に示すバトル演出パターン判定用データ１７７が含まれている。バトル演出パターン判定用データ１７７は、バトル演出パターン種別の決定結果に応じて、バトル演出パターンを、バトル演出パターン判定用の乱数値ＳＲ６に基づいて複数種類のいずれかに決定するために参照される判定用データである。バトル演出パターン判定用データ１７７は、バトル演出パターン種別に応じて、バトル演出パターン判定用の乱数値ＳＲ６を、飾り図柄の可変表示結果が「大当り」である場合に対応した複数種類のバトル演出パターンのいずれかに割り当てる判定用データなどから構成されている。
【０３０１】
バトル演出パターン判定用データ１７７においてバトルＡ１−１〜Ａ１−６、Ａ２−１〜Ａ２−６はバトルＡのバトル演出が実行されるバトル演出パターンであり、バトルＢ１−１〜Ｂ１−６、Ｂ２−１〜Ｂ２−６はバトルＢのバトル演出が実行されるバトル演出パターンであり、バトルＣ１−１、Ｃ１−２、Ｃ２−１、Ｃ２−２はバトルＣのバトル演出が実行されるバトル演出パターンである。また、バトルＡ１−１、Ａ１−２、Ｂ１−１、Ｂ１−２、Ｃ１−１、Ｃ１−２、Ａ２−１、Ａ２−２、Ｂ２−１、Ｂ２−２、Ｃ２−１、Ｃ２−２は、味方キャラクタが敵キャラクタに勝つバトル演出パターンであり、バトルＡ１−３、Ａ１−４、Ｂ１−３、Ｂ１−４、Ａ２−３、Ａ２−４、Ｂ２−３、Ｂ２−４は、味方キャラクタが敵キャラクタに負けるバトル演出パターンであり、バトルＡ１−５、Ａ１−６、Ｂ１−５、Ｂ１−６、Ａ２−５、Ａ２−６、Ｂ２−５、Ｂ２−６は、味方キャラクタが敵キャラクタに負けた後に復活するなどの演出を実行しバトルモードが継続するバトル演出パターンである。そして、バトルＡ１−２、Ａ１−４、Ａ１−６、Ｂ１−２、Ｂ１−４、Ｂ１−６、Ｃ１−２、Ａ２−２、Ａ２−４、Ａ２−６、Ｂ２−２、Ｂ２−４、Ｂ２−６、Ｃ２−２は、可変表示中や大当り遊技状態中や大当り遊技状態後に上述した他の演出を実行するバトル演出パターンである。これらのバトル演出パターンに決定された場合は、例えばラウンド数が７ラウンドから１５ラウンドに昇格する演出や、２ラウンド大当りであってもバトルモードが継続する演出などが実行される。一方、バトルＡ１−１、Ｂ１−１、Ｃ１−１、Ａ２−１、Ｂ２−１、Ｃ２−１などでは、他の演出は実行されない。このように、この実施の形態では、同様のバトル演出を伴うバトル演出パターンを一つのバトル演出パターン種別として設定している。同一のバトル演出パターン種別内でバトル演出パターンを追加したり、バトル演出パターンを発生率の設定を変更する際には、バトル演出パターン種別内の乱数値ＳＲ６の設定のみを変更すればよいので、遊技機の開発時間や乱数値の設定時間を短縮化することができる。また、バトル演出の態様を追加してバトル演出パターン種別を追加したり、当該バトル演出の態様（バトル演出パターン種別）の発生率の設定を変更する際には、バトル演出パターン種別決定用の乱数値ＳＲ５の設定のみを変更すればよいので、遊技機の開発時間や乱数値の設定時間を短縮化することができる。
【０３０２】
図６８（Ａ）は、この実施の形態のステップＳ５２３の処理内にてバトルモード中に大当りとなるときに実行されるバトル演出設定処理の一例を示すフローチャートである。このバトル演出設定処理では、まず、バトルモードの継続判定を実行する（ステップＳ６００）。具体的には、大当り種別が第３大当りのとき、バトル勝利回数に基づき、図６８（Ｂ）に示す判定用データを使用してバトルモードを継続させるか転落させるかを判定する。図６８（Ｂ）の判定用データでは、バトル勝利回数が２、５、８回のときに１００％バトルモードから転落し、それ以外のときに８０％バトルモードを継続し２０％バトルモードから転落するようになっている。図６８（Ｂ）に示す判定用データは一例であり、例えば、転落率を高めるバトル勝利回数を一カ所にしてもよい。また、バトル勝利価数が所定の回数のときに転落しやすく、それ以外で継続しやすくすれば転落率は１００％でなくともよい。ステップＳ６００の処理に続いて、図６６（Ａ）〜（Ｆ）に示したバトル演出パターン種別判定用データ１７５Ａ〜１７５Ｃ、１７６Ａ〜１７６Ｃから、ステップＳ６００の判定結果、大当り種別及び第１始動口入賞指定コマンド受信フラグ、第２始動口入賞指定コマンド受信フラグなどをチェクして、大当り種別や変動特図に対応する判定用データをセットする（ステップＳ６０１）。続いて、例えば演出制御カウンタ設定部１９３に設けられたランダムカウンタなどから、バトル演出パターン種別判定用の乱数値ＳＲ５を示す数値データを抽出する（ステップＳ６０２）。そして、ステップＳ６０２にて抽出した乱数値ＳＲ５を示す数値データに基づき、ステップＳ６０１にてセットしたバトル演出パターン種別判定用データ１７５を参照することにより、バトル演出パターン種別を決定する（ステップＳ６０３）。こうしてステップＳ６０３にてバトル演出パターン種別が決定された後には、そのバトル演出パターン種別の決定結果に基づき、バトル演出パターンを複数種類のいずれかに決定するための判定用データとして、図６７に示したバトル演出パターン判定用データ１７７から対応する判定用データを選択してセットする（ステップＳ６０４）。具体的には、例えば、各バトル演出パターン種別判定用データの判定値に対応付けて、バトル演出パターン判定用データのアドレスが格納されており、そのアドレスを判定用データポインタにセットする。続いて、例えば演出制御カウンタ設定部１９３に設けられたランダムカウンタなどから、バトル演出パターン判定用の乱数値ＳＲ６を抽出する（ステップＳ６０５）。そして、ステップＳ６０５にて抽出したバトル演出パターン判定用の乱数値ＳＲ６に基づき、ステップＳ６０４にてセットしたバトル演出パターン判定用データを参照することにより、バトル演出パターンを複数種類のいずれかに決定する（ステップＳ６０６）。ステップＳ５２３の処理において、このようにして決定されたバトル演出パターンやバトル勝利回数（敵キャラクタ、背景）に対応する演出制御パターンが決定されればよい。
【０３０３】
図６９は、この実施の形態のバトルモードにおける各バトル演出パターンの表示例を示す図である。図６９（Ａ）は、バトルモードにおける可変表示を開始する前の状態を示している。ここでは、味方キャラクタＣＨＡと第１特別図柄表示装置４Ａに対応する敵キャラクタＣＨＢとが表示されている。なお、この例では飾り図柄表示エリア５Ｍによる数字の飾り図柄の変動は省略しているが、このようにバトルモード中においては数字の飾り図柄の変動は省略するようにしてもよい。図６８（Ａ）に示したバトル演出設定処理において、バトルＡのバトル演出を実行するバトル演出パターン（例えばバトルＡ１−１）に決定された場合、図６９（Ｂ）に示すように、操作ボタン３０を１回押せとの指示が表示される。また、バトルＢのバトル演出を実行するバトル演出パターン（例えばバトルＢ１−１）に決定された場合、図６９（Ｃ）に示すように、操作ボタン３０を連打させるような指示が表示される。また、バトルＣのバトル演出を実行するバトル演出パターン（例えばバトルＣ１−１）に決定された場合、図６９（Ｄ）に示すように、操作ボタン３０（ジョグダイアル）を回させるような指示が表示される。このように、
バトルＡ〜バトルＣのバトル演出では、操作ボタン３０の操作態様を異ならせている。変動時間中に予め定められたボタン有効期間内に、図６９（Ｂ）〜（Ｄ）の指示に対応したボタン操作がなされた場合、図６９（Ｂ）〜（Ｄ）の表示を切り換えて、ボタン操作がされなかった場合とは異なる演出態様のバトル演出が実行される。このように、この実施の形態では遊技者がバトル演出に関与したかのような演出が実行可能である。その後、大当り種別が「第１大当り」、「第２大当り」（バトル勝ち）であるか、「第３大当り」、「第４大当り」（バトル負け、バトル継続）であるかに応じて、バトル勝利またはバトル敗北である旨、あるいはバトルモードが継続する旨が表示される。例えば、大当り種別が「第１大当り」、「第２大当り」であってバトルＡ１−１のバトル演出パターンである場合の図６９（Ｂ）の表示の後には、ボタン操作に対応して図７１（Ｆ）に示すように、味方キャラクタＣＨＡが「手榴弾」で攻撃する表示がされる。そして、図７１（Ｇ）に示すように、攻撃が成功する表示がされ、図７１（Ｈ）に示すように、バトルに勝利してバトルモードが継続する表示がされる。その後、大当り遊技状態となる。また、大当り種別が「第１大当り」、「第２大当り」であってバトルＡ１−２のバトル演出パターンである場合の図６９（Ｂ）の表示の後には、ボタン操作に対応した図７１（Ｆ）の表示の後、図７１（Ｉ）に示すように「手榴弾」による攻撃が逸れて攻撃が失敗したような表示がされ、図７１（Ｊ）（Ｋ）に示すようにその「手榴弾」が壁に反射して攻撃が成功する表示がされるようにする。このように、バトルＡ１−２のバトル演出パターンの演出では、バトルＡ１−１のバトル演出パターンとは異なる他の演出（ここでは救済演出）が実行される。
【０３０４】
図７０は、操作ボタン３０の操作による演出の切り換えを説明するためのタイミングチャートである。図６９に示したようなバトル演出では、指示されたボタン操作があった場合、ボタン操作を指示する表示（図６９（Ｂ）〜（Ｄ）のような表示）を終了する。即ち、指示に対応するボタン操作があった任意のタイミングで、演出を切り換える必要がある。例えば、同一のバトル演出パターンにおいて、図７０（Ａ）に示すようにボタン有効期間の終了寸前にボタン操作があった場合と、図７０（Ｂ）に示すようにボタン有効期間の開始直後にボタン操作があった場合と、では変動時間は一定のため、ボタン操作に対応したバトル演出を実行する時間が異なってしまう。そのため、この実施の形態ではこの時間の相違に対応した演出用の演出制御パターンが用意される。例えば、時間を調節するため所定周期で繰り返し画像を表示するための演出制御パターンなどが用意されればよい。一例として、バトルの結果（勝敗）を示す映像や、攻撃する映像を繰り返し表示するようにすればよい。バトルの結果を示す映像を繰り返し表示する場合、ボタン操作に対応したタイミングで結果を表示できるので、ボタン操作から演出の結果までのタイムラグが生じることを防止できる。図４６に示した飾り図柄変動中処理のステップＳ５４６の処理では、残りの変動時間に対応した演出制御パターンに切り換えるようにする。図７０（Ｃ）は、ボタン操作が無かった場合のタイミングチャートである。ボタン操作が無かった場合、ボタン有効期間が終了したタイミングでボタン操作を指示する表示を終了して演出を切り換える。図７０（Ｃ）の例でボタン有効期間後に表示されるバトル演出は、図７０（Ａ）や（Ｂ）とは異なる演出態様となる。
【０３０５】
実施の形態３のバトル演出パターンの変形例の一つとして、操作ボタン３０の操作によって、演出態様を選択可能なものを用意してもよい。図７１は、バトルモードにおける演出態様を選択可能なバトル演出パターンの表示例を示す図である。図７１（Ａ）は、バトルモードにおける可変表示を開始する前の状態を示している。ここでは、味方キャラクタＣＨＡと第１特別図柄表示装置４Ａに対応する敵キャラクタＣＨＢとが表示されている。この例では、大当りとなったことに対応してバトル演出が開始されると、図７１（Ｂ）に示すように、操作ボタン３０（ジョグダイアル）で武器を選択可能である旨の表示がされる。その後、遊技者がジョグダイアルの操作（回転操作）に対応して図７１（Ｃ）（Ｄ）に示すようにカーソルＣが動作し、所定時間経過後または操作ボタン３０操作されたことに対応して「手榴弾」が選択される。その後、図７１（Ｅ）に示すように、ボタンを１回押すように指示する表示がされ、ボタン操作に対応して図７１（Ｆ）に示すように、味方キャラクタＣＨＡが選択された「手榴弾」で攻撃する表示がされる。大当り種別が「第１大当り」または「第２大当り」である場合、図７１（Ｇ）に示すように、攻撃が成功する表示がされ、図７１（Ｈ）に示すように、バトルに勝利してバトルモードが継続する表示がされる。その後、大当り遊技状態となる。また、バトル演出パターンの一つとして、攻撃が失敗したように見せかけた後に攻撃が成功する演出（救済演出）を用意してもよい。例えば、図７１（Ｆ）の表示の後、図７１（Ｉ）に示すように「手榴弾」による攻撃が逸れて攻撃が失敗したような表示がされ、図７１（Ｊ）（Ｋ）に示すようにその「手榴弾」が壁に反射して攻撃が成功する表示がされるようにする。このような図７１（Ａ）〜（Ｇ）のバトル演出パターン（例えば図６７におけるバトルＡ１−１）と、図７１（Ａ）〜（Ｆ）、（Ｉ）〜（Ｋ）のバトル演出パターン（例えば図６７におけるバトルＡ１−２）と、が同一のバトル演出パターン種別（例えばバトル勝ちＡ１）に含まれるようにすればよい。なお、大当り種別が「第３大当り」または「第４大当り」（バトル負け）である場合は、図７１（Ｉ）のような表示の後に味方キャラクタＣＨＡが敵キャラクタＣＨＢからの攻撃を受けてバトルに敗北する演出が実行される。
【０３０６】
また、実施の形態３の変形例の一つとしてバトル演出で操作ボタン３０に所定の操作がなかった場合にバトルに敗北する表示をして、擬似的にバトルモードを終了して、所定回数の可変表示後にバトルモードに復帰するような演出を実行するようにしてもよい。このような演出により、遊技者の遊技参加（操作ボタン３０の操作）の意欲を高めることができる。例えば、図７２に示すように、図７１と同様のバトル演出パターンにおいて、図７２（Ｄ）の表示で指示されたボタン操作（連射）がなかった場合、図７２（Ｅ）〜（Ｈ）に示すように敵キャラクタＣＨＢからの攻撃を受けてバトルに敗北するような演出が行われる。そして、図７２（Ｉ）に示すように、演出態様を通常モード（内部的には確変状態）に切り換える。通常モードにおける所定回数（例えば１０回）の可変表示が終了した後、大当りとなったか否かにかかわらず図７２（Ｊ）に示すようにバトルモードに復活したような演出が行われる。なお、図７２（Ｉ）では通常モードではなくチャンスモードに切り換えるものであってもよい。その場合、図７２（Ｉ）の演出画面をチャンスモードの画面としてもよい。さらに、図７２（H）の後に、図５４（２）に示すような通常モードや、図５５（１１）に示すようなチャンスモードに切り換えるようにしてもよい。そして、所定回数（例えば１０回）の可変表示が終了した後、図７２（Ｊ）に示すようにバトルモードに復活するようにすればよい。また、バトル演出で操作ボタン３０の操作があったか否かに関わらず、一定割合で擬似的にバトルモードを終了する演出を実行するようにしてもよい。
【０３０７】
以上説明したように、図３０に示した変動パターン設定処理のステップＳ２６４の処理では、バトル勝利回数（バトルモードにおける第１大当りまたは第２大当りの回数）が２、５、８回であるか否かに応じて異なる変動パターン判定用データをセットしていた。そして、大当り種別が第３大当りであってバトル勝利回数が２、５、８回である場合には、バトルモードからチャンスモードに転落する変動パターンに決定されるようにした。これにより、バトル勝利回数によりメリハリがある演出が可能になり、長時間遊技したときの（第１大当りまたは第２大当りが継続したときの）、遊技の興趣を向上させることができる。
【０３０８】
また、図３２に示した特別図柄停止処理のステップＳ３０１の処理で第１大当り、第２大当りになるたびにバトル勝利回数カウンタを１加算し、ステップＳ３１０の処理で演出モードが通常モードに切り換えられた場合にバトル勝利回数カウンタの値を０にリセットする。バトルモードになった後、通常モードになるまでバトル勝利回数が継続してカウントされるため、バトル勝利回数が大きい数字になりやすく、遊技の興趣が向上する。
【０３０９】
また、図６１（４）に示したように、チャンスモードで所定回数（３０回）の可変表示が終了したときに確変状態である場合、激アツモードに移行する。このように、チャンスモードであっても、確変状態である場合あり、その場合には「激アツモード」の演出が実行さえるので遊技の興趣が向上する。
【０３１０】
また、図５３、図５６〜図５８などに示したように、バトルモードでは、味方キャラクタＣＨ０が敵キャラクタに勝利したか否かによって、バトルモードが継続するか否かを容易に認識することができる。
【０３１１】
また、図４５のバトル演出設定処理のステップＳ５８５の処理では、バトル勝利回数に応じて、敵キャラクタの種別を異ならせた。これにより、敵キャラクタの種別によってバトルモードからチャンスモードに転落する割合が高いことを遊技者が認識可能になる。また、敵キャラクタに強弱を付けるような演出が可能になり、この演出によりバトルモード継続の期待感を向上させることができる。
【０３１２】
また、ＣＰＵ１０３は、通常モード、チャンスモード、激アツモードでは図９（Ａ）に示したリーチ判定用データ１３２Ａに基づき、リーチとするか否かを決定する一方で、バトルモードでは「リーチ無し」にのみ決定されるリーチ判定用データ１３２Ｂに基づき必ず「リーチ無し（非リーチハズレ）」に決定する。そして、非リーチハズレに決定された場合は、非リーチの変動パターンにのみ決定可能な変動パターン種別判定用データ１３５Ｂに基づいて、変動パターン種別が決定される。遊技者は、バトルモード中は、第１・第２大当りとなってバトルモードが継続するか、第３・第４大当りとなってバトルモードが終了するかに興味があり、いずれにもならないハズレには興味がない。従って、ハズレの場合にリーチで興味をあおる必要がない。上記実施の形態では、バトルモードではハズレとなる場合「リーチ無し」にのみ決定されるこので、ハズレ時の平均的な可変表示時間が通常モードよりも短くすることができ、バトル演出が実行されるまでの時間を短縮することができる。さらに、バトルモード中のハズレ時のリーチ判定や変動パターン種別判定の処理負担を軽減できる。
【０３１３】
また、図５３（Ｍ）に示したように、バトルモードからチャンスモードに転落した場合、バトルモードにおける背景を引き継ぐ。即ち、バトルモードにおけるバトル勝利回数に応じてチャンスモードの演出態様を異ならせる。これにより、バトル勝利回数によりメリハリがある演出が可能になり、長時間遊技したときの遊技の興趣を向上させることができ、チャンスモードにおいてもバトル勝利回数を遊技者が認識可能となり、バトルモード及びチャンスモードにおける遊技の興趣を向上させることができる。
【０３１４】
また、図１０〜図１２に示した変動パターン種別判定用データによりＣＰＵ１０３が変動パターン種別を決定し、その変動パターン種別に基づいて、図１３〜図１５に示した変動パターン判定用データにより、詳細な変動パターンを決定するように構成されている。この構成により、変動パターン種別の追加や発生率の変更する場合、変動パターン種別判定用データの乱数値ＭＲ４の設定のみを変更すればよいので、設定時間を短縮化することができる。また、詳細な変動パターンの追加や発生率の変更する場合、変動パターン判定用データの乱数値ＭＲ５の設定のみを変更すればよいので、設定時間を短縮化することができる。
【０３１５】
また、バトルモード中の「非リーチハズレ」となる変動パターン種別を決定するための図１２（Ｃ）に示した変動パターン種別判定用データ１３５Ｂでは、合計保留記憶数が３以下のときは、非リーチ５の変動パターン（第１可変表示パターン）を含む非リーチＢ１−１の変動パターン種別（第１可変表示パターン種別）のみに決定される。また、合計保留記憶数が４以上のときは、非リーチＢ１−１の変動パターン種別（第１可変表示パターン種別）と、非リーチ５よりも変動時間の短い非リーチ６の変動パターン（第２可変表示パターン）を含む非リーチＢ１−２（第２可変表示パターン種別）と、のいずれかに決定される。このように、「非リーチハズレ」の変動パターンを複数設けることで、演出に幅を持たせることができる。また、合計保留記憶数が多い場合（４以上の場合）の平均変動時間を短くして無効入賞を削減することができる。
【０３１６】
また、図８の大当り種別判定用データの設定が、第１特別図柄表示装置４Ａによる第１特図を用いた特図ゲームで大当り種別を決定する場合は、「第１大当り」となる割合が高く、第２特別図柄表示装置４Ｂによる第２特図を用いた特図ゲームで大当り種別を決定する場合は、「第２大当り」となる割合が高くなっている。それと同時に、「バトルモード」においては、第１特別図柄表示装置４Ａによる第１特図を用いた特図ゲームが実行される場合と、第２特別図柄表示装置４Ｂによる第２特図を用いた特図ゲームが実行される場合とで異なる演出態様により演出が実行可能である。このように、２つの特別図柄表示装置のいずれが変動するかにより、異なる演出態様による演出が可能であり、また、大当り遊技状態の遊技価値が異ならせることができ、遊技にメリハリを持たせることができる。
【０３１７】
また、実施の形態３では、図６９に示したように、操作ボタン３０の操作態様が異なる複数のバトル演出パターン（例えばバトルＡ１−１、Ｂ１−１、Ｃ１−１など）が用意されている。これにより、バトル演出にバリエーションを持たせることができ、遊技が単調になることを防止し、遊技の興趣を向上させることができる。
【０３１８】
また、実施の形態３では図６６に示したように、大当り種別がいずれであるかによって、異なる割合でバトル演出パターン種別（バトル演出パターン）が決定されるように設定されている。これにより、いずれのバトル演出が実行されるかにより、いずれの大当りとなるかの期待度を異ならせることができ、いずれのバトル演出が実行されるかに遊技者の興味を引くことができ、遊技の興趣を向上させることができる。
【０３１９】
また、実施の形態３のバトル演出パターンは、演出制御基板１２の側にて、図６８（Ａ）に示したバトル演出設定処理で決定していた。このように、演出の決定を主基板１１と演出制御基板１２に分散することで、主基板１１の処理負担を軽減できる。
【０３２０】
また、実施の形態３の図７２に示した例では、バトル演出中に操作ボタン３０の操作がなかった場合、擬似的にバトルモードを終了するようにしていた。このように、操作ボタン３０を操作しないと不利になった様に見せかける演出が実行できるので、遊技者の遊技参加（操作ボタン３０の操作）の意欲を高め、遊技の興趣を向上させることができる。
【０３２１】
この発明は、上記実施の形態に限定されず、様々な変形及び応用が可能である。例えば、上記実施の形態では、バトルモードにおいて、ステップＳ５８５の処理でバトル勝利回数に応じて背景及び敵キャラクタの種別を異ならせるものであったが、これらのうちどちらか一方を異ならせるようにしてもよい。また、これら以外の演出をバトル勝利回数に応じて異ならせるものであってもよい。
【０３２２】
なお、この実施の形態ではバトル勝利回数として「バトルモード」継続中に第１大当り図柄または第２大当り図柄が停止表示された回数をカウントし、当該バトル勝利回数に対応して「バトルモード」における敵キャラクタや背景を異ならせ、敵キャラクタの種別に応じて、第３大当り図柄が停止表示された場合の「バトルモード」が継続する割合を異ならせていた。即ち、「バトルモード」継続中の「第１大当り」または「第２大当り」の回数に対応して、敵キャラクタや背景を異ならせ、また「第３大当り」となった場合の「バトルモード」の継続率を異ならせていた。これに限定されず、例えば（１）「バトルモード」継続中の「第１大当り」のみの回数、（２）「バトルモード」継続中の「第１大当り」、「第２大当り」または「第３大当り」の回数、（３）「第４大当り」となってチャンスモードに転落後にバトルモードに復帰した回数（時短状態において確変大当りとなった回数）を（１）または（２）に加えた回数、などに対応して、「バトルモード」における敵キャラクタや背景を異ならせ、また「第３大当り」となった場合の「バトルモード」の継続率を異ならせるようにしてもよい。
【０３２３】
また、バトルモードからチャンスモードに転落した場合、バトルモードにおける背景を引き継ぐようにしたが、バトルモードにおける敵キャラクタに対応した演出をするようにしてもよい。また、バトルモードからチャンスモードに転落した場合に、バトル勝利回数に応じて背景や敵キャラクタ以外の演出の演出態様を異ならせるようにしてもよい。
【０３２４】
また、バトルモードにおいて第３大当りとなった場合、バトル勝利回数が２、５、８回のときにはチャンスモードに転落する変動パターンに決定するようにしていたが、バトル勝利回数がこれ以外のときにチャンスモードに転落するようにしてもよい。また、バトル勝利回数が２、５、８回のときには１００％チャンスモードに転落するようにしていたが、所定割合でバトルモードが継続するようにしてもよい。そのためには、第３大当りとなった場合であってバトル勝利回数が２、５、８回のときに使用される変動パターン種別判定用データに、バトルモードが継続する変動パターンに決定可能な変動パターン種別を所定割合割り当てるようにすればよい。
【０３２５】
また、図１０〜図１２に示した変動パターン種別判定用データや図１３〜図１５に示した変動パターン判定用データの設定は一例であって、本発明の趣旨を逸脱しない範囲で変更可能である。
【０３２６】
また、図９に示したリーチ判定用データ１３２Ａ〜１３２Ｃでは、リーチの有無のみを判定するデータとなっていたが、リーチ判定用データにおいて乱数値ＭＲ３に対応付けて変動パターン種別判定用データのアドレスを特定可能なデータをセットしておき、図３０に示したステップＳ２６８の処理ではリーチの有無のみではなく、使用する変動パターン種別判定用データを決定するようにしてもよい。具体的には、例えば、リーチ判定用データ１３２Ａでは、合計保留記憶数が「１」以下で乱数値ＭＲ３が「１」〜「１０」の範囲の値に対応させて、リーチハズレ用変動パターン種別判定用データ１３４の合計保留記憶数が「３」以下のときに参照されるデータのアドレスを所定のポインタにセットしておく。また、リーチ判定用データ１３２Ａでで、合計保留記憶数が「１」以下で乱数値ＭＲ３が「１１」〜「１００」の範囲の値に対応させて、非リーチハズレ用変動パターン種別判定用データ１３５Ａの合計保留記憶数が「３」以下のときに参照されるデータのアドレスを所定のポインタにセットしておく。そして、ステップＳ２７３の処理では、ステップＳ２６８の処理により特定された変動パターン種別判定用データとステップＳ２７２にて抽出された乱数値ＭＲ４とに基づいて変動パターン種別を決定するようにしてもよい。
【０３２７】
上記実施の形態では、主基板１１の側でＣＰＵ１０３がモードフラグを切り換えることで、いずれの演出モードであるかを管理していた。これに限定されず、演出モードは主基板１１の側では管理せず、演出制御基板１２の側で演出制御ＣＰＵ１２０のみでいずれの演出モードであるかを管理するようにしてもよい。この場合、主基板１１の側から演出制御基板１２へ、図４（Ａ）に示したような演出モード移行通知コマンドは送信されない。また、図３２のステップＳ３０９や図３３のステップＳ３１６のモードフラグ切換設定は実行されず、演出制御基板１２の側でこれに代わる処理が実行される。さらに、図３０のステップＳ２６５の処理では、演出モードの判定は行われず確変状態であるか否かの判定を行い、確変状態である場合は図９（Ｂ）に示したリーチ判定用データ１３２Ｂをセットし、確変状態でない場合は図９（Ａ）に示したリーチ判定用データ１３２Ａをセットする。このように、確変状態である場合には、バトルモード中だけでなくチャンスモードや激アツモードである場合においても、リーチ判定用データ１３２Bを使用するようにして、リーチハズレとならないようにしてもよい。また、ステップＳ２６４、Ｓ２７０〜Ｓ２７６の処理では、いずれの演出モードであるかに対応した変動パターンに決定していたが、図１０〜図１２に示した変動パターン種別判定用データや図１３〜図１５に示した変動パターン判定用データは使用されず、演出モードによらない変動パターンが決定される。例えば、遊技状態（確変状態、時短状態、通常状態）がいずれであるか、可変表示結果（大当り、リーチハズレ、非リーチハズレ）がいずれであるかや、合計保留記憶数に対応して複数の変動パターン種別判定用データや変動パターン判定用データが用意され、ステップＳ２６４、Ｓ２７０〜Ｓ２７６の処理に代えて、それらの判定用データに基づいて変動パターンを決定する処理が実行される。そして、演出制御基板１２の側では、主基板１１の側で決定された変動パターンと演出モードがいずれであるかとに基づいて演出制御パターンが決定される。例えば、演出制御基板１２の側で、確変状態における大当りの変動パターンを受信した場合、演出モードがバトルモードであることに基づいてバトル勝ちとなる演出制御パターンに決定される。また、ステップＳ２７７の処理では、確変状態でハズレ（非リーチハズレ）となる場合には一定の特図変動時間（例えば１０秒）に決定される。そして、演出制御基板１２の側では、確変状態におけるハズレの変動パターンを受信した場合、演出モードがバトルモードであることに基づいてバトル演出を実行せず、またリーチともしない演出制御パターンに決定される。これにより、バトルモード中にはリーチとならず、ハズレ変動を一定の変動時間で実行することができるので、バトルモード中のハズレ変動における無駄な演出を省略することができる。また、演出モードがチャンスモードや激アツモードである場合にも、確変状態におけるハズレの変動パターンを受信した場合には、リーチとならず、一定の変動時間の演出モードに対応したハズレ変動に決定される。なお、ステップＳ２７７の処理では、確変状態でハズレとなる場合であっても、複数の特図変動時��に決定されるようにしてもよい。この場合においても、演出制御基板１２の側では、リーチとしない演出制御パターンに決定されるようにしてもよい。
【０３２８】
また、主基板１１の側では変動パターンを決定せず（ステップＳ２６４〜Ｓ２７６の処理をスキップして）、ステップＳ２７７の処理で変動時間のみを決定して、変動時間コマンドを演出制御基板１２に送信するようにしてもよい。この場合、演出制御基板１２の側で、変動時間コマンドと可変表示結果通知コマンドに基づいて、演出モードに対応した飾り図柄の変動パターン（演出制御パターン）やリーチ判定が実行されるようにすればよい。この場合、ハズレ時の変動時間を一定にして、処理を簡易にしてもよい。このように構成することで、主基板１１の側のＣＰＵ１０３の処理負担を軽減することができる。これ限定されず、上記実施の形態において主基板１１の側で決定していた処理の一部を演出制御基板１２の側で実行するようにして、ＣＰＵ１０３の処理負担を軽減するようにしてもよい。
【０３２９】
また、操作ボタン３０の操作に対応して、演出態様を変化させる予告パターンを用意してもよい。例えば、図５６（２）（４）（６）で操作ボタン３０の操作を指示して、操作ボタン３０の操作があったときに味方キャラクタＣＨ１が敵キャラクタの方へ移動するようにしてもよい。これにより予告演出が多彩になり、遊技の興趣を向上させることができる。
【０３３０】
また、操作ボタン３０の操作に対応して、昇格演出の演出態様を変化させるようにしてもよい。例えば、図５５（２）、図５７（５）などで操作ボタン３０の連射を指示して、昇格する場合は連射によって昇格を達成したような演出を実行するようにしてもよい。これにより昇格演出が多彩になり、遊技の興趣を向上させることができる。
【０３３１】
また、図１０（Ｄ）、（Ｅ）に示した大当り用変動パターン種別判定用データ１３Ｄ、１３３Ｅは「チャンスモード」及び「激アツモード」で共通であったが、「チャンスモード」であるか「激アツモード」であるかによって別の判定用データ使用するようにしてもよい。また、確変状態であるか時短状態であるかによって別の判定用データ使用するようにしてもよい。
【０３３２】
また、図２２（Ａ）に示したバトル前予告選択用データ１７０、図２２（Ａ）に示したバトル前予告選択用データ１７０では大当り種別や変動特図に基づいて異なる割合で予告の有無や予告パターンを決定していたが、変動パターンに基づいて異なる割合で予告の有無や予告パターンを決定するようにしてもよい。例えば、同じ「第１大当り」、「第２大当り」でも味方キャラクタＣＨ１が勝って当たる変動パターンと味方キャラクタＣＨ１が復活して当たる（救済演出を実行する）変動パターンのいずれの変動パターンであるかによって異なる割合で予告の有無や予告パターンを決定するようにしてもよい。また、同じ「第３大当り」、「第４大当り」でもバトルモードが継続する変動パターンとチャンスモードに転落する変動パターンのいずれの変動パターンであるかによって異なる割合で予告の有無や予告パターンを決定するようにしてもよい。さらに、ハズレのときも変動時間が短縮される変動パターンであるか短縮されない変動パターンであるかに応じて、予告の有無や予告パターンを決定するようにしてもよい。例えば、短縮されない（変動時間が長い）変動パターンのときにのみ予告演出が実行されるようにしてもよい。
【０３３３】
例えば、上記実施の形態で図８に示した大当り種別判定用データ１３１に基づいて、大当り種別を決定していた。大当り種別判定用の乱数値ＭＲ２の割り当てはこれに限定されない。例えば、図７３に示す大当り種別判定用データ１３１Ａに基づいて、図２９のステップ２４７の処理でＣＰＵ１０３が大当り種別を決定するようにしてもよい。大当り種別判定用データ１３１Ａでは、第１特別図柄表示装置４Ａによる第１特図を用いた特図ゲームを開始するための第１開始条件が成立したことに基づいて大当り種別を複数種類のいずれかに決定する場合に、大当り種別を「第３大当り」に決定しないようにしている。「第３大当り」に対応する大当り遊技状態は２ラウンド大当り遊技状態であって、大入賞口の開放回数及び開放時間が非常に短いため実質的に出玉のない大当りであるため、これらの大当りとなる割合を増やしてしまうと、実質的な大当り確率が下がってしまう。そのような不都合を無くすために、遊技開始（時短状態でも確変状態でもない通常状態）から最初に大当りとなったときの始動入賞口となりやすい第１始動入賞口に対応した第１特別図柄表示装置４Ａでは、大当り種別として、「第３大当り」に決定しないようにして、出玉のある「第１大当り」または「第２大当り」となりやすいようにしている。このような設定により、通常状態に２ラウンド大当り遊技状態となる遊技者の不信感や興ざめを防止できる。なお、このように極端な設定としなくても、１始動入賞口に対応した第１特別図柄表示装置４Ａでは、大当り種別として、「第３大当り」に決定されにくくなるようにすれば、乱数値の割り当ては任意であってよい。
【０３３４】
また、このような設定である場合、一度大当り遊技状態となった後に、第１始動入賞口に入賞が続くと延々と「第１大当り」または「第２大当り」となること（バトルモード）が継続することなる。それを防止するため、第２保留記憶を第１保留記憶より優先して消化するようにしてもよい。例えば、図２９のステップＳ２３２にて、始動データ記憶部１５１Ｃの「第２」の始動データを優先して読み出すようにすればよい。このようにすることで、確変状態（バトルモード）では、第２始動入賞口への入賞の方が多くなるため、第２特別図柄表示装置４Ｂによる第２特図を用いた特図ゲームの実行回数が自然と多くなり、第１始動入賞口へのねらい打ちを防止することができる。
【０３３５】
また、上記実施の形態では、「バトルモード」においては、予め定められた味方キャラクタと、予め定められた敵キャラクタと、が戦うバトル演出を実行するものとしたが、敵キャラ同士によるバトル演出（例えば、敵キャラクタＣＨ１−１と敵キャラクタＣＨ１−２とが戦うバトル演出）を実行可能としてもよい。この場合、演出制御パターンとして敵キャラ同士によるバトル演出を実行するものを用意すればよい。このような、演出を実行可能とすることで、演出に意外性を持たせることができ、遊技性を向上することができる。そして、このような敵キャラ同士のバトル演出が実行された場合に、出玉有りの大当り（「第１大当り」または「第２大当り」）となる信頼度を味方キャラクタと敵キャラクタとのバトル演出が実行されたときと比べて高くしてもよい。また、１００％出玉有りの大当り（「第１大当り」または「第２大当り」）となるようにしてもよい。さらに、１００％バトルモードが継続するようにしてもよい。
【０３３６】
また、上記実施の形態２では、第１特別図柄表示装置４Ａによる特別図柄の可変表示が実行されるときは、第１特別図柄表示装置４Ａに対応した敵キャラクタと味方キャラクタが戦うバトル演出が実行される。また、第２特別図柄表示装置４Ｂによる特別図柄の可変表示が実行されるときは、第２特別図柄表示装置４Ｂに対応した敵キャラクタと味方キャラクタが戦うバトル演出が実行される。しかしながら、この法則に従うことなく、第１特別図柄表示装置４Ａによる特別図柄の可変表示が実行されるときに第２特別図柄表示装置４Ｂに対応した敵キャラクタと戦うバトル演出や、第２特別図柄表示装置４Ｂによる特別図柄の可変表示が実行されるときに第１特別図柄表示装置４Ａに対応した敵キャラクタと戦うバトル演出が、少ない割合で実行されるようにしてもよい。そして、このような法則くずれのバトル演出が実行された場合に、出玉有りの大当り（「第１大当り」または「第２大当り」）となる信頼度を法則どおりのときと比べて高くしてもよい。また、１００％出玉有りの大当り（「第１大当り」または「第２大当り」）となるようにしてもよい。さらに、１００％バトルモードが継続するようにしてもよい。
【０３３７】
また、上記実施の形態では、演出モードとして「バトルモード」、「チャンスモード」、「激アツモード」、「通常モード」が用意されていたが、演出モードの数はこれに限定されない。例えば、演出モードが「バトルモード」と「通常モード」だけであってもよい。この場合、上記実施の形態の「チャンスモード」、「激アツモード」は、「バトルモード」または「通常モード」に置き換えればよい。また、これ以外の演出モードを設けてもよい。
【０３３８】
また、大当り種別として、上記実施の形態では「第１大当り」、「第２大当り」、「第３大当り」、「第４大当り」の４種類が用意されていたが、大当り種別はこれに限定されない。例えば、「第２大当り」を設けないようにしてもよい。また、大当り種別を「第１大当り」と、「第４大当り」とだけにしてもあってもよい。また、これ以外の大当り種別を設けてもよい。また、非確変大当りの大当り遊技状態終了後の時短回数が異なる複数の大当りを設けて（例えば１０回、２０回、３０回）、１０回変動後、２０回変動後に、画像表示装置５にて扉が閉まって、時短状態が終了するか継続するかの演出を実行するようにしてもよい。この場合、画像表示装置５における、時短回数はカウントダウン方式ではなくカウントアップ方式で表示すればよい。
【０３３９】
また、上記実施の形態では、演出制御基板１２に搭載された演出制御用ＣＰＵ１２０が図４４に示すステップＳ５９３、Ｓ５９７の処理を実行することにより、飾り図柄の可変表示中に予告演出となる演出動作を実行するか否かの判定や、予告演出となる演出動作を複数種類のいずれかに決定し、また、図４１に示すステップＳ５０３、Ｓ５０４、Ｓ５０６、Ｓ５０９の処理を実行することにより、「左」、「中」、「右」の各飾り図柄表示エリア５Ｌ、５Ｃ、５Ｒ、または飾り図柄表示エリア５Ｍにて停止表示する飾り図柄を決定し、ステップＳ５１０の処理を実行することで演出制御パターンを決定するものとして説明した。しかしながら、この発明はこれに限定されず、例えば演出動作を制御するために設けられた複数の制御基板にそれぞれ搭載された複数のＣＰＵなどにより、飾り図柄の可変表示中に予告演出となる演出動作を実行するか否かの判定、及び、予告演出となる演出動作を複数種類のいずれかとする決定と、停止表示する飾り図柄の決定とを、分担して実行するようにしてもよい。
【０３４０】
一例として、演出制御基板１２と画像表示装置５との間に、図７４に示すような表示制御基板１６を設ける。表示制御基板１６には、表示制御用ＣＰＵ１４０と、ＲＯＭ１４１と、ＲＡＭ１４２と、乱数回路１４３と、Ｉ／Ｏ１４４とが搭載されている。この場合、表示制御基板１６に搭載された表示制御用ＣＰＵ１４０が画像表示装置５における表示動作の制御内容を決定するための処理などを実行することから、上記実施の形態で演出制御基板１２に搭載された表示制御部１２３は設けられていなくてもよい。表示制御基板１６では、例えば表示制御用ＣＰＵ１４０がＲＯＭ１４１から読み出したプログラムを実行することにより、画像表示装置５における演出画像の表示による演出動作を制御するための処理が実行される。このときには、表示制御用ＣＰＵ１４０がＲＯＭ１４１から固定データを読み出す固定データ読出動作や、表示制御用ＣＰＵ１４０がＲＡＭ１４２に各種の変動データを書き込んで一時記憶させる変動データ書込動作、表示制御用ＣＰＵ１４０がＲＡＭ１４２に一時記憶されている各種の変動データを読み出す変動データ読出動作、表示制御用ＣＰＵ１４０がＩ／Ｏ１４４を介して表示制御基板１６の外部から各種信号の入力を受け付ける受信動作、表示制御用ＣＰＵ１４０がＩ／Ｏ１４４を介して表示制御基板１６の外部へと各種信号を出力する送信動作なども行われる。
【０３４１】
この場合、表示制御用ＣＰＵ１４０は、例えば演出制御基板１２からの表示制御指令や演出制御基板１２を介して主基板１１から伝送された演出制御コマンドなどに基づき、図４４に示すステップＳ５９３、Ｓ５９７の処理を実行することにより、飾り図柄の可変表示中に予告演出となる演出動作を実行するか否かの判定や、予告演出となる演出動作を複数種類のいずれとするかの決定を行うようにしてもよい。あるいは、表示制御用ＣＰＵ１４０は、図４１に示すステップＳ５０３、Ｓ５０４、Ｓ５０６、Ｓ５０９の処理のうち、少なくとも一部の処理を実行することにより、「左」、「中」、「右」の各飾り図柄表示エリア５Ｌ、５Ｃ、５Ｒにて停止表示する飾り図柄の全部または一部を決定するようにしてもよい。なお、表示制御用ＣＰＵ１４０は、上記実施の形態にて演出制御用ＣＰＵ１２０が実行した処理のうち、任意の一部を実行するものであればよい。また、表示制御用ＣＰＵ１４０では、表示制御だけを実行し、演出内容の決定は、全て演出制御ＣＰＵ１２０が実行するようにしてもよい。音声制御基板１３やランプ制御基板１４は、演出制御基板１２からの効果音信号や電飾信号を伝送する配線により、演出制御基板１２と接続されていてもよい。この場合、演出制御基板１２では、例えば演出制御用ＣＰＵ１２０により、演出動作を統括的に制御するための処理が実行されればよい。
【０３４２】
また、音声制御基板１３やランプ制御基板１４が備える機能を、演出制御基板１２に搭載された音声制御回路やランプ制御回路などに備えさせ、音声制御基板１３やランプ制御基板１４となる独立の制御基板は設けられないようにしてもよい。上記実施の形態では、図２に示す構成において、音声制御基板１３やランプ制御基板１４に制御用のＣＰＵ等を含んだマイクロコンピュータが搭載されず、演出制御基板１２に搭載された演出制御用ＣＰＵ１２０により、音声や効果音の出力制御、及び、ランプや装飾用ＬＥＤ等の点灯制御といった、各種の演出動作を制御するための処理が行われるものとした。これに対して、図２に示す構成において、音声制御基板１３に搭載されたマイクロコンピュータやランプ制御基板１４に搭載されたマイクロコンピュータにより、上記実施の形態にて演出制御用ＣＰＵ１２０が実行した処理のうち、任意の一部が実行されるようにしてもよい。このように、演出動作を制御するために複数の制御基板が設けられた場合には、画像表示装置５における表示動作の制御内容を決定するための処理、スピーカ８Ｌ、８Ｒにおける音声出力動作の制御内容を決定するための処理、遊技効果ランプ９などにおける点灯動作の制御内容を決定するための処理といった、各種の演出動作の制御内容を決定するための処理がそれぞれ、いずれの制御基板で実行されるかの組合せは、任意の組合せであればよい。なお、ＲＴＣＭはいずれの基板に設けられてもよい。
【０３４３】
上記実施の形態では、変動開始時保留数表示エリア５Ａにおいて変動開始時の合計保留記憶数を数字を表示することで報知していた。しかしながら、変動開始時の合計保留記憶数が報知できるものであれば報知方法はこれに限定されない。例えば、変動開始とともに始動入賞記憶表示エリア５Ｈから減少した保留の表示を変動開始時保留数表示エリア５Ａに移動させるような演出により報知してもよいし、音やランプなどにより報知するようにしてもよい。
【０３４４】
上記実施の形態では、特図ゲームを実行する特別図柄表示装置は第１特別図柄表示装置４Ａと第２特別図柄表示装置４Ｂとのうちどちらか一方だけが交互変動するものであったが、これらが同時に変動するものであってもよい。
【０３４５】
また、図２０に示したリーチ図柄決定用データ１６２は、いずれの特別図柄表示装置の変動であるかに関わらず、単一のものを使用していたが、特別図柄表示装置に対応して２つ用意されてもよい。
【０３４６】
上記実施の形態では、始動入賞記憶表示エリア５Ｈにて、第１始動条件が成立したときには青色表示を行い、第２始動条件が成立したときには赤色表示を行うものとして説明した。しかしながら、この発明はこれに限定されず、例えば第１始動条件が成立したときには丸型の記号を表示し、第２始動条件が成立したときには三角型の記号を表示するといったように、互いに異なる形の記号を表示するようにしてもよい。あるいは、第１始動条件と第２始動条件のそれぞれが成立した回数を示す数字を、特定可能に表示するようにしてもよい。また、第１始動条件が成立したことを示す第１始動入賞記憶表示エリアと第２始動条件が成立したことを示す第２始動入賞記憶表示エリアとを別々に設けるようにしてもよい。
【０３４７】
上記実施の形態では、演出制御用ＣＰＵ１２０が図４４に示すステップＳ５９３、Ｓ５９７にて予告パターン種別を決定する際に、予告演出の有無と予告パターン種別及び予告パターンの決定を１回の処理で全て決定するようにしていた。しかしながら、この発明はこれに限定されず、まず予告演出の有無を決定し、予告演出ありと決定した場合に予告演出の種類を決定するようにしてもよい。
【０３４８】
上記実施の形態では、演出制御用ＣＰＵ１２０が図４１に示すステップＳ５０３にて非リーチ組合せの最終停止図柄を決定する際に、最終停止図柄決定用データ１６０Ａ〜１６０Ｃや、左右出目判定用データ１６１を参照して、「左」、「中」、「右」の各飾り図柄表示エリア５Ｌ、５Ｃ、５Ｒにおける確定飾り図柄を個別に決定するものとして説明した。しかしながら、この発明はこれに限定されず、例えば「左」の飾り図柄表示エリア５Ｌにおける確定飾り図柄を決定した後、その決定された飾り図柄と、「中」及び「右」の飾り図柄表示エリア５Ｃ、５Ｒにおける確定飾り図柄との図柄差を、所定の判定用データを参照して決定するようにしてもよい。
【０３４９】
上記実施の形態では、図２７に示すステップＳ１１１の変動パターン設定処理として、第１開始条件と第２開始条件のいずれが成立したかに関わりなく、図３０のフローチャートに示すような処理が実行されるものとして説明した。しかしながら、この発明はこれに限定されず、第１開始条件が成立した場合と第２開始条件が成立した場合とでは、互いに異なる処理を実行して、リーチ態様とするか否かの決定や、変動パターンを複数種類のいずれとするかの決定を行うようにしてもよい。この場合、変動パターンを決定するための処理や、変動パターンを決定するための処理は、第１開始条件と第２開始条件のいずれが成立したかに応じて異ならせる一方で、リーチ判定用の乱数値ＭＲ３や変動パターン判定用の乱数値ＭＲ４を示す数値データは、第１開始条件と第２開始条件のいずれが成立したかに関わりなく、共通の数値データを用いるようにすればよい。
【０３５０】
例えば、飾り図柄の可変表示状態をリーチ態様とするか否かの判定処理についても、第１開始条件が成立した場合と第２開始条件が成立した場合とでは、互いに異なる処理が実行されるようにしてもよい。この場合、リーチ態様とするか否かの処理は、第１開始条件と第２開始条件のいずれが成立したかに応じて異ならせる一方で、リーチ判定用の乱数値ＭＲ３を示す数値データとしては、第１開始条件と第２開始条件のいずれが成立したかに関わりなく、共通の数値データを用いるようにすればよい。さらに、例えば上記実施の形態において図２９に示したステップＳ２４６のような処理に代えて、大当り種別を複数種類のいずれかに決定する処理として、第１開始条件が成立した場合と第２開始条件が成立した場合とで互いに異なる処理が実行されるようにしてもよい。この場合、大当り種別を決定するための処理は、第１開始条件と第２開始条件のいずれが成立したかに応じて異ならせる一方で、大当り種別判定用の乱数値ＭＲ２を示す数値データとしては、第１開始条件と第２開始条件のいずれが成立したかに関わりなく、共通の数値データを用いるようにすればよい。
【０３５１】
上記実施の形態では、可変表示結果は「大当り」と「ハズレ」のみであったが、「小当り」を用意してもよい。この場合、可変表示結果が「小当り」となったことに基づいて２ラウンド大当り遊技状態と同様の小当り遊技状態に制御され、小当り遊技状態が終了した後には、遊技状態の変更が行われないようにすればよい。このような「小当り」は、２ラウンド大当りのガセとして用いられ、大入賞口の開放態様は２ラウンド大当りの場合と同様である。よって、遊技者は２ラウンド大当りであるか、「小当り」であるかの区別がつかないので、大当り確率を変えることなく大入賞口の開放頻度を上げて、遊技者の期待感を向上させることができる。
【０３５２】
上記実施の形態では、可変表示結果が「大当り」となったことに基づく大当り遊技状態が終了した後に、確変状態や時短状態といった遊技状態に制御できるものとして説明した。そして、確変状態や時短状態では、第２始動入賞口に遊技球が進入する可能性を高めて第２始動条件が成立しやすくなることで遊技者にとって有利となる制御が行われるものとして説明した。しかしながら、この発明はこれに限定されず、例えば確変状態には、継続して確変制御が行われるとともに、第２始動入賞口に遊技球が進入する可能性を高める有利開放制御が行われる高確高ベース状態と、確変制御は行われるが有利開放制御は行われない高確低ベース状態とが含まれるようにしてもよい。また、時短状態には、特図変動時間が短縮されるとともに有利開放制御が行われる低確高ベース状態と、特図変動時間は短縮されるが有利開放制御は行われない低確低ベース状態とが含まれるようにしてもよい。一例として、大当り種別が「第１大当り」、「第２大当り」のいずれであるかに対応して、大当り遊技状態の終了後に、高確高ベース状態と高確低ベース状態のいずれかに制御されるようにしてもよい。他の一例として、大当り種別が「第１大当り」、「第２大当り」のいずれであるかに応じて、大当り遊技状態の終了後に高確高ベース状態と高確低ベース状態のいずれかに制御される割合を、互いに異ならせるようにしてもよい。また、大当り種別を増やして異なる制御を実行するようにしてもよい。
【０３５３】
また、大当り種別として、さらに特別な大当りを設けてもよい。例えば、同一のラウンド数（例えば１６ラウンド）で、各ラウンドの特別可変入賞球装置７の開放回数が異なる複数の大当り（例えば１回開放、２回開放、３回開放など）を設けてもよい。このように、同一のラウンド数であっても、１ラウンド当りの開放回数を異ならせることで、各大当り遊技状態の遊技価値を異ならせてもよい。この場合、特別可変入賞球装置７とは異なる特別の大入賞口を設けて、その大入賞口を開放するようにしてもよい。また、１６ラウンドの開放が終わったときに、インターバルを置いて、大当り遊技状態が継続するか否かの継続演出を実行するようにしてもよい。さらに、このような継続演出を、確変状態や、第２特別図柄表示装置４Ｂに対応する大当り遊技状態である場合にのみ実行するようにしてもよい。
【０３５４】
上記実施の形態では、変動パターン指定コマンドと可変表示結果コマンドとを、それぞれ別個の演出制御コマンドとして用意するものとして説明した。しかしながら、この発明はこれに限定されず、例えば変動パターンと可変表示結果（「ハズレ」、「大当り」のいずれかと、「大当り」となる場合における大当り種別）とを特定可能な１種類の演出制御コマンドを用いてもよい。あるいは、３つ以上の演出制御コマンドにより、変動パターンと可変表示結果とを特定できるようにしてもよい。
【０３５５】
上記実施の形態では、画像表示装置５の表示領域において、「左」、「中」、「右」の飾り図柄表示エリア５Ｌ、５Ｃ、５Ｒが設けられ、各飾り図柄表示エリア５Ｌ、５Ｃ、５Ｒにて１個の飾り図柄が停止表示されることで、予め定められた１個の有効ライン上に最終停止図柄となる確定飾り図柄が停止表示されるものとして説明した。しかしながら、この発明はこれに限定されず、例えば「左」、「中」、「右」の各飾り図柄表示エリア５Ｌ、５Ｃ、５Ｒにて「上段」、「中段」、「下段」の３カ所に飾り図柄を停止表示可能とし、５個あるいは８個の有効ライン上に最終停止図柄となる確定飾り図柄が停止表示されるようにしてもよい。
【０３５６】
前記始動領域として、第１始動領域（例えば普通入賞球装置６Ａ）と第２始動領域（例えば普通可変入賞球装置６Ｂ）とを含み、前記第１始動領域に遊技球が入賞したことにもとづいて各々を識別可能な複数種類の第１識別情報（例えば特別図柄）の可変表示を行い表示結果を導出表示する第１可変表示手段（例えば第１特別図柄表示装置４Ａ）と、前記第２始動領域に遊技球が入賞したことにもとづいて各々を識別可能な複数種類の第２識別情報（例えば特別図柄）の可変表示を行い表示結果を導出表示する第２可変表示手段（例えば第２特別図柄表示装置４Ｂ）と、をさらに備え、前記装飾可変表示装置は、前記第１可変表示手段または前記第２可変表示手段における可変表示と同期して可変表示を行うものであって、前記特定遊技状態として、前記第１ラウンド数より少なく前記第２ラウンド数より多い第３ラウンド数（例えば７ラウンド）のラウンド遊技を実行し、その後前記高確率状態に移行する第４特定遊技状態（例えば第２大当りの大当り遊技状態）をさらに含み、前記特定演出モード制御手段は、前記第１特定遊技状態及び前記第４特定遊技状態の終了後、前記特定演出モードに制御し、前記事前決定手段は、前記第１始動領域に遊技球が入賞したことに基づいて前記特定遊技状態に制御すると決定したときに前記第１特定遊技状態に決定する割合と前記第４特定遊技状態に決定する割合との比率と、前記第２始動領域に遊技球が入賞したことに基づいて前記特定遊技状態に制御すると決定したときに前記第１特定遊技状態に決定する割合と前記第４特定遊技状態に決定する割合との比率と、が異なるように決定する（例えば、大当り種別判定用データ１３１では、第１特別図柄表示装置４Ａで第１大当りとなる割合：第２大当りとなる割合が６０：５であって、第２特別図柄表示装置４Ｂで第１大当りとなる割合：第２大当りとなる割合が５：６５であるように乱数値が割り当てられている）ように構成されてもよい。２つの可変表示手段のいずれの可変表示であるかにより、大当り遊技状態の遊技価値が異なるので、遊技にメリハリを持たせることができ、遊技の興趣を向上させることができる。
【０３５７】
前記特定演出モードにおいて、前記第１可変表示手段により可変表示が実行される場合と、前記第２可変表示手段により可変表示が実行される場合と、で異なる演出態様（例えば、大当りとなるとき、第１特別図柄表示装置４Ａにより可変表示が実行される場合は味方キャラクタＣＨ０と敵キャラクタＣＨ１−１が戦う演出態様、第２特別図柄表示装置４Ｂにより可変表示が実行される場合は味方キャラクタＣＨ０と敵キャラクタＣＨ１−２が戦う演出態様）により演出を実行可能である特定演出実行手段（例えば演出制御ＣＰＵ１２０が実施の形態２のステップＳ５２３の処理で決定した演出制御パターンに基づきＳ１６２の処理を実行する部分）をさらに備えるように構成されてもよい。２つの可変表示手段のいずれの可変表示であるかにより演出態様が異なるので、演出にも変化を与えることができ、遊技の興趣を向上させることができる。
【０３５８】
前記第１特別演出実行手段は、前記第１可変表示手段により可変表示を行うときには、味方キャラクタ（例えば味方キャラクタＣＨ０）が第１敵キャラクタ（例えば敵キャラクタＣＨ１−１）と対決する特別演出（例えばバトル演出）を実行し、また、前記第２可変表示手段により可変表示を行うときには味方キャラクタが第２敵キャラクタ（例えば敵キャラクタＣＨ１−２）と対決する特別演出を実行するように構成されてもよい。敵キャラクタの種別により、いずれの可変表示手段の可変表示であるかを遊技者が認識できるようになる。
【０３５９】
前記特定演出モード中に前記第１または第２可変表示手段において前記特定遊技状態となるときの可変表示を実行するときに、前記第１敵キャラクタ（例えば敵キャラクタＣＨ１−１）と前記第２敵キャラクタ（例えば敵キャラクタＣＨ１−２）とが対決する特殊演出を実行する特殊演出実行手段を備えるように構成されてもよい。これにより、意外性のある演出を実行可能となり、遊技の興趣を向上させることができる。
【０３６０】
前記特別演出（例えばバトル演出）を実行する前に、前記特別演出を実行する可能性を予告する特別演出予告手段（例えば演出制御ＣＰＵ１２０がステップＳ５９１〜Ｓ５９３の処理を実行する部分）を備え、前記特別演出予告手段は、前記事前決定手段により前記特定遊技状態に制御しないと決定されたときにも予告を実行可能である（例えばハズレ時のバトル前予告選択用データ１７０が用意されている）ように構成されてもよい。このように予告演出を実行することで、遊技者の期待感を向上させることができる。
【０３６１】
前記特別演出予告手段は、前記第１可変表示手段により可変表示を行うときと、前記第２可変表示手段により可変表示を行うときとでは、予告を実行する割合を異ならせる（バトル前予告選択用データ１７０は第１特別図柄表示装置４Ａでハズレとなるときと第２特別図柄表示装置４Ｂでハズレとなるときとで乱数値の割り当てが異なる）ように構成されてもよい。これにより、いずれの可変表示手段の変動であるかによって、予告演出の発生頻度を異ならせることができ、遊技者の期待感を向上させることができる。
【０３６２】
前記特別演出で使用される味方キャラクタを遊技者が選択するための味方キャラクタ選択手段（例えば操作ボタン３０）を備え、前記特別演出において、前記味方キャラクタ選択手段により選択された味方キャラクタが対決する敵キャラクタの種別に応じて第１特定遊技状態となる信頼度が異なる（例えば演出制御ＣＰＵ１２０は実施の形態２のステップＳ５２３にて図６３の設定に基づき敵キャラクタの種別を選択する）ように構成されてもよい。これにより、特定演出モード中の演出が単調になることを防止し、遊技者が遊技に関与したかのような演出を実行可能となり、遊技の興趣を向上させることができる。
【０３６３】
前記第２始動領域（例えば普通可変入賞球装置６Ｂ）は、遊技球が入賞しないまたはしにくい閉状態（例えば通常開放状態）から当該閉状態よりも遊技球が入賞しやすい開状態（例えば拡大開放状態）に変化可能な可変入賞口により構成されており、前記特定演出モード中に第２始動領域を開状態となりやすい有利状態（例えば確変状態における普通可変入賞球装置６Ｂが開放しやすい状態）に制御する有利状態制御手段（例えばＣＰＵ１０３がステップＳ３１４の処理を実行する部分）をさらに備え、前記事前決定手段は、前記第１始動領域に遊技球が入賞したことに基づいて前記第２特定遊技状態に決定する割合が、前記第２始動領域に遊技球が入賞したことに基づいて前記第２特定遊技状態に決定する割合よりも少ない（例えば、大当り種別判定用データ１３１Ａでは、第１特別図柄表示装置４Ａで第３大当りとはならず、第２特別図柄表示装置４Ｂでは第３大当りとなる割合が１０％である）ように構成されてもよい。特定演出モード（バトルモード）でないとき（通常状態）では、第２始動領域は閉状態であるため、遊技球が入賞するのは第１始動領域である。即ち、通常状態では、第１特定遊技状態より不利な第２特定遊技状態となりにくい。これにより、通常状態で第２特定遊技状態となることによる遊技者の不信感を軽減し、遊技の興趣を向上させることができる。
【０３６４】
前記第１可変表示手段の可変表示の開始条件が成立していないときに前記第１始動領域に遊技球が入賞した場合、当該入賞を第１保留記憶として所定数まで記憶する第１保留記憶手段（例えば第１特図保留記憶部１５１Ａ）と、前記第２可変表示手段の可変表示の開始条件が成立していないときに前記第２始動領域に遊技球が入賞した場合、当該入賞を第２保留記憶として所定数まで記憶する第２保留記憶手段（例えば第２特図保留記憶部１５１Ｂ）と、前記開始条件が成立したときに、前記第１または第２保留記憶を消化して前記第１または第２可変表示手段における可変表示を実行する可変表示実行手段（例えばＣＰＵ１０３がステップＳ２３２の処理を実行する部分）と、を備え、前記可変表示実行手段は、前記第２保留記憶を前記第１保留記憶よりも優先的に消化して可変表示を実行する（例えばＣＰＵ１０３が、ステップＳ２３２の処理で第２保留記憶を第１保留記憶より優先して消化する）ように構成されてもよい。特定演出モード中に、第１始動領域を狙って第２特定遊技状態となることを回避しようとしても、第２保留記憶が優先的に消化されるため、このような狙い打ちを防止することができる。
【０３６５】
前記特定演出モード中に前記第３特定遊技状態となった場合、当該第３特定遊技状態終了後、前記通常確率状態に移行させる確率移行制御手段（例えばＣＰＵ１０３がステップＳ３１３でＮｏの場合ステップＳ３１５の処理を実行する部分）と、前記確率移行制御手段により通常確率状態に移行された後、前記第１可変表示手段と第２可変表示手段とにおいて所定回数の可変表示が実行されたときに、前記特定演出モードを終了させる第１特定演出モード終了制御手段（例えばＣＰＵ１０３がステップＳ３１６の処理でモードフラグ切換設定用データ２０２に基づきモードフラグを"０"に切り換える部分）と、を備えるように構成されてもよい。通常確率状態に転落しても特定演出モードが継続するので、遊技者の期待感を維持させることができる。また、通常確率状態に転落したことで遊技を止めてしまうことを防止することができる。
【０３６６】
前記特定演出モード中に前記第３特定遊技状態となった場合、当該第３特定遊技状態終了後、前記通常確率状態に移行するとともに前記特定演出モードを終了させる第２特定演出モード終了制御手段（例えばＣＰＵ１０３がステップＳ３１６の処理でモードフラグ切換設定用データ２００Ａに基づきモードフラグを"２"に切り換える部分）と、前記前記特定演出モード中に前記第３特定遊技状態となった場合、前記確率移行制御手段と前記第２特定演出モード終了制御手段とのいずれかを選択する制御選択手段（例えばＣＰＵ１０３がステップＳ３１６の処理で変動パターンとモードフラグ切換設定用データ２００Ａとに基づきモードフラグを"１"または"２"に切り換える判定をする部分）と、を備え、前記確率移行制御手段と前記第２特定演出モード終了手段とは、前記制御選択手段に選択された場合に前記第３特定遊技状態終了後の制御を実行するように構成されてもよい。通常確率状態に転落したときに特定演出モードが終了することがあるので、演出にメリハリを与えることができる。
【０３６７】
前記事前決定手段による決定結果に基づいて、前記識別情報の可変表示パターン種別を複数種類のいずれかに決定する可変表示パターン種別決定手段（例えばＣＰＵ１０３がステップＳ２６４、Ｓ２７０〜Ｓ２７３の処理を実行する部分）と、前記可変表示パターン種別決定手段により決定された可変表示パターン種別に含まれる可変表示パターンの中から前記識別情報の可変表示パターンを決定する可変表示パターン決定手段（例えばＣＰＵ１０３がステップＳ２７４〜Ｓ２７６の処理を実行する部分）と、いずれの演出モードであるか、及び前記可変表示パターン決定手段の決定結果に対応する演出動作を実行する演出実行手段（例えば演出制御ＣＰＵ１２０がステップＳ５１０の処理で決定した演出制御パターンに基づきステップＳ１６２の処理を実行する部分）と、をさらに備えるように構成されてもよい。これにより、可変表示パターン種別や可変表示パターンの変更、追加時の乱数振分け設定が容易になり、遊技機の開発時間を短縮化することができる。
【０３６８】
前記開始条件が成立していないときに前記始動領域に遊技球が入賞した場合、当該入賞を保留記憶として所定数まで記憶する保留記憶手段（例えばＣＰＵ１０３がステップＳ２０３、Ｓ２１２の処理を実行する部分）をさらに備え、前記可変表示パターン種別決定手段は、前記特定演出モード中において前記事前決定手段によって前記特定遊技状態に制御しない旨の決定がなされたときであって前記保留記憶の数が特定数未満（例えば４未満）であるときに、第１可変表示パターン（例えば非リーチ５の変動パターン）を含む第１可変表示パターン種別（例えば非リーチＢ１−１の変動パターン種別）に決定し、前記特定演出モード中において前記事前決定手段によって前記特定遊技状態に制御しない旨の決定がなされたときであって前記保留記憶の数が特定数以上（例えば４以上）であるときに、前記第１可変表示パターン種別と、第１可変表示パターンよりも可変表示時間の短い第２可変表示パターン（例えば非リーチ６の変動パターン）を含む第２可変表示パターン種別（例えば非リーチＢ１−２の変動パターン種別）と、を含むいずれかの可変表示パターン種別に決定するように構成されてもよい。特定遊技状態とならないときの可変表示パターンを複数設けることで、演出に幅を持たせることができる。また、保留記憶数が多い場合の平均可変表示時間を短くして無効入賞を削減することができる。
【０３６９】
前記特別演出を実行する前に、前記特別演出を実行する可能性を予告する特別演出予告手段（例えば演出制御ＣＰＵ１２０がステップＳ５９１〜Ｓ５９３の処理を実行する部分）をさらに備え、前記特別演出予告手段は、前記事前決定手段により前記特定遊技状態に制御しないと決定されたときであっても、前記第１可変表示パターンで可変表示を実行するときには予告を実行可能である（例えば非リーチ５の変動パターンのときに予告演出を実行可能である）ように構成されてもよい。予告演出を特定遊技状態とならないときに実行可能とすることで、特定遊技状態とならないときにおける遊技者の期待感を向上させることができる。
【０３７０】
前記リーチ決定手段は、前記特殊演出モード中においてはリーチ状態とする旨およびリーチ状態としない旨のいずれも決定可能である（例えばＣＰＵ１０３はチャンスモードにおいてはリーチ判定用データ１３２Ａに基づいてリーチ判定を実行する）ように構成されてもよい。特定演出モード中と異なり、特殊演出モード中は高確率状態であってもリーチ状態とすることができるので、リーチ状態とならないことによって高確率状態であることを遊技者に悟られてしまうことを防止できる。
【０３７１】
前記可変表示パターン種別決定手段は、前記リーチ決定手段によって前記リーチ状態としない旨の決定がなされたことに対応して、前記識別情報の可変表示中に特定演出を実行する可変表示パターン種別（例えば非リーチハズレ用変動パターン種別判定用データ１３５Ａにおける非リーチＡ１−３の変動パターン種別）を含む複数種類の可変表示パターン種別のいずれかに決定し、前記可変表示パターン決定手段は、前記リーチ決定手段によって前記リーチ状態としない旨の決定がなされたこと、及び、前記可変表示パターン種別決定手段によって前記特定演出を実行する可変表示パターン種別に決定されたことに対応して、前記識別情報の可変表示パターンを、前記特定演出を実行するための複数種類の非リーチ可変表示パターン（例えば非リーチハズレ用変動パターン判定用データ１３８Ａにおける非リーチ３や非リーチ４の変動パターン）のいずれかに決定するように構成されてもよい。これにより、識別情報の可変表示状態がリーチ状態とならない場合でも、特定演出を実行できるようにして多様な演出を可能にし、遊技興趣を向上させることができる。
【０３７２】
その他にも、パチンコ遊技機１の装置構成、データ構成、フローチャートで示した処理、画像表示装置５の表示領域における演出画像の表示動作を含めた各種の演出動作などは、本発明の趣旨を逸脱しない範囲で、任意に変更及び修正が可能である。加えて、本発明の遊技機は、入賞球の検出に応答して所定数の賞球を払い出す払出式遊技機に限定されるものではなく、遊技球を封入し入賞球の検出に応答して得点を付与する封入式遊技機にも適用することができる。
【０３７３】
さらに、本発明を実現するためのプログラム及びデータは、パチンコ遊技機１に含まれるコンピュータ装置等に対して、着脱自在の記録媒体により配布・提供される形態に限定されるものではなく、予めコンピュータ装置等の有する記憶装置にプリインストールしておくことで配布される形態を採っても構わない。さらに、本発明を実現するためのプログラム及びデータは、通信処理部を設けておくことにより、通信回線等を介して接続されたネットワーク上の、他の機器からダウンロードすることによって配布する形態を採っても構わない。
【０３７４】
そして、ゲームの実行形態も、着脱自在の記録媒体を装着することにより実行するものだけではなく、通信回線等を介してダウンロードしたプログラム及びデータを、内部メモリ等に一旦格納することにより実行可能とする形態、通信回線等を介して接続されたネットワーク上における、他の機器側のハードウェア資源を用いて直接実行する形態としてもよい。さらには、他のコンピュータ装置等とネットワークを介してデータの交換を行うことによりゲームを実行するような形態とすることもできる。
【符号の説明】
【０３７５】
１  ...  パチンコ遊技機
２  ...  遊技盤
３  ...  遊技機用枠
４Ａ、４Ｂ  ...  特別図柄表示装置
５  ...  画像表示装置
６Ａ  ...  普通入賞球装置
６Ｂ  ...  普通可変入賞球装置
７  ...  特別可変入賞球装置
８Ｌ、８Ｒ  ...  スピーカ
９  ...  遊技効果ランプ
１１  ...  主基板
１２  ...  演出制御基板
１３  ...  音声制御基板
１４  ...  ランプ制御基板
１５  ...  中継基板
１６  ...  表示制御基板
２０  ...  普通図柄表示器
２１  ...  ゲートスイッチ
２２Ａ、２２Ｂ  ...  始動口スイッチ
２３  ...  カウントスイッチ
３０  ...  操作ボタン
１００  ...  遊技制御用マイクロコンピュータ
１０１、１２１、１４１  ...  ＲＯＭ
１０２、１２２、１４２  ...  ＲＡＭ
１０３  ...  ＣＰＵ
１０４、１２４、１４３  ...  乱数回路
１０５、１２５、１４４  ...  Ｉ／Ｏ
１２０  ...  演出制御用ＣＰＵ
１２３  ...  表示制御部
１２６  ...  ＲＴＣＭ
１４０  ...  表示制御用ＣＰＵ
【図１】
0005452687.tif 000002
【図２】
0005452687.tif 000003
【図３】
0005452687.tif 000004
【図４】
0005452687.tif 000005
【図５】
0005452687.tif 000006
【図６】
0005452687.tif 000007
【図７】
0005452687.tif 000008
【図８】
0005452687.tif 000009
【図９】
0005452687.tif 000010
【図１０】
0005452687.tif 000011
【図１１】
0005452687.tif 000012
【図１２】
0005452687.tif 000013
【図１３】
0005452687.tif 000014
【図１４】
0005452687.tif 000015
【図１５】
0005452687.tif 000016
【図１６】
0005452687.tif 000017
【図１７】
0005452687.tif 000018
【図１８】
0005452687.tif 000019
【図１９】
0005452687.tif 000020
【図２０】
0005452687.tif 000021
【図２１】
0005452687.tif 000022
【図２２】
0005452687.tif 000023
【図２３】
0005452687.tif 000024
【図２４】
0005452687.tif 000025
【図２５】
0005452687.tif 000026
【図２６】
0005452687.tif 000027
【図２７】
0005452687.tif 000028
【図２８】
0005452687.tif 000029
【図２９】
0005452687.tif 000030
【図３０】
0005452687.tif 000031
【図３１】
0005452687.tif 000032
【図３２】
0005452687.tif 000033
【図３３】
0005452687.tif 000034
【図３４】
0005452687.tif 000035
【図３５】
0005452687.tif 000036
【図３６】
0005452687.tif 000037
【図３７】
0005452687.tif 000038
【図３８】
0005452687.tif 000039
【図３９】
0005452687.tif 000040
【図４０】
0005452687.tif 000041
【図４１】
0005452687.tif 000042
【図４２】
0005452687.tif 000043
【図４３】
0005452687.tif 000044
【図４４】
0005452687.tif 000045
【図４５】
0005452687.tif 000046
【図４６】
0005452687.tif 000047
【図４７】
0005452687.tif 000048
【図４８】
0005452687.tif 000049
【図４９】
0005452687.tif 000050
【図５０】
0005452687.tif 000051
【図５１】
0005452687.tif 000052
【図５４】
0005452687.tif 000053
【図６３】
0005452687.tif 000054
【図６４】
0005452687.tif 000055
【図６６】
0005452687.tif 000056
【図６７】
0005452687.tif 000057
【図６８】
0005452687.tif 000058
【図６９】
0005452687.tif 000059
【図７０】
0005452687.tif 000060
【図７１】
0005452687.tif 000061
【図７２】
0005452687.tif 000062
【図７３】
0005452687.tif 000063
【図７４】
0005452687.tif 000064
【図５２】
0005452687.tif 000065
【図５３】
0005452687.tif 000066
【図５５】
0005452687.tif 000067
【図５６】
0005452687.tif 000068
【図５７】
0005452687.tif 000069
【図５８】
0005452687.tif 000070
【図５９】
0005452687.tif 000071
【図６０】
0005452687.tif 000072
【図６１】
0005452687.tif 000073
【図６２】
0005452687.tif 000074
【図６５】
0005452687.tif 000075